(57)【要約】本発明は、通信分野に関係し、サービス送信効率を改善するデュアルカードユーザ機器・装置のための通信方法を提供する。本方法は、第1ネットワーク側デバイスで、デュアルカードUEからアクセス要求を受信し、アクセス要求に従って第1ベアラを確立し、第1ネットワーク側デバイスで、デュアルカードUEの第1カードとデュアルカードUEの第2カードとの間の関連付け情報を取得し、第1ネットワーク側デバイスで、関連付け情報に従って第2ベアラを確立し、第1ネットワーク側デバイスで、送信されるべき第1データを第2データと第3データとに分割し、第1ネットワーク側デバイスで、第1ベアラを使用して第2データをデュアルカードUEに送信し、第2ベアラを使用して第3データをデュアルカードUEに送信し、これで、デュアルカードUEが第2データと第3データとを第1データに組み合わせる。
2016525292.tif 000002
【特許請求の範囲】
【請求項１】
デュアルカードユーザ機器UEのための通信方法であって、
第1のネットワーク側デバイスによって、前記デュアルカードUEからアクセス要求を受信し、前記アクセス要求に従って第1のベアラを確立するステップであって、前記第1のネットワーク側デバイスは、前記デュアルカードUEの第1のカードに対するサービスを提供し、前記第1のベアラは前記第1のネットワーク側デバイスと前記デュアルカードUEの前記第1のカードとの間のデータ通信路である、ステップと、
前記第1のネットワーク側デバイスによって、前記デュアルカードUEの前記第1のカードと前記デュアルカードUEの第2のカードとの間の関連付け情報を取得するステップと、
前記第1のネットワーク側デバイスによって、前記関連付け情報に従って第2のベアラを確立するステップであって、前記第2のベアラは前記第1のネットワーク側デバイスと前記デュアルカードUEの前記第2のカードとの間のデータ通信路である、ステップと、
前記第1のネットワーク側デバイスによって、送信されるべき第1のデータを第2のデータと第3のデータとに分割するステップと、
前記第1のネットワーク側デバイスによって、前記第1のベアラを使用することにより前記第2のデータを前記デュアルカードUEに送信し、前記第2のベアラを使用することにより前記第3のデータを前記デュアルカードUEに送信し、それにより、前記デュアルカードUEが前記第2のデータと前記第3のデータとを前記第1のデータに組み合わせるステップとを含む、デュアルカードユーザ機器UEのための通信方法。
【請求項２】
前記第1のネットワーク側デバイスによって、前記デュアルカードUEの前記第1のカードと前記デュアルカードUEの第2のカードとの間の関連付け情報を取得する前記ステップは、
前記第1のネットワーク側デバイスによって、ホーム加入者サーバHSSから、前記デュアルカードUEの前記第1のカードの加入情報を受信するステップと、
前記第1のネットワーク側デバイスによって、前記デュアルカードUEの前記第1のカードの前記加入情報内の前記関連付け情報を取得するステップ、
または
前記第1のネットワーク側デバイスによって、前記デュアルカードUEの前記第1のカードからアクセス要求を受信するステップであって、前記アクセス要求は前記関連付け情報を運ぶ、ステップと、
前記第1のネットワーク側デバイスによって、前記アクセス要求に従って前記関連付け情報を取得するステップとを含む請求項1に記載のデュアルカードUEのための通信方法。
【請求項３】
前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む請求項1または2に記載のデュアルカードUEのための通信方法。
【請求項４】
前記第1のネットワーク側デバイスによって、送信されるべき第1のデータを第2のデータと第3のデータとに分割する前記ステップは、
前記第1のネットワーク側デバイスによって、前記第1のデータを前記第2のデータと前記第3のデータとに分割することを、前記第1のベアラの負荷、前記第1のベアラのデータ伝送効率、前記第2のベアラの負荷、および前記第2のベアラのデータ伝送効率のうちの少なくとも1つに従って行うステップを含む請求項3に記載のデュアルカードUEのための通信方法。
【請求項５】
前記第1のネットワーク側デバイスは、アンカーゲートウェイを備え、前記アンカーゲートウェイは、パケットデータネットワークゲートウェイPGWまたはゲートウェイ汎用パケット無線サービスサポートノードGGSNを備え、
前記第1のネットワーク側デバイスによって、前記関連付け情報に従って第2のベアラを確立する前記ステップは、特に、
前記アンカーゲートウェイによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのインターネットプロトコルIPアドレスを取得するステップと、
前記アンカーゲートウェイによって、前記デュアルカードUEの前記第2のカードの前記IPアドレスに従って前記第2のベアラを確立するステップとを含む請求項3または4に記載のデュアルカードUEのための通信方法。
【請求項６】
前記第2のデータおよび前記第3のデータは、前記デュアルカードUEの前記第1のカードのIPアドレスを運び、
前記第1のネットワーク側デバイスによって、前記第1のベアラを使用することにより前記第2のデータを前記デュアルカードUEに送信し、前記第2のベアラを使用することにより前記第3のデータを前記デュアルカードUEに送信する前記ステップは、
前記アンカーゲートウェイによって、前記デュアルカードUEの前記第1のカードの前記IPアドレスに従って、前記第1のベアラを使用することにより前記第2のデータを前記デュアルカードUEに送信するステップと、前記デュアルカードUEの前記第2のカードの前記IPアドレスを前記第3のデータに追加するステップと、前記第2のベアラを使用することにより前記第3のデータを前記デュアルカードUEに送信するステップとを含む請求項5に記載のデュアルカードUEのための通信方法。
【請求項７】
前記アンカーゲートウェイによって、前記デュアルカードUEの前記第2のカードの前記IPアドレスを前記第3のデータに追加する前記ステップは、特に、
前記アンカーゲートウェイによって、トンネリング技術に従って前記デュアルカードUEの前記第2のカードの前記IPアドレスを前記第3のデータに追加するステップであって、前記トンネリング技術は、IP in IPカプセル化、汎用ルーティングカプセル化GRE、およびIPセキュリティSecを含む、ステップを含む請求項6に記載のデュアルカードUEのための通信方法。
【請求項８】
前記第1のネットワーク側デバイスは、コアネットワークエンティティを備え、前記コアネットワークエンティティは、サービングゲートウェイSGWまたはサービング汎用パケット無線サービスサポートノードSGSNを備え、
前記第1のネットワーク側デバイスによって、前記関連付け情報に従って第2のベアラを確立する前記ステップは、特に、
前記コアネットワークエンティティによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するステップを含む請求項3または4に記載のデュアルカードUEのための通信方法。
【請求項９】
第1のネットワーク側デバイスによって、前記デュアルカードUEからアクセス要求を受信する前記ステップの後に、前記方法は、
前記第1のネットワーク側デバイスによって、前記デュアルカードUEからデタッチ要求を受信するステップであって、前記デタッチ要求は、前記デュアルカードUEの前記第2のカードがデタッチされることを必要としたときに前記デュアルカードUEによって送信される、ステップと、
前記第1のネットワーク側デバイスによって、前記デタッチ要求に従って、前記関連付け情報、または前記関連付け情報と前記第2のベアラとを削除するステップとをさらに含む請求項1から8のいずれか一項に記載のデュアルカードUEのための通信方法。
【請求項１０】
デュアルカードUEのための通信方法であって、
前記デュアルカードUEによって、アクセス要求を第1のネットワーク側デバイスに送信し、これにより、前記第1のネットワーク側デバイスが前記アクセス要求に従って第1のベアラを確立し、前記第1のネットワーク側デバイスが前記デュアルカードUEの第1のカードと前記デュアルカードUEの第2のカードとの間の関連付け情報を取得した後に、前記第1のネットワーク側デバイスが前記関連付け情報に従って第2のベアラを確立する、ステップであって、前記第1のネットワーク側デバイスは、前記デュアルカードUEの前記第1のカードに対するサービスを提供し、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの前記第2のカードとの間のデータ通信路である、ステップと、
前記デュアルカードUEによって、前記第1のネットワーク側デバイスから第2のデータと第3のデータとを受信するステップであって、
前記第2のデータは、前記第1のネットワーク側デバイスが送信されるべき第1のデータを前記第2のデータと前記第3のデータとに分割した後に前記第1のベアラを使用することにより前記第1のネットワーク側デバイスによって送信され、前記第3のデータは、前記第2のベアラを使用することにより前記第1のネットワーク側デバイスによって送信される、ステップと、
前記デュアルカードUEによって、前記第2のデータと前記第3のデータとを前記第1のデータに組み合わせるステップとを含むデュアルカードUEのための通信方法。
【請求項１１】
前記デュアルカードUEによって、アクセス要求を第1のネットワーク側デバイスに送信する前記ステップの後に、前記方法は、
前記デュアルカードUEによって、デタッチ要求を前記第1のネットワーク側デバイスに送信し、これにより、前記第1のネットワーク側デバイスは前記デタッチ要求に従って前記関連付け情報、または前記関連付け情報と前記第2のベアラとを削除する、ステップであって、前記デタッチ要求は、前記デュアルカードUEの前記第2のカードがデタッチされることを必要としたときに前記デュアルカードUEによって送信される、ステップをさらに含む請求項10に記載のデュアルカードUEのための通信方法。
【請求項１２】
ネットワーク側デバイスであって、
デュアルカードUEからアクセス要求を受信するように構成された第1の受信ユニットと、
前記デュアルカードUEの第1のカードと前記デュアルカードUEの第2のカードとの間の関連付け情報を取得するように構成された第1の取得ユニットと、
前記アクセス要求に従って第1のベアラを確立し、前記関連付け情報に従って第2のベアラを確立するように構成された第1の確立ユニットであって、前記第1のベアラは前記ネットワーク側デバイスと前記デュアルカードUEの前記第1のカードとの間のデータ通信路であり、前記第2のベアラは前記ネットワーク側デバイスと前記デュアルカードUEの前記第2のカードとの間のデータ通信路であり、前記ネットワーク側デバイスは前記デュアルカードUEの前記第1のカードに対するサービスを提供する、第1の確立ユニットと、
送信されるべき第1のデータを第2のデータと第3のデータとに分割するように構成された第1の処理ユニットと、
前記第1のベアラを使用することによって前記第2のデータを前記デュアルカードUEに送信し、前記第2のベアラを使用することによって前記第3のデータを前記デュアルカードUEに送信し、これにより、前記デュアルカードUEが前記第2のデータと前記第3のデータとを前記第1のデータに組み合わせるように構成された第1の送信ユニットとを備えるネットワーク側デバイス。
【請求項１３】
前記第1の受信ユニットは、HSSから、前記デュアルカードUEの前記第1のカードの加入情報を受信するようにさらに構成され、
前記第1の取得ユニットは、前記デュアルカードUEの前記第1のカードの前記加入情報内の前記関連付け情報を取得するように特に構成されるか、
または
前記第1の受信ユニットは、前記デュアルカードUEの前記第1のカードからアクセス要求を受信するようにさらに構成され、前記アクセス要求は前記関連付け情報を運び、
前記第1の取得ユニットは、前記アクセス要求に従って前記関連付け情報を取得するように特に構成される請求項12に記載のネットワーク側デバイス。
【請求項１４】
前記第1の取得ユニットは、前記関連付け情報を取得するように特に構成され、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む請求項12または13に記載のネットワーク側デバイス。
【請求項１５】
前記第1の処理ユニットは、前記第1のデータを前記第2のデータと前記第3のデータとに分割することを、前記第1のベアラの負荷、前記第1のベアラのデータ伝送効率、前記第2のベアラの負荷、および前記第2のベアラのデータ伝送効率のうちの少なくとも1つに従って行うように特に構成される請求項14に記載のネットワーク側デバイス。
【請求項１６】
前記ネットワーク側デバイスは、アンカーゲートウェイを備え、前記アンカーゲートウェイは、PGWまたはGGSNを備え、
前記第1の取得ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得するようにさらに構成され、
前記第1の確立ユニットは、前記デュアルカードUEの前記第2のカードの前記IPアドレスに従って前記第2のベアラを確立するように特に構成される請求項14または15に記載のネットワーク側デバイス。
【請求項１７】
前記第1の処理ユニットによって、分割することにより得られる前記第2のデータおよび前記第3のデータは、前記デュアルカードUEの前記第1のカードのIPアドレスを運び、
前記第1の処理ユニットは、前記デュアルカードUEの前記第2のカードの前記IPアドレスを前記第3のデータに追加するようにさらに構成され、
前記第1の送信ユニットは、前記デュアルカードUEの前記第1のカードの前記IPアドレスに従って、前記第1のベアラを使用することによって前記第2のデータを前記デュアルカードUEに送信し、前記第2のベアラを使用することによって前記第3のデータを前記デュアルカードUEに送信するように特に構成される請求項16に記載のネットワーク側デバイス。
【請求項１８】
前記第1の処理ユニットは、トンネリング技術に従って前記デュアルカードUEの前記第2のカードの前記IPアドレスを前記第3のデータに追加するように特に構成され、前記トンネリング技術は、IP in IPカプセル化、GRE、およびIPSecを含む請求項17に記載のネットワーク側デバイス。
【請求項１９】
前記ネットワーク側デバイスは、コアネットワークエンティティを備え、前記コアネットワークエンティティは、SGWまたはSGSNを備え、
前記第1の確立ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するように特に構成される請求項14または15に記載のネットワーク側デバイス。
【請求項２０】
前記第1の受信ユニットは、前記デュアルカードUEからデタッチ要求を受信するようにさらに構成され、前記デタッチ要求は、前記デュアルカードUEの前記第2のカードがデタッチされることを必要としたときに前記デュアルカードUEによって送信され、
前記第1の処理ユニットは、前記デタッチ要求に従って前記関連付け情報、または前記関連付け情報と前記第2のベアラとを削除するようにさらに構成される請求項12から19のいずれか一項に記載のネットワーク側デバイス。
【請求項２１】
デュアルカードUEであって、
アクセス要求を第1のネットワーク側デバイスに送信し、これにより、前記第1のネットワーク側デバイスが前記アクセス要求に従って第1のベアラを確立し、前記第1のネットワーク側デバイスが前記デュアルカードUEの第1のカードと前記デュアルカードUEの第2のカードとの間の関連付け情報を取得した後に、前記第1のネットワーク側デバイスが前記関連付け情報に従って第2のベアラを確立する、ように構成された第2の送信ユニットであって、前記第1のネットワーク側デバイスは、前記デュアルカードUEの前記第1のカードに対するサービスを提供し、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの前記第2のカードとの間のデータ通信路である、第2の送信ユニットと、
前記第1のネットワーク側デバイスから第2のデータと第3のデータとを受信するように構成された第2の受信ユニットであって、
前記第2のデータは、前記第1のネットワーク側デバイスが送信されるべき第1のデータを前記第2のデータと前記第3のデータとに分割した後に前記第1のベアラを使用することにより前記第1のネットワーク側デバイスによって送信され、前記第3のデータは、前記第2のベアラを使用することにより前記第1のネットワーク側デバイスによって送信される、第2の受信ユニットと、
前記第2のデータと前記第3のデータとを前記第1のデータに組み合わせるように構成された第2の処理ユニットとを備えるデュアルカードUE。
【請求項２２】
前記第2の送信ユニットは、デタッチ要求を前記第1のネットワーク側デバイスに送信するようにさらに構成され、これにより、前記第1のネットワーク側デバイスは前記デタッチ要求に従って前記関連付け情報、または前記関連付け情報と前記第2のベアラとを削除し、前記デタッチ要求は、前記デュアルカードUEの前記第2のカードがデタッチされることを必要としたときに前記デュアルカードUEによって送信される、ステップをさらに含む請求項21に記載のデュアルカードUE。
【請求項２３】
ネットワーク側デバイスであって、
デュアルカードUEからアクセス要求を受信するように構成された第1の受信機と、
前記デュアルカードUEの第1のカードと前記デュアルカードUEの第2のカードとの間の関連付け情報を取得し、前記アクセス要求に従って第1のベアラを確立し、前記関連付け情報に従って第2のベアラを確立し、送信されるべき第1のデータを第2のデータと第3のデータとに分割するように構成された第1のプロセッサであって、前記第1のベアラは前記ネットワーク側デバイスと前記デュアルカードUEの前記第1のカードとの間のデータ通信路であり、前記第2のベアラは前記ネットワーク側デバイスと前記デュアルカードUEの前記第2のカードとの間のデータ通信路であり、ネットワーク側デバイスは、デュアルカードUEの第1のカードに対するサービスを提供する、第1のプロセッサと、
前記第1のベアラを使用することによって前記第2のデータを前記デュアルカードUEに送信し、前記第2のベアラを使用することによって前記第3のデータを前記デュアルカードUEに送信し、これにより、前記デュアルカードUEが前記第2のデータと前記第3のデータとを前記第1のデータに組み合わせるように構成された第1の送信機とを備えるネットワーク側デバイス。
【請求項２４】
前記第1の受信機は、HSSから、前記デュアルカードUEの前記第1のカードの加入情報を受信するようにさらに構成され、
前記第1のプロセッサは、前記デュアルカードUEの前記第1のカードの前記加入情報内の前記関連付け情報を取得するように特に構成されるか、
または
前記第1の受信機は、前記デュアルカードUEの前記第1のカードからアクセス要求を受信するようにさらに構成され、前記アクセス要求は前記関連付け情報を運び、
前記第1のプロセッサは、前記アクセス要求に従って前記関連付け情報を取得するように特に構成される請求項23に記載のネットワーク側デバイス。
【請求項２５】
前記第1のプロセッサは、前記関連付け情報を取得するように特に構成され、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む請求項23または24に記載のネットワーク側デバイス。
【請求項２６】
前記第1のプロセッサは、前記第1のデータを前記第2のデータと前記第3のデータとに分割することを、前記第1のベアラの負荷、前記第1のベアラのデータ伝送効率、前記第2のベアラの負荷、および前記第2のベアラのデータ伝送効率のうちの少なくとも1つに従って行うように特に構成される請求項25に記載のネットワーク側デバイス。
【請求項２７】
前記ネットワーク側デバイスは、アンカーゲートウェイを備え、前記アンカーゲートウェイは、PGWまたはGGSNを備え、
前記第1のプロセッサは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得し、前記デュアルカードUEの前記第2のカードの前記IPアドレスに従って前記第2のベアラを確立するように特に構成される請求項25または26に記載のネットワーク側デバイス。
【請求項２８】
前記第1のプロセッサによって、分割することにより得られる前記第2のデータおよび前記第3のデータは、前記デュアルカードUEの前記第1のカードのIPアドレスを運び、
前記第1のプロセッサは、前記デュアルカードUEの前記第2のカードの前記IPアドレスを前記第3のデータに追加するようにさらに構成され、
前記第1の送信機は、前記デュアルカードUEの前記第1のカードの前記IPアドレスに従って、前記第1のベアラを使用することによって前記第2のデータを前記デュアルカードUEに送信し、前記第2のベアラを使用することによって前記第3のデータを前記デュアルカードUEに送信するように特に構成される請求項27に記載のネットワーク側デバイス。
【請求項２９】
前記第1のプロセッサは、トンネリング技術に従って前記デュアルカードUEの前記第2のカードの前記IPアドレスを前記第3のデータに追加するように特に構成され、前記トンネリング技術は、IP in IPカプセル化、GRE、およびIPSecを含む請求項28に記載のネットワーク側デバイス。
【請求項３０】
前記ネットワーク側デバイスは、コアネットワークエンティティを備え、前記コアネットワークエンティティは、SGWまたはSGSNを備え、
前記第1のプロセッサは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するように特に構成される請求項25または26に記載のネットワーク側デバイス。
【請求項３１】
前記第1の受信機は、前記デュアルカードUEからデタッチ要求を受信するようにさらに構成され、前記デタッチ要求は、前記デュアルカードUEの前記第2のカードがデタッチされることを必要としたときに前記デュアルカードUEによって送信され、
前記第1のプロセッサは、前記デタッチ要求に従って前記関連付け情報、または前記関連付け情報と前記第2のベアラとを削除するようにさらに構成される請求項23から30のいずれか一項に記載のネットワーク側デバイス。
【請求項３２】
デュアルカードUEであって、
アクセス要求を第1のネットワーク側デバイスに送信し、これにより、前記第1のネットワーク側デバイスが前記アクセス要求に従って第1のベアラを確立し、前記第1のネットワーク側デバイスが前記デュアルカードUEの第1のカードと前記デュアルカードUEの第2のカードとの間の関連付け情報を取得した後に、前記第1のネットワーク側デバイスが前記関連付け情報に従って第2のベアラを確立する、ように構成された第2の送信機であって、前記第1のネットワーク側デバイスは、前記デュアルカードUEの前記第1のカードに対するサービスを提供し、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの前記第2のカードとの間のデータ通信路である、第2の送信機と、
前記第1のネットワーク側デバイスから第2のデータと第3のデータとを受信するように構成された第2の受信機であって、
前記第2のデータは、前記第1のネットワーク側デバイスが送信されるべき第1のデータを前記第2のデータと前記第3のデータとに分割した後に前記第1のベアラを使用することにより前記第1のネットワーク側デバイスによって送信され、前記第3のデータは、前記第2のベアラを使用することにより前記第1のネットワーク側デバイスによって送信される、第2の受信機と、
前記第2のデータと前記第3のデータとを前記第1のデータに組み合わせるように構成された第2のプロセッサとを備えるデュアルカードUE。
【請求項３３】
前記第2の送信機は、デタッチ要求を前記第1のネットワーク側デバイスに送信するようにさらに構成され、これにより、前記第1のネットワーク側デバイスは前記デタッチ要求に従って前記関連付け情報、または前記関連付け情報と前記第2のベアラとを削除し、前記デタッチ要求は、前記デュアルカードUEの前記第2のカードがデタッチされることを必要としたときに前記デュアルカードUEによって送信される請求項32に記載のデュアルカードUE。
【請求項３４】
デュアルカードUEのための通信方法であって、
前記デュアルカードUEによって、アクセス要求を第1のネットワーク側デバイスに送信し、これにより、前記第1のネットワーク側デバイスが前記アクセス要求に従って第1のベアラを確立し、前記第1のネットワーク側デバイスが前記デュアルカードUEの第1のカードと前記デュアルカードUEの第2のカードとの間の関連付け情報を取得した後に、前記第1のネットワーク側デバイスが前記関連付け情報に従って第2のベアラを確立する、ステップであって、前記第1のネットワーク側デバイスは、前記デュアルカードUEの前記第1のカードに対するサービスを提供し、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの前記第2のカードとの間のデータ通信路である、ステップと、
前記デュアルカードUEによって、送信されるべき第1のデータを第2のデータと第3のデータとに分割するステップと、
前記デュアルカードUEによって、前記第1のベアラを使用することにより前記第2のデータを前記第1のネットワーク側デバイスに送信し、前記第2のベアラを使用することによって前記第3のデータを前記第1のネットワーク側デバイスに送信し、これにより、前記第1のネットワーク側デバイスが前記第2のデータと前記第3のデータとを前記第1のデータに組み合わせる、ステップとを含むデュアルカードUEのための通信方法。
【請求項３５】
前記デュアルカードUEによって、送信されるべき第1のデータを第2のデータと第3のデータとに分割する前記ステップは、
前記デュアルカードUEによって、前記第1のデータを前記第2のデータと前記第3のデータとに分割することを、前記第1のベアラの負荷、前記第1のベアラのデータ伝送効率、前記第2のベアラの負荷、および前記第2のベアラのデータ伝送効率のうちの少なくとも1つに従って行うステップを含む請求項34に記載のデュアルカードUEのための通信方法。
【請求項３６】
前記第1のネットワーク側デバイスは、アンカーゲートウェイを備え、前記アンカーゲートウェイは、PGWまたはGGSNを備え、前記第2のデータおよび前記第3のデータは、前記アンカーゲートウェイのIPアドレスを運び、前記アンカーゲートウェイの前記IPアドレスは、前記アンカーゲートウェイから前記デュアルカードUEによって取得され、
前記デュアルカードUEによって、前記第1のベアラを使用することにより前記第2のデータを前記第1のネットワーク側デバイスに送信し、前記第2のベアラを使用することにより前記第3のデータを前記第1のネットワーク側デバイスに送信する前記ステップは、
前記デュアルカードUEによって、前記アンカーゲートウェイの前記IPアドレスに従って、前記第1のベアラを使用することにより前記第2のデータを前記アンカーゲートウェイに送信し、前記デュアルカードUEの前記第2のカードのIPアドレスを前記第3のデータに追加し、前記第2のベアラを使用することによって前記第3のデータを前記アンカーゲートウェイに送信するステップであって、前記デュアルカードUEの前記第2のカードの前記IPアドレスは、前記関連付け情報に従って前記アンカーゲートウェイによって取得された後に前記デュアルカードUEに送信されるか、または前記デュアルカードUEによって、プリセットされたポリシーに従い前記デュアルカードUEの前記第2のカードから取得される、ステップを含む請求項34または35に記載のデュアルカードUEのための通信方法。
【請求項３７】
前記デュアルカードUEによって、前記デュアルカードUEの前記第2のカードの前記IPアドレスを前記第3のデータに追加する前記ステップは、特に、
トンネリング技術に従って、前記デュアルカードUEによって、前記デュアルカードUEの前記第2のカードの前記IPアドレスを前記第3のデータに追加するステップであって、前記トンネリング技術は、IP in IPカプセル化、GRE、およびIPSecを含む請求項36に記載のデュアルカードUEのための通信方法。
【請求項３８】
前記デュアルカードUEによって、アクセス要求を第1のネットワーク側デバイスに送信した後に、前記方法は、
前記デュアルカードUEによって、デタッチ要求を前記第1のネットワーク側デバイスに送信し、これにより、前記第1のネットワーク側デバイスは前記デタッチ要求に従って前記関連付け情報、または前記関連付け情報と前記第2のベアラとを削除する、ステップであって、前記デタッチ要求は、前記デュアルカードUEの前記第2のカードがデタッチされることを必要としたときに前記デュアルカードUEによって送信される、ステップをさらに含む請求項34から37のいずれか一項に記載のデュアルカードUEのための通信方法。
【請求項３９】
デュアルカードUEのための通信方法であって、
第1のネットワーク側デバイスによって、前記デュアルカードUEからアクセス要求を受信し、前記アクセス要求に従って第1のベアラを確立するステップであって、前記第1のネットワーク側デバイスは、前記デュアルカードUEの第1のカードに対するサービスを提供し、前記第1のベアラは前記第1のネットワーク側デバイスと前記デュアルカードUEの前記第1のカードとの間のデータ通信路である、ステップと、
前記第1のネットワーク側デバイスによって、前記デュアルカードUEの前記第1のカードと前記デュアルカードUEの第2のカードとの間の関連付け情報を取得するステップと、
前記第1のネットワーク側デバイスによって、前記関連付け情報に従って第2のベアラを確立するステップであって、前記第2のベアラは前記第1のネットワーク側デバイスと前記デュアルカードUEの前記第2のカードとの間のデータ通信路である、ステップと、
前記第1のネットワーク側デバイスによって、前記デュアルカードUEから第2のデータと第3のデータとを受信するステップであって、
前記第2のデータは、前記デュアルカードUEが送信されるべき第1のデータを前記第2のデータと前記第3のデータとに分割した後に前記第1のベアラを使用することにより前記デュアルカードUEによって送信され、前記第3のデータは、前記第2のベアラを使用することにより前記デュアルカードUEによって送信される、ステップと、
前記第1のネットワーク側デバイスによって、前記第2のデータと前記第3のデータとを前記第1のデータに組み合わせるステップとを含むデュアルカードUEのための通信方法。
【請求項４０】
前記第1のネットワーク側デバイスによって、前記デュアルカードUEの前記第1のカードと前記デュアルカードUEの第2のカードとの間の関連付け情報を取得する前記ステップは、
前記第1のネットワーク側デバイスによって、HSSから、前記デュアルカードUEの前記第1のカードの加入情報を受信するステップと、
前記第1のネットワーク側デバイスによって、前記デュアルカードUEの前記第1のカードの前記加入情報内の前記関連付け情報を取得するステップ、
または
前記第1のネットワーク側デバイスによって、前記デュアルカードUEの前記第1のカードからアクセス要求を受信するステップであって、前記アクセス要求は前記関連付け情報を運ぶ、ステップと、
前記第1のネットワーク側デバイスによって、前記アクセス要求に従って前記関連付け情報を取得するステップとを含む請求項39に記載のデュアルカードUEのための通信方法。
【請求項４１】
前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む請求項39または40に記載のデュアルカードUEのための通信方法。
【請求項４２】
前記第1のネットワーク側デバイスは、アンカーゲートウェイを備え、前記アンカーゲートウェイは、PGWまたはGGSNを備え、
前記第1のネットワーク側デバイスによって、前記関連付け情報に従って第2のベアラを確立する前記ステップは、特に、
前記アンカーゲートウェイによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得するステップと、
前記アンカーゲートウェイによって、前記デュアルカードUEの前記第2のカードの前記IPアドレスに従って前記第2のベアラを確立するステップとを含む請求項41に記載のデュアルカードUEのための通信方法。
【請求項４３】
前記第1のネットワーク側デバイスは、コアネットワークエンティティを備え、前記コアネットワークエンティティは、SGWまたはSGSNを備え、
前記第1のネットワーク側デバイスによって、前記関連付け情報に従って第2のベアラを確立する前記ステップは、特に、
前記コアネットワークエンティティによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するステップを含む請求項41に記載のデュアルカードUEのための通信方法。
【請求項４４】
第1のネットワーク側デバイスによって、前記デュアルカードUEからアクセス要求を受信する前記ステップの後に、前記方法は、
前記第1のネットワーク側デバイスによって、前記デュアルカードUEからデタッチ要求を受信するステップであって、前記デタッチ要求は、前記デュアルカードUEの前記第2のカードがデタッチされることを必要としたときに前記デュアルカードUEによって送信される、ステップと、
前記第1のネットワーク側デバイスによって、前記デタッチ要求に従って、前記関連付け情報、または前記関連付け情報と前記第2のベアラとを削除するステップとをさらに含む請求項39から43のいずれか一項に記載のデュアルカードUEのための通信方法。
【請求項４５】
デュアルカードUEであって、
アクセス要求を第1のネットワーク側デバイスに送信し、これにより、前記第1のネットワーク側デバイスが前記アクセス要求に従って第1のベアラを確立し、前記第1のネットワーク側デバイスが前記デュアルカードUEの第1のカードと前記デュアルカードUEの第2のカードとの間の関連付け情報を取得した後に、前記第1のネットワーク側デバイスが前記関連付け情報に従って第2のベアラを確立する、ように構成された第2の送信ユニットであって、前記第1のネットワーク側デバイスは、前記デュアルカードUEの前記第1のカードに対するサービスを提供し、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの前記第2のカードとの間のデータ通信路である、第2の送信ユニットと、
送信されるべき第1のデータを第2のデータと第3のデータとに分割するように構成された第2の処理ユニットであって、
前記第2の送信ユニットは、前記第1のベアラを使用することによって前記第2のデータを前記第1のネットワーク側デバイスに送信し、前記第2のベアラを使用することによって前記第3のデータを前記第1のネットワーク側デバイスに送信し、それにより、前記第1のネットワーク側デバイスが前記第2のデータと前記第3のデータとを前記第1のデータに組み合わせる、ようにさらに構成される、第2の処理ユニットとを備えるデュアルカードUE。
【請求項４６】
前記第2の処理ユニットは、前記第1のデータを前記第2のデータと前記第3のデータとに分割することを、前記第1のベアラの負荷、前記第1のベアラのデータ伝送効率、前記第2のベアラの負荷、および前記第2のベアラのデータ伝送効率のうちの少なくとも1つに従って行うように特に構成される請求項45に記載のデュアルカードUE。
【請求項４７】
前記第1のネットワーク側デバイスは、アンカーゲートウェイを備え、前記アンカーゲートウェイは、PGWまたはGGSNを備え、前記第2の処理ユニットによって、分割することにより得られる前記第2のデータおよび前記第3のデータは、前記アンカーゲートウェイのIPアドレスを運び、前記アンカーゲートウェイの前記IPアドレスは、前記アンカーゲートウェイから前記デュアルカードUEによって取得され、
前記第2の処理ユニットは、前記デュアルカードUEの前記第2のカードのIPアドレスを前記第3のデータに追加するようにさらに構成され、前記デュアルカードUEの前記第2のカードの前記IPアドレスは、前記関連付け情報に従って前記アンカーゲートウェイによって取得された後に前記デュアルカードUEに送信されるか、または前記デュアルカードUEによって、プリセットされたポリシーに従い前記デュアルカードUEの前記第2のカードから取得され、
前記第2の送信ユニットは、前記アンカーゲートウェイの前記IPアドレスに従って、前記第1のベアラを使用することによって前記第2のデータを前記アンカーゲートウェイに送信し、前記第2のベアラを使用することによって前記第3のデータを前記アンカーゲートウェイに送信するように特に構成される請求項45または46に記載のデュアルカードUE。
【請求項４８】
前記第2の処理ユニットは、トンネリング技術に従って前記デュアルカードUEの前記第2のカードの前記IPアドレスを前記第3のデータに追加するように特に構成され、前記トンネリング技術は、IP in IPカプセル化、GRE、およびIPSecを含む請求項47に記載のデュアルカードUE。
【請求項４９】
前記第2の送信ユニットは、デタッチ要求を前記第1のネットワーク側デバイスに送信するようにさらに構成され、これにより、前記第1のネットワーク側デバイスは前記デタッチ要求に従って前記関連付け情報、または前記関連付け情報と前記第2のベアラとを削除し、前記デタッチ要求は、前記デュアルカードUEの前記第2のカードがデタッチされることを必要としたときに前記デュアルカードUEによって送信される請求項45から48のいずれか一項に記載のデュアルカードUE。
【請求項５０】
ネットワーク側デバイスであって、
デュアルカードUEからアクセス要求を受信するように構成された第1の受信ユニットと、
前記デュアルカードUEの第1のカードと前記デュアルカードUEの第2のカードとの間の関連付け情報を取得するように構成された第1の取得ユニットと、
前記アクセス要求に従って第1のベアラを確立し、前記関連付け情報に従って第2のベアラを確立するように構成された第1の確立ユニットであって、前記第1のベアラは前記ネットワーク側デバイスと前記デュアルカードUEの前記第1のカードとの間のデータ通信路であり、前記第2のベアラは前記ネットワーク側デバイスと前記デュアルカードUEの前記第2のカードとの間のデータ通信路であり、ネットワーク側デバイスは、デュアルカードUEの第1のカードに対するサービスを提供し、
前記第1の受信ユニットは、前記デュアルカードUEから第2のデータと第3のデータとを受信するようにさらに構成され、
前記第2のデータは、前記デュアルカードUEが送信されるべき第1のデータを前記第2のデータと前記第3のデータとに分割した後に前記第1のベアラを使用することにより前記デュアルカードUEによって送信され、前記第3のデータは、前記第2のベアラを使用することにより前記デュアルカードUEによって送信される、第1の確立ユニットと、
前記第2のデータと前記第3のデータとを前記第1のデータに組み合わせるように構成された第1の処理ユニットとを備えるネットワーク側デバイス。
【請求項５１】
前記第1の受信ユニットは、HSSから、前記デュアルカードUEの前記第1のカードの加入情報を受信するようにさらに構成され、
前記第1の取得ユニットは、前記デュアルカードUEの前記第1のカードの前記加入情報内の前記関連付け情報を取得するように特に構成されるか、
または
前記第1の受信ユニットは、前記デュアルカードUEの前記第1のカードからアクセス要求を受信するようにさらに構成され、前記アクセス要求は前記関連付け情報を運び、
前記第1の取得ユニットは、前記アクセス要求に従って前記関連付け情報を取得するように特に構成される請求項50に記載のネットワーク側デバイス。
【請求項５２】
前記第1の取得ユニットは、前記関連付け情報を取得するように特に構成され、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む請求項50または51に記載のネットワーク側デバイス。
【請求項５３】
前記ネットワーク側デバイスは、アンカーゲートウェイを備え、前記アンカーゲートウェイは、PGWまたはGGSNを備え、
前記第1の取得ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得するようにさらに構成され、
前記第1の確立ユニットは、前記デュアルカードUEの前記第2のカードの前記IPアドレスに従って前記第2のベアラを確立するように特に構成される請求項52に記載のネットワーク側デバイス。
【請求項５４】
前記ネットワーク側デバイスは、コアネットワークエンティティを備え、前記コアネットワークエンティティは、SGWまたはSGSNを備え、
前記第1の確立ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するように特に構成される請求項52に記載のネットワーク側デバイス。
【請求項５５】
前記第1の受信ユニットは、前記デュアルカードUEからデタッチ要求を受信するようにさらに構成され、前記デタッチ要求は、前記デュアルカードUEの前記第2のカードがデタッチされることを必要としたときに前記デュアルカードUEによって送信され、
前記第1の処理ユニットは、前記デタッチ要求に従って前記関連付け情報、または前記関連付け情報と前記第2のベアラとを削除するようにさらに構成される請求項50から54のいずれか一項に記載のネットワーク側デバイス。
【請求項５６】
デュアルカードUEであって、
アクセス要求を第1のネットワーク側デバイスに送信し、これにより、前記第1のネットワーク側デバイスが前記アクセス要求に従って第1のベアラを確立し、前記第1のネットワーク側デバイスが前記デュアルカードUEの第1のカードと前記デュアルカードUEの第2のカードとの間の関連付け情報を取得した後に、前記第1のネットワーク側デバイスが前記関連付け情報に従って第2のベアラを確立する、ように構成された第2の送信機であって、前記第1のネットワーク側デバイスは、前記デュアルカードUEの前記第1のカードに対するサービスを提供し、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの前記第2のカードとの間のデータ通信路である、第2の送信機と、
送信されるべき第1のデータを第2のデータと第3のデータとに分割するように構成された第2のプロセッサであって、
前記第2の送信機は、前記第1のベアラを使用することによって前記第2のデータを前記第1のネットワーク側デバイスに送信し、前記第2のベアラを使用することによって前記第3のデータを前記第1のネットワーク側デバイスに送信し、それにより、前記第1のネットワーク側デバイスが前記第2のデータと前記第3のデータとを前記第1のデータに組み合わせる、ようにさらに構成される、第2のプロセッサとを備えるデュアルカードUE。
【請求項５７】
前記第2のプロセッサは、前記第1のデータを前記第2のデータと前記第3のデータとに分割することを、前記第1のベアラの負荷、前記第1のベアラのデータ伝送効率、前記第2のベアラの負荷、および前記第2のベアラのデータ伝送効率のうちの少なくとも1つに従って行うように特に構成される請求項56に記載のデュアルカードUE。
【請求項５８】
前記第1のネットワーク側デバイスは、アンカーゲートウェイを備え、前記アンカーゲートウェイは、PGWまたはGGSNを備え、前記第2のプロセッサによって、分割することにより得られる前記第2のデータおよび前記第3のデータは、前記アンカーゲートウェイのIPアドレスを運び、前記アンカーゲートウェイの前記IPアドレスは、前記アンカーゲートウェイから前記デュアルカードUEによって取得され、
前記第2のプロセッサは、前記デュアルカードUEの前記第2のカードのIPアドレスを前記第3のデータに追加するようにさらに構成され、前記デュアルカードUEの前記第2のカードの前記IPアドレスは、前記関連付け情報に従って前記アンカーゲートウェイによって取得された後に前記デュアルカードUEに送信されるか、または前記デュアルカードUEによって、プリセットされたポリシーに従い前記デュアルカードUEの前記第2のカードから取得され、
前記第2の送信機は、前記アンカーゲートウェイの前記IPアドレスに従って、前記第1のベアラを使用することによって前記第2のデータを前記アンカーゲートウェイに送信し、前記第2のベアラを使用することによって前記第3のデータを前記アンカーゲートウェイに送信するように特に構成される請求項56または57に記載のデュアルカードUE。
【請求項５９】
前記第2のプロセッサは、トンネリング技術に従って前記デュアルカードUEの前記第2のカードの前記IPアドレスを前記第3のデータに追加するように特に構成され、前記トンネリング技術は、IP in IPカプセル化、GRE、およびIPSecを含む請求項58に記載のデュアルカードUE。
【請求項６０】
前記第2の送信機は、デタッチ要求を前記第1のネットワーク側デバイスに送信するようにさらに構成され、これにより、前記第1のネットワーク側デバイスは前記デタッチ要求に従って前記関連付け情報、または前記関連付け情報と前記第2のベアラとを削除し、前記デタッチ要求は、前記デュアルカードUEの前記第2のカードがデタッチされることを必要としたときに前記デュアルカードUEによって送信される請求項56から59のいずれか一項に記載のデュアルカードUE。
【請求項６１】
ネットワーク側デバイスであって、
デュアルカードUEからアクセス要求を受信するように構成された第1の受信機と、
前記デュアルカードUEの第1のカードと前記デュアルカードUEの第2のカードとの間の関連付け情報を取得し、前記アクセス要求に従って第1のベアラを確立し、前記関連付け情報に従って第2のベアラを確立するように構成された第1のプロセッサであって、前記第1のベアラは前記ネットワーク側デバイスと前記デュアルカードUEの前記第1のカードとの間のデータ通信路であり、前記第2のベアラは前記ネットワーク側デバイスと前記デュアルカードUEの前記第2のカードとの間のデータ通信路であり、ネットワーク側デバイスは、デュアルカードUEの第1のカードに対するサービスを提供し、
前記第1の受信機は、前記デュアルカードUEから第2のデータと第3のデータとを受信するようにさらに構成され、
前記第2のデータは、前記デュアルカードUEが送信されるべき第1のデータを前記第2のデータと前記第3のデータとに分割した後に前記第1のベアラを使用することにより前記デュアルカードUEによって送信され、前記第3のデータは、前記第2のベアラを使用することにより前記デュアルカードUEによって送信される、第1のプロセッサとを備え、
前記第1のプロセッサは、前記第2のデータと前記第3のデータとを前記第1のデータに組み合わせるようにさらに構成されるネットワーク側デバイス。
【請求項６２】
前記第1の受信機は、HSSから、前記デュアルカードUEの前記第1のカードの加入情報を受信するようにさらに構成され、
前記第1のプロセッサは、前記デュアルカードUEの前記第1のカードの前記加入情報内の前記関連付け情報を取得するように特に構成されるか、
または
前記第1の受信機は、前記デュアルカードUEの前記第1のカードからアクセス要求を受信するようにさらに構成され、前記アクセス要求は前記関連付け情報を運び、
前記第1のプロセッサは、前記アクセス要求に従って前記関連付け情報を取得するように特に構成される請求項61に記載のネットワーク側デバイス。
【請求項６３】
前記第1のプロセッサは、前記関連付け情報を取得するように特に構成され、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む請求項61または62に記載のネットワーク側デバイス。
【請求項６４】
前記ネットワーク側デバイスは、アンカーゲートウェイを備え、前記アンカーゲートウェイは、PGWまたはGGSNを備え、
前記第1のプロセッサは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得し、前記デュアルカードUEの前記第2のカードの前記IPアドレスに従って前記第2のベアラを確立するようにさらに構成される請求項63に記載のネットワーク側デバイス。
【請求項６５】
前記ネットワーク側デバイスは、コアネットワークエンティティを備え、前記コアネットワークエンティティは、SGWまたはSGSNを備え、
前記第1のプロセッサは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するように特に構成される請求項63に記載のネットワーク側デバイス。
【請求項６６】
前記第1の受信機は、前記デュアルカードUEからデタッチ要求を受信するようにさらに構成され、前記デタッチ要求は、前記デュアルカードUEの前記第2のカードがデタッチされることを必要としたときに前記デュアルカードUEによって送信され、
前記第1のプロセッサは、前記デタッチ要求に従って前記関連付け情報、または前記関連付け情報と前記第2のベアラとを削除するようにさらに構成される請求項61から65のいずれか一項に記載のネットワーク側デバイス。
【発明の詳細な説明】
【技術分野】
【０００１】
本発明は、通信分野に関し、特に、デュアルカードユーザ機器のための通信方法および装置に関する。
【背景技術】
【０００２】
ユーザの通信に対する要求条件が高まるのに合わせて、UMTS(Universal Mobile Telecommunications System、ユニバーサルモバイル通信システム)システム、SAE(System Architecture Evolution、システムアーキテクチャエボリューション)/LTE (Long Term Evolution、ロングタームエボリューション)システム、WiMAX(Worldwide Interoperability for Microwave Access、Worldwide Interoperability for Microwave Access)システム、およびCDMA(Code Division Multiple Access、符号分割多元接続)システムなどの、多くのセルラー通信システムが出現しその数は増大する一方である。
【０００３】
従来技術では、セルラー通信システムにおいて、UE(User Equipment、ユーザ機器)は、主に、シングルカード携帯電話およびデュアルカードデュアルスタンバイ携帯電話を含む。デュアルカードデュアルスタンバイ携帯電話は、デュアルカードデュアルスタンバイ携帯電話の動作原理に従ってデュアルカードデュアルスタンバイシングルパス携帯電話とデュアルカードデュアルスタンバイデュアルパス携帯電話とに分類され得る。「シングルパス」と「デュアルパス」との主な違いは、デュアルカードデュアルスタンバイ携帯電話の2枚のカードが同時通信を実行することができるかどうかにある。「デュアルパス」携帯電話については、携帯電話内の2枚のカードが異なるセルラー通信システムに別々に属している場合に、それら2枚のカードは、完全に独立しており、したがって、それら2枚のカードは、それぞれの通信手順に従って、通信を、すなわち、アップリンクデータおよびダウンリンクデータの送信を別々に実行し得る。
【０００４】
しかしながら、前述の手順を使用することによって、サービス送信効率は、比較的低いものとなる。
【発明の概要】
【課題を解決するための手段】
【０００５】
本発明の実施形態は、サービス送信効率を改善するために使用される、デュアルカードユーザ機器および装置のための通信方法を提供する。
【０００６】
前述の目的を達成するために、本発明の実施形態では、次の技術的解決方法が使用される。
【０００７】
第1の態様によれば、本発明の一実施形態は、
第1のネットワーク側デバイスによって、デュアルカードUEからアクセス要求を受信し、アクセス要求に従って第1のベアラを確立するステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路である、ステップと、
第1のネットワーク側デバイスによって、デュアルカードUEの第1のカードとデュアルカードUEの第2のカードとの間の関連付け情報を取得するステップと、
第1のネットワーク側デバイスによって、関連付け情報に従って第2のベアラを確立するステップであって、第2のベアラは第1のネットワーク側デバイスとデュアルカードUEの第2のカードとの間のデータ通信路である、ステップと、
第1のネットワーク側デバイスによって、送信されるべき第1のデータを第2のデータと第3のデータとに分割するステップと、
第1のネットワーク側デバイスによって、第1のベアラを使用することにより第2のデータをデュアルカードUEに送信し、第2のベアラを使用することにより第3のデータをデュアルカードUEに送信し、それにより、デュアルカードUEが第2のデータと第3のデータとを第1のデータに組み合わせるステップとを含む、デュアルカードユーザ機器UEのための通信方法を提供する。
【０００８】
第1の態様の第1の可能な実装方式において、第1のネットワーク側デバイスによって、デュアルカードUEの第1のカードとデュアルカードUEの第2のカードとの間の関連付け情報を取得するステップは、
第1のネットワーク側デバイスによって、ホーム加入者サーバHSSから、デュアルカードUEの第1のカードの加入情報を受信するステップと、
第1のネットワーク側デバイスによって、デュアルカードUEの第1のカードの加入情報内の関連付け情報を取得するステップ、
または
第1のネットワーク側デバイスによって、デュアルカードUEの第1のカードからアクセス要求を受信するステップであって、アクセス要求は関連付け情報を運ぶ、ステップと、
第1のネットワーク側デバイスによって、アクセス要求に従って関連付け情報を取得するステップとを含む。
【０００９】
前述の第1の態様、または第1の態様の第1の可能な実装方式に関して、第2の可能な実装方式において、
関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００１０】
第1の態様の第2の可能な実装方式に関して、第3の実装方式において、第1のネットワーク側デバイスによって、送信されるべき第1のデータを第2のデータと第3のデータとに分割するステップは、
第1のネットワーク側デバイスによって、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うステップを含む。
【００１１】
第1の態様の第2の可能な実装方式または第3の可能な実装方式に関して、第4の可能な実装方式において、第1のネットワーク側デバイスは、アンカーゲートウェイを備え、アンカーゲートウェイは、パケットデータネットワークゲートウェイPGWまたはゲートウェイ汎用パケット無線サービスサポートノードGGSNを含み、
第1のネットワーク側デバイスによって、関連付け情報に従って第2のベアラを確立するステップは、特に、
アンカーゲートウェイによって、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのインターネットプロトコルIPアドレスを取得するステップと、
アンカーゲートウェイによって、デュアルカードUEの第2のカードのIPアドレスに従って第2のベアラを確立するステップとを含む。
【００１２】
第1の態様の第4の可能な実装方式に関して、第5の可能な実装方式において、第2のデータおよび第3のデータは、デュアルカードUEの第1のカードのIPアドレスを運び、
第1のネットワーク側デバイスによって、第1のベアラを使用することにより第2のデータをデュアルカードUEに送信し、第2のベアラを使用することにより第3のデータをデュアルカードUEに送信するステップは、
アンカーゲートウェイによって、デュアルカードUEの第1のカードのIPアドレスに従って、第1のベアラを使用することにより第2のデータをデュアルカードUEに送信するステップと、デュアルカードUEの第2のカードのIPアドレスを第3のデータに追加するステップと、第2のベアラを使用することにより第3のデータをデュアルカードUEに送信するステップとを含む。
【００１３】
第1の態様の第5の可能な実装方式に関して、第6の可能な実装方式において、アンカーゲートウェイによって、デュアルカードUEの第2のカードのIPアドレスを第3のデータに追加するステップは、特に、
アンカーゲートウェイによって、トンネリング技術に従ってデュアルカードUEの第2のカードのIPアドレスを第3のデータに追加するステップであって、トンネリング技術は、IP in IPカプセル化、汎用ルーティングカプセル化GRE、およびIPセキュリティSecを含む。
【００１４】
第1の態様の第2の可能な実装方式または第3の可能な実装方式に関して、第7の可能な実装方式において、第1のネットワーク側デバイスは、コアネットワークエンティティを備え、コアネットワークエンティティは、サービングゲートウェイSGWまたはサービング汎用パケット無線サービスサポートノードSGSNを備え、
第1のネットワーク側デバイスによって、関連付け情報に従って第2のベアラを確立するステップは、特に、
コアネットワークエンティティによって、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するステップを含む。
【００１５】
前述の第1の態様または第1の態様の第1の可能な実装方式から第7の可能な実装方式までのうちの任意の実装方式に関して、第8の可能な実装方式において、第1のネットワーク側デバイスによって、デュアルカードUEからアクセス要求を受信した後に、方法は、
第1のネットワーク側デバイスによって、デュアルカードUEからデタッチ要求を受信するステップであって、デタッチ要求は、デュアルカードUEの第2のカードがデタッチされることを必要としたときにデュアルカードUEによって送信される、ステップと、
第1のネットワーク側デバイスによって、デタッチ要求に従って、関連付け情報、または関連付け情報と第2のベアラとを削除するステップとを含む。
【００１６】
第2の態様によれば、本発明の一実施形態は、デュアルカードUEのための通信方法をさらに提供し、この方法は
デュアルカードUEによって、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、ステップと、
デュアルカードUEによって、第1のネットワーク側デバイスから第2のデータと第3のデータとを受信するステップであって、
第2のデータは、第1のネットワーク側デバイスが送信されるべき第1のデータを第2のデータと第3のデータとに分割した後に第1のベアラを使用することによって第1のネットワーク側デバイスによって送信され、第3のデータは、第2のベアラを使用することによって第1のネットワーク側デバイスによって送信される、ステップと、
デュアルカードUEによって、第2のデータと第3のデータとを第1のデータに組み合わせるステップとを含む。
【００１７】
第2の態様の第1の可能な実装方式において、デュアルカードUEによって、アクセス要求を第1のネットワーク側デバイスに送信した後に、この方法は、
デュアルカードUEによって、デタッチ要求を第1のネットワーク側デバイスに送信し、これにより、第1のネットワーク側デバイスはデタッチ要求に従って関連付け情報、または関連付け情報と第2のベアラとを削除する、ステップであって、デタッチ要求は、デュアルカードUEの第2のカードがデタッチされることを必要としたときにデュアルカードUEによって送信される、ステップをさらに含む。
【００１８】
第3の態様によれば、本発明の一実施形態は、ネットワーク側デバイスを実現し、これは
デュアルカードUEからアクセス要求を受信するように構成された第1の受信ユニットと、
デュアルカードUEの第1のカードとデュアルカードUEの第2のカードとの間の関連付け情報を取得するように構成された第1の取得ユニットと、
アクセス要求に従って第1のベアラを確立し、関連付け情報に従って第2のベアラを確立するように構成された第1の確立ユニットであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供する、第1の確立ユニットと、
送信されるべき第1のデータを第2のデータと第3のデータとに分割するように構成された第1の処理ユニットと、
第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成された第1の送信ユニットとを備える。
【００１９】
第3の態様の第1の可能な実装方式において、
第1の受信ユニットは、HSSから、デュアルカードUEの第1のカードの加入情報を受信するようにさらに構成され、
第1の取得ユニットは、デュアルカードUEの第1のカードの加入情報内の関連付け情報を取得するように特に構成されるか、
または
第1の受信ユニットは、デュアルカードUEの第1のカードからアクセス要求を受信するようにさらに構成され、アクセス要求は関連付け情報を運び、
第1の取得ユニットは、アクセス要求に従って関連付け情報を取得するように特に構成される。
【００２０】
前述の第3の態様、または第3の態様の第1の可能な実装方式に関して、第2の可能な実装方式において、
第1の取得ユニットは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００２１】
第3の態様の第2の可能な実装方式に関して、第3の実装方式において、
第1の処理ユニットは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００２２】
第3の態様の第2の可能な実装方式または第3の可能な実装方式に関して、第4の可能な実装方式において、ネットワーク側デバイスは、アンカーゲートウェイを備え、アンカーゲートウェイは、PGWまたはGGSNを備え、
第1の取得ユニットは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するようにさらに構成され、
第1の確立ユニットは、デュアルカードUEの第2のカードのIPアドレスに従って第2のベアラを確立するように特に構成される。
【００２３】
第3の態様の第4の可能な実装方式に関して、第5の可能な実装方式において、第1の処理ユニットによって、分割することにより得られる第2のデータおよび第3のデータは、デュアルカードUEの第1のカードのIPアドレスを運び、
第1の処理ユニットは、デュアルカードUEの第2のカードのIPアドレスを第3のデータに追加するようにさらに構成され、
第1の送信ユニットは、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【００２４】
第3の態様の第5の可能な実装方式に関して、第6の可能な実装方式において、
第1の処理ユニットは、トンネリング技術に従ってデュアルカードUEの第2のカードのIPアドレスを第3のデータに追加するように特に構成され、トンネリング技術は、IP in IPカプセル化、GRE、およびIPSecを含む。
【００２５】
第3の態様の第2の可能な実装方式または第3の可能な実装方式に関して、第7の可能な実装方式において、ネットワーク側デバイスは、コアネットワークエンティティを備え、コアネットワークエンティティは、SGWまたはSGSNを備え、
第1の確立ユニットは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００２６】
前述の第1の態様または第1の態様の第1の可能な実装方式から第7の可能な実装方式までのうちの任意の実装方式に関して、第8の可能な実装方式において、
第1の受信ユニットは、デュアルカードUEからデタッチ要求を受信するようにさらに構成され、デタッチ要求は、デュアルカードUEの第2のカードがデタッチされることを必要としたときにデュアルカードUEによって送信され、
第1の処理ユニットは、デタッチ要求に従って関連付け情報、または関連付け情報と第2のベアラとを削除するようにさらに構成される。
【００２７】
第4の態様によれば、本発明の一実施形態は、デュアルカードUEを備え、これは
アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、第2の送信ユニットであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニットと、
第1のネットワーク側デバイスから第2のデータと第3のデータとを受信するように構成された第2の受信ユニットであって、
第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される、第2の受信ユニットと、
第2のデータと第3のデータとを第1のデータに組み合わせるように構成された第2の処理ユニットとを備える。
【００２８】
第4の態様の第1の可能な実装方式において、
第2の送信ユニットは、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００２９】
第5の態様によれば、本発明の一実施形態は、ネットワーク側デバイスを備え、これは
デュアルカードUEからアクセス要求を受信するように構成された第1の受信機と、
デュアルカードUEの第1のカードとデュアルカードUEの第2のカードとの間の関連付け情報を取得し、アクセス要求に従って第1のベアラを確立し、関連付け情報に従って第2のベアラを確立し、送信されるべき第1のデータを第2のデータと第3のデータとに分割するように構成された第1のプロセッサであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供する、第1のプロセッサと、
第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成された第1の送信機とを備える。
【００３０】
第5の態様の第1の可能な実装方式において、
第1の受信機は、HSSから、デュアルカードUEの第1のカードの加入情報を受信するようにさらに構成され、
第1のプロセッサは、デュアルカードUEの第1のカードの加入情報内の関連付け情報を取得するように特に構成されるか、
または
第1の受信機は、デュアルカードUEの第1のカードからアクセス要求を受信するようにさらに構成され、アクセス要求は関連付け情報を運び、
第1のプロセッサは、アクセス要求に従って関連付け情報を取得するように特に構成される。
【００３１】
前述の第5の態様、または第5の態様の第1の可能な実装方式に関して、第2の可能な実装方式において、
第1のプロセッサは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００３２】
第5の態様の第2の可能な実装方式に関して、第3の可能な実装方式において、
第1のプロセッサは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００３３】
第5の態様の第2の可能な実装方式または第3の可能な実装方式に関して、第4の可能な実装方式において、ネットワーク側デバイスは、アンカーゲートウェイを備え、アンカーゲートウェイは、PGWまたはGGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、デュアルカードUEの第2のカードのIPアドレスに従って第2のベアラを確立するように特に構成される。
【００３４】
第5の態様の第4の可能な実装方式に関して、第5の可能な実装方式において、第1のプロセッサによって、分割することにより得られる第2のデータおよび第3のデータは、デュアルカードUEの第1のカードのIPアドレスを運び、
第1のプロセッサは、デュアルカードUEの第2のカードのIPアドレスを第3のデータに追加するようにさらに構成され、
第1の送信機は、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【００３５】
第5の態様の第5の可能な実装方式に関して、第6の可能な実装方式において、
第1のプロセッサは、トンネリング技術に従ってデュアルカードUEの第2のカードのIPアドレスを第3のデータに追加するように特に構成され、トンネリング技術は、IP in IPカプセル化、GRE、およびIPSecを含む。
【００３６】
第5の態様の第2の可能な実装方式または第3の可能な実装方式に関して、第7の可能な実装方式において、ネットワーク側デバイスは、コアネットワークエンティティを備え、コアネットワークエンティティは、SGWまたはSGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００３７】
前述の第5の態様または第5の態様の第1の可能な実装方式から第7の可能な実装方式までのうちの任意の実装方式に関して、第8の可能な実装方式において、
第1の受信機は、デュアルカードUEからデタッチ要求を受信するようにさらに構成され、デタッチ要求は、デュアルカードUEの第2のカードがデタッチされることを必要としたときにデュアルカードUEによって送信され、
第1のプロセッサは、デタッチ要求に従って関連付け情報、または関連付け情報と第2のベアラとを削除するようにさらに構成される。
【００３８】
第6の態様によれば、本発明の一実施形態は、デュアルカードUEをさらに備え、これは
アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、第2の送信機であって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信機と、
第1のネットワーク側デバイスから第2のデータと第3のデータとを受信するように構成された第2の受信機であって、
第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される、第2の受信機と、
第2のデータと第3のデータとを第1のデータに組み合わせるように構成された第2のプロセッサとを備える。
【００３９】
第6の態様の第1の可能な実装方式において、
第2の送信機は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００４０】
本発明の実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することにより第2のデータをデュアルカードUEに送信し、第2のベアラを使用することにより第3のデータをデュアルカードUEに送信し、これにより、デュアルカードUEは、第2のデータと第3のデータとを第1のデータに組み合わせる。この解決方法によれば、ネットワーク側デバイスは、送信されるべきデータを分割した後に、デュアルカードUEの2枚のカードのベアラを別々に使用することによって、分割されたデータを同時に配信することができ、したがって、サービス送信効率は、改善され得る。
【００４１】
第7の態様によれば、本発明の一実施形態は、デュアルカードUEのための別の通信方法を提供し、これは
デュアルカードUEによって、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、ステップと、
デュアルカードUEによって、送信されるべき第1のデータを第2のデータと第3のデータとに分割するステップと、
デュアルカードUEによって、第1のベアラを使用することにより第2のデータを第1のネットワーク側デバイスに送信し、第2のベアラを使用することによって、第3のデータを第1のネットワーク側デバイスに送信し、これにより、第1のネットワーク側デバイスは、第2のデータと第3のデータとを第1のデータに組み合わせる、ステップとを含む。
【００４２】
第7の態様の第1の可能な実装方式において、デュアルカードUEによって、送信されるべき第1のデータを第2のデータと第3のデータとに分割するステップは、
デュアルカードUEによって、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うステップを含む。
【００４３】
前述の第7の態様、または第7の態様の第1の可能な実装方式に関して、第2の可能な実装方式において、第1のネットワーク側デバイスは、アンカーゲートウェイを備え、アンカーゲートウェイは、PGWまたはGGSNを備え、第2のデータおよび第3のデータは、アンカーゲートウェイのIPアドレスを運び、アンカーゲートウェイのIPアドレスは、アンカーゲートウェイからデュアルカードUEによって取得され、
デュアルカードUEによって、第1のベアラを使用することにより第2のデータを第1のネットワーク側デバイスに送信し、第2のベアラを使用することによって、第3のデータを第1のネットワーク側デバイスに送信しるステップは、
デュアルカードUEによって、アンカーゲートウェイのIPアドレスに従って、第1のベアラを使用することにより第2のデータをアンカーゲートウェイに送信し、デュアルカードUEの第2のカードのIPアドレスを第3のデータに追加し、第2のベアラを使用することによって第3のデータをアンカーゲートウェイに送信するステップであって、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得される、ステップを含む。
【００４４】
第7の態様の第2の可能な実装方式に関して、第3の可能な実装方式において、デュアルカードUEによって、デュアルカードUEの第2のカードのIPアドレスを第3のデータに追加するステップは、特に、
トンネリング技術に従って、デュアルカードUEによって、デュアルカードUEの第2のカードのIPアドレスを第3のデータに追加するステップであって、トンネリング技術は、IP in IPカプセル化、GRE、およびIPSecを含む、ステップを含む。
【００４５】
前述の第7の態様または第7の態様の第1の可能な実装方式から第3の可能な実装方式までのうちの任意の実装方式に関して、第4の可能な実装方式において、デュアルカードUEによって、アクセス要求を第1のネットワーク側デバイスに送信した後に、この方法は、
デュアルカードUEによって、デタッチ要求を第1のネットワーク側デバイスに送信し、これにより、第1のネットワーク側デバイスはデタッチ要求に従って関連付け情報、または関連付け情報と第2のベアラとを削除する、ステップであって、デタッチ要求は、デュアルカードUEの第2のカードがデタッチされることを必要としたときにデュアルカードUEによって送信される、ステップを含む。
【００４６】
第8の態様によれば、本発明の一実施形態は、デュアルカードUEのための別の通信方法をさらに提供し、これは
第1のネットワーク側デバイスによって、デュアルカードUEからアクセス要求を受信し、アクセス要求に従って第1のベアラを確立するステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路である、ステップと、
第1のネットワーク側デバイスによって、デュアルカードUEの第1のカードとデュアルカードUEの第2のカードとの間の関連付け情報を取得するステップと、
第1のネットワーク側デバイスによって、関連付け情報に従って第2のベアラを確立するステップであって、第2のベアラは第1のネットワーク側デバイスとデュアルカードUEの第2のカードとの間のデータ通信路である、ステップと、
第1のネットワーク側デバイスによって、デュアルカードUEから第2のデータと第3のデータとを受信するステップであって、
第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される、ステップと、
第1のネットワーク側デバイスによって、第2のデータと第3のデータとを第1のデータに組み合わせるステップとを含む。
【００４７】
第8の態様の第1の可能な実装方式において、第1のネットワーク側デバイスによって、デュアルカードUEの第1のカードとデュアルカードUEの第2のカードとの間の関連付け情報を取得するステップは、
第1のネットワーク側デバイスによって、HSSから、デュアルカードUEの第1のカードの加入情報を受信するステップと、
第1のネットワーク側デバイスによって、デュアルカードUEの第1のカードの加入情報内の関連付け情報を取得するステップ、
または
第1のネットワーク側デバイスによって、デュアルカードUEの第1のカードからアクセス要求を受信するステップであって、アクセス要求は関連付け情報を運ぶ、ステップと、
第1のネットワーク側デバイスによって、アクセス要求に従って関連付け情報を取得するステップとを含む。
【００４８】
前述の第8の態様、または第8の態様の第1の可能な実装方式に関して、第2の可能な実装方式において、
関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００４９】
第8の態様の第2の可能な実装方式に関して、第3の可能な実装方式において、第1のネットワーク側デバイスは、アンカーゲートウェイを備え、アンカーゲートウェイは、PGWまたはGGSNを備え、
第1のネットワーク側デバイスによって、関連付け情報に従って第2のベアラを確立するステップは、特に、
アンカーゲートウェイによって、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するステップと、
アンカーゲートウェイによって、デュアルカードUEの第2のカードのIPアドレスに従って第2のベアラを確立するステップとを含む。
【００５０】
第8の態様の第2の可能な実装方式に関して、第4の可能な実装方式において、第1のネットワーク側デバイスは、コアネットワークエンティティを備え、コアネットワークエンティティは、SGWまたはSGSNを備え、
第1のネットワーク側デバイスによって、関連付け情報に従って第2のベアラを確立するステップは、特に、
コアネットワークエンティティによって、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するステップを含む。
【００５１】
前述の第8の態様または第8の態様の第1の可能な実装方式から第4の可能な実装方式までのうちの任意の実装方式に関して、第5の可能な実装方式において、第1のネットワーク側デバイスによって、デュアルカードUEからアクセス要求を受信した後に、方法は、
第1のネットワーク側デバイスによって、デュアルカードUEからデタッチ要求を受信するステップであって、デタッチ要求は、デュアルカードUEの第2のカードがデタッチされることを必要としたときにデュアルカードUEによって送信される、ステップと、
第1のネットワーク側デバイスによって、デタッチ要求に従って、関連付け情報、または関連付け情報と第2のベアラとを削除するステップとをさらに含む。
【００５２】
第9の態様によれば、本発明の一実施形態は、デュアルカードUEを備え、これは
アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ように構成された第2の送信ユニットであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニットと、
送信されるべき第1のデータを第2のデータと第3のデータとに分割するように構成された第2の処理ユニットであって、
第2の送信ユニットは、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される、第2の処理ユニットとを備える。
【００５３】
第9の態様の第1の可能な実装方式において、
第2の処理ユニットは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００５４】
前述の第9の態様、または第9の態様の第1の可能な実装方式に関して、第2の可能な実装方式において、第1のネットワーク側デバイスは、アンカーゲートウェイを備え、アンカーゲートウェイは、PGWまたはGGSNを備え、第2の処理ユニットによって、分割することにより得られる第2のデータおよび第3のデータは、アンカーゲートウェイのIPアドレスを運び、アンカーゲートウェイのIPアドレスは、アンカーゲートウェイからデュアルカードUEによって取得され、
第2の処理ユニットは、デュアルカードUEの第2のカードのIPアドレスを第3のデータに追加するようにさらに構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、
第2の送信ユニットは、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【００５５】
第9の態様の第2の可能な実装方式に関して、第3の可能な実装方式において、
第2の処理ユニットは、トンネリング技術に従ってデュアルカードUEの第2のカードのIPアドレスを第3のデータに追加するように特に構成され、トンネリング技術は、IP in IPカプセル化、GRE、およびIPSecを含む。
【００５６】
前述の第9の態様または第9の態様の第1の可能な実装方式から第3の可能な実装方式までのうち任意の実装方式に関して、第4の可能な実装方式において、
第2の送信ユニットは、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００５７】
第10の態様によれば、本発明の一実施形態は、ネットワーク側デバイスを備え、これは
デュアルカードUEからアクセス要求を受信するように構成された第1の受信ユニットと、
デュアルカードUEの第1のカードとデュアルカードUEの第2のカードとの間の関連付け情報を取得するように構成された第1の取得ユニットと、
アクセス要求に従って第1のベアラを確立し、関連付け情報に従って第2のベアラを確立するように構成された第1の確立ユニットであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、
第1の受信ユニットは、デュアルカードUEから第2のデータと第3のデータとを受信するようにさらに構成され、
第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される、第1の確立ユニットと、
第2のデータと第3のデータとを第1のデータに組み合わせるように構成された第1の処理ユニットとを備える。
【００５８】
第10の態様の第1の可能な実装方式において、
第1の受信ユニットは、HSSから、デュアルカードUEの第1のカードの加入情報を受信するようにさらに構成され、
第1の取得ユニットは、デュアルカードUEの第1のカードの加入情報内の関連付け情報を取得するように特に構成されるか、
または
第1の受信ユニットは、デュアルカードUEの第1のカードからアクセス要求を受信するようにさらに構成され、アクセス要求は関連付け情報を運び、
第1の取得ユニットは、アクセス要求に従って関連付け情報を取得するように特に構成される。
【００５９】
前述の第10の態様、または第10の態様の第1の可能な実装方式に関して、第2の可能な実装方式において、
第1の取得ユニットは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００６０】
第10の態様の第2の可能な実装方式に関して、第3の可能な実装方式において、ネットワーク側デバイスは、アンカーゲートウェイを備え、アンカーゲートウェイは、PGWまたはGGSNを備え、
第1の取得ユニットは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するようにさらに構成され、
第1の確立ユニットは、デュアルカードUEの第2のカードのIPアドレスに従って第2のベアラを確立するように特に構成される。
【００６１】
第10の態様の第2の可能な実装方式に関して、第4の可能な実装方式において、ネットワーク側デバイスは、コアネットワークエンティティを備え、コアネットワークエンティティは、SGWまたはSGSNを備え、
第1の確立ユニットは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００６２】
前述の第10の態様または第10の態様の第1の可能な実装方式から第4の可能な実装方式までのうちの任意の実装方式に関して、第5の可能な実装方式において、
第1の受信ユニットは、デュアルカードUEからデタッチ要求を受信するようにさらに構成され、デタッチ要求は、デュアルカードUEの第2のカードがデタッチされることを必要としたときにデュアルカードUEによって送信され、
第1の処理ユニットは、デタッチ要求に従って関連付け情報、または関連付け情報と第2のベアラとを削除するようにさらに構成される。
【００６３】
第11の態様によれば、本発明の一実施形態は、デュアルカードUEをさらに備え、これは
アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ように構成された第2の送信機であって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信機と、
送信されるべき第1のデータを第2のデータと第3のデータとに分割するように構成された第2のプロセッサであって、
第2の送信機は、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される、第2のプロセッサとを備える。
【００６４】
第11の態様の第1の可能な実装方式において、
第2のプロセッサは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００６５】
前述の第11の態様、または第11の態様の第1の可能な実装方式に関して、第2の可能な実装方式において、第1のネットワーク側デバイスは、アンカーゲートウェイを備え、アンカーゲートウェイは、PGWまたはGGSNを備え、第2のプロセッサによって、分割することにより得られる第2のデータおよび第3のデータは、アンカーゲートウェイのIPアドレスを運び、アンカーゲートウェイのIPアドレスは、アンカーゲートウェイからデュアルカードUEによって取得され、
第2のプロセッサは、デュアルカードUEの第2のカードのIPアドレスを第3のデータに追加するようにさらに構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、
第2の送信機は、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【００６６】
第11の態様の第2の可能な実装方式に関して、第3の可能な実装方式において、
第2のプロセッサは、トンネリング技術に従ってデュアルカードUEの第2のカードのIPアドレスを第3のデータに追加するように特に構成され、トンネリング技術は、IP in IPカプセル化、GRE、およびIPSecを含む。
【００６７】
前述の第11の態様または第11の態様の第1の可能な実装方式から第3の可能な実装方式までのうち任意の実装方式に関して、第4の可能な実装方式において、
第2の送信機は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００６８】
第12の態様によれば、本発明の一実施形態は、ネットワーク側デバイスを備え、これは
デュアルカードUEからアクセス要求を受信するように構成された第1の受信機と、
デュアルカードUEの第1のカードとデュアルカードUEの第2のカードとの間の関連付け情報を取得するように構成され、またアクセス要求に従って第1のベアラを確立し、関連付け情報に従って第2のベアラを確立するように構成された、第1のプロセッサであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、
第1の受信機は、デュアルカードUEから第2のデータと第3のデータとを受信するようにさらに構成され、
第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される、第1のプロセッサとを備え、
第1のプロセッサは、第2のデータと第3のデータとを第1のデータに組み合わせるようにさらに構成される。
【００６９】
第12の態様の第1の可能な実装方式において、
第1の受信機は、HSSから、デュアルカードUEの第1のカードの加入情報を受信するようにさらに構成され、
第1のプロセッサは、デュアルカードUEの第1のカードの加入情報内の関連付け情報を取得するように特に構成されるか、
または
第1の受信機は、デュアルカードUEの第1のカードからアクセス要求を受信するようにさらに構成され、アクセス要求は関連付け情報を運び、
第1のプロセッサは、アクセス要求に従って関連付け情報を取得するように特に構成される。
【００７０】
前述の第12の態様、または第12の態様の第1の可能な実装方式に関して、第2の可能な実装方式において、
第1のプロセッサは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００７１】
第12の態様の第2の可能な実装方式に関して、第3の可能な実装方式において、ネットワーク側デバイスは、アンカーゲートウェイを備え、アンカーゲートウェイは、PGWまたはGGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、デュアルカードUEの第2のカードのIPアドレスに従って第2のベアラを確立するように特に構成される。
【００７２】
第12の態様の第2の可能な実装方式に関して、第4の可能な実装方式において、ネットワーク側デバイスは、コアネットワークエンティティを備え、コアネットワークエンティティは、SGWまたはSGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００７３】
前述の第12の態様または第12の態様の第1の可能な実装方式から第4の可能な実装方式までのうちの任意の実装方式に関して、第5の可能な実装方式において、
第1の受信機は、デュアルカードUEからデタッチ要求を受信するようにさらに構成され、デタッチ要求は、デュアルカードUEの第2のカードがデタッチされることを必要としたときにデュアルカードUEによって送信され、
第1のプロセッサは、デタッチ要求に従って関連付け情報、または関連付け情報と第2のベアラとを削除するようにさらに構成される。
【００７４】
本発明の実施形態において用意されるデュアルカードUEのための通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することにより第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる。この解決方法によれば、デュアルカードUEは、送信されるべきデータを分割した後に、デュアルカードUEの2枚のカードのベアラを別々に使用することによって同時に、分割されたデータを同時に送信することができ、したがって、サービス送信効率は、改善され得る。
【００７５】
本発明の実施形態または従来技術における技術的解決方法をより明確に説明するために、以下において、実施形態または従来技術の説明に必要な添付図面を簡単に紹介する。明らかに、以下の説明の添付図面は、本発明のいくつかの実施形態を示しているにすぎず、当業者であれば、創造的労力を費やすことなくこれらの添付図面から他の図面を導き出すことができる。
【図面の簡単な説明】
【００７６】
【図１】本発明の一実施形態によるデュアルカードUEのための通信方法の第1の流れ図である。
【図２】本発明の一実施形態によるデュアルカードUEのための通信方法の第2の流れ図である。
【図３】本発明の一実施形態によるデュアルカードUEのための別の通信方法の第1の流れ図である。
【図４】本発明の一実施形態によるデュアルカードUEのための別の通信方法の第2の流れ図である。
【図５】本発明の一実施形態によるデュアルカードUEのための通信方法の第3の流れ図である。
【図６】本発明の一実施形態によるデュアルカードUEのための通信方法の第4の流れ図である。
【図７】本発明の一実施形態によるデュアルカードUEのための通信方法の第5の流れ図である。
【図８】本発明の一実施形態によるデュアルカードUEのための通信方法の第6の流れ図である。
【図９】本発明の一実施形態によるデュアルカードUEのための別の通信方法の第3の流れ図である。
【図１０】本発明の一実施形態によるデュアルカードUEのための別の通信方法の第4の流れ図である。
【図１１】本発明の一実施形態によるデュアルカードUEのための別の通信方法の第5の流れ図である。
【図１２】本発明の一実施形態によるデュアルカードUEのための別の通信方法の第6の流れ図である。
【図１３】本発明の一実施形態によるデュアルカードUEのための通信方法の第7の流れ図である。
【図１４】本発明の一実施形態によるデュアルカードUEのための通信方法の第8の流れ図である。
【図１５】本発明の一実施形態によるデュアルカードUEのための別の通信方法の第7の流れ図である。
【図１６】本発明の一実施形態によるデュアルカードUEのための別の通信方法の第8の流れ図である。
【図１７】本発明の一実施形態によるネットワーク側デバイスの第1の概略構造図である。
【図１８】本発明の一実施形態によるデュアルカードUEの第1の概略構造図である。
【図１９】本発明の一実施形態によるデュアルカードUEの第2の概略構造図である。
【図２０】本発明の一実施形態によるネットワーク側デバイスの第2の概略構造図である。
【図２１】本発明の一実施形態によるネットワーク側デバイスの第3の概略構造図である。
【図２２】本発明の一実施形態によるデュアルカードUEの第3の概略構造図である。
【発明を実施するための形態】
【００７７】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。すべての実施形態の特徴は、それらが相互に排他的でない場合に組み合わされ得る。
【００７８】
従来技術では、シングルカード携帯電話がネットワークにアクセスするときに、位置更新/登録手順においてシングルカード携帯電話によって引き起こされるシグナリングオーバーヘッドを低減するために、ISR(Idle State Signalling Reduction、アイドル状態シグナリング削減)手順がアクティブ化され得る。例えば、シングルカード携帯電話が2G(second-generation、第2世代移動体通信技術規格の略)/3G(3rd-generation、第3世代移動体通信技術の略)ネットワークまたはSAEネットワークに登録した後、シングルカード携帯電話が、2G/3GネットワークからSAEネットワークに移動するか、またはSAEネットワークから2G/3Gネットワークに移動するときに、シングルカード携帯電話は、それら2つのネットワークの両方に登録する必要があり、その後、シングルカード携帯電話が、それら2つのネットワークに対応する登録エリアRA(Routing Area、ルーティングエリア)/TA (Tracking Area、トラッキングエリア)の間で移動するときに、シングルカード携帯電話は、再び登録する必要はない。好ましくは、そのようなISRアクティブ化(ISR activation)において、ネットワークにおいてシングルカード携帯電話をページングする必要がある場合、ネットワークにおいてシングルカード携帯電話が登録しているすべてのRA/TAエリア内でページングすることを必要とする。
【００７９】
本明細書において説明されているさまざまな技術は、さまざまなワイヤレス通信システムにおいて使用され、例えば、グローバル移動体通信システム(GSM(登録商標)、Global System for Mobile Communications)、符号分割多元接続(CDMA、Code Division Multiple Access)システム、時分割多元接続(TDMA、Time Division Multiple Access)システム、広帯域符号分割多元接続(WCDMA(登録商標)、Wideband Code Division Multiple Access)システム、周波数分割多元接続(FDMA、Frequency Division Multiple Addressing)システム、OFDMA(Orthogonal Frequency-Division Multiple Access、Orthogonal Frequency-Division Multiple Access)システム、シングルキャリア周波数分割多元接続(SC-FDMA、Single Carrier Frequency Division Multiple Addressing)システム、汎用パケット無線サービス、汎用パケット無線サービス(GPRS、General Packet Radio Service、汎用パケット無線サービス)システム、ロングタームエボリューション(LTE、Long Term Evolution)システム、および他のそのような通信システムなどの現行の2Gおよび3G通信システムおよび次世代通信システムにおいて使用され得る。
【００８０】
ユーザ機器は、ワイヤレス端末または有線端末であってよい。ワイヤレス端末は、ユーザに音声および/またはデータ接続性を提供するデバイス、無線接続機能を有するハンドヘルドデバイス、またはワイヤレスモデムに接続される別の処理デバイスを指すものとしてよい。ワイヤレス端末は、無線アクセスネットワーク(RAN、Radio Access Network)を通じて1つまたは複数のコアネットワークと通信し得る。ワイヤレス端末は、携帯電話(「セルラー」フォンとも称される)などの携帯端末であってよく、携帯端末を備えるコンピュータは、例えば、無線アクセスネットワークと音声および/またはデータを交換する、ポータブル、ポケットサイズ、ハンドヘルド、コンピュータ内蔵、または車載型のモバイル装置であるか、または、例えば、パーソナル通信サービス(PCS、Personal Communication Service)電話、コードレス電話機、セッション開始プロトコル(SIP)電話、ワイヤレスローカルループ(WLL、Wireless Local Loop)局、または携帯情報端末(PDA、Personal Digital Assistant)などのデバイスであってよい。ワイヤレス端末は、システム、加入者ユニット(Subscriber Unit)、加入者局(Subscriber Station)、移動局(Mobile Station)、携帯端末(Mobile)、リモート局(Remote Station)、アクセスポイント(Access Point)、リモート端末(Remote Terminal)、アクセス端末(Access Terminal)、ユーザ端末(User Terminal)、ユーザエージェント(User Agent)、ユーザデバイス(User Device)、またはユーザ機器(User Equipment)とも称され得る。
【００８１】
実施形態1
本発明の一実施形態は、デュアルカードUEのための通信方法を提供する。図1に示されているように、第1のネットワーク側デバイスに関係する、この方法は、ネットワーク側デバイスがダウンリンクデータをデュアルカードデュアルスタンバイデュアルパスUEに送信するシナリオに適用され得る。この方法は、以下のステップを含み得る。
【００８２】
S101。第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路である。
【００８３】
例示的に、デュアルカードUEは、2枚のカードが挿入される通信端末である。デュアルカードUEが、ネットワークにアクセスする必要があるときに、デュアルカードUEは、最初に、アクセス要求を第1のネットワーク側デバイスに送信し、すなわち、第1のネットワーク側デバイスがアクセス要求を受信し、次いで、第1のネットワーク側デバイスは、アクセス要求に従って、デュアルカードUEの第1のカードに対応する第1のベアラを確立し、第1のベアラは、第1のネットワーク側デバイスとデュアルカードUEの第1のカードとの間のデータ通信路であり、第1のネットワーク側デバイスは、デュアルカードUEの第1のカードに対するサービスを提供する。
【００８４】
S102。第1のネットワーク側デバイスは、デュアルカードUEの第1のカードとデュアルカードUEの第2のカードとの間の関連付け情報を取得する。
【００８５】
第1のネットワーク側デバイスは、デュアルカードUEの第1のカードとデュアルカードUEの第2のカードとの間の関連付け情報を取得するが、第1のネットワーク側デバイスにより関連付け情報を取得するための特定の方法は、後の実施形態において詳しく説明されている。
【００８６】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、第1のネットワーク側デバイスによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【００８７】
S103。第1のネットワーク側デバイスは、関連付け情報に従って第2のベアラを確立し、第2のベアラは第1のネットワーク側デバイスとデュアルカードUEの第2のカードとの間のデータ通信路である。
【００８８】
第1のネットワーク側デバイスが、デュアルカードUEからアクセス要求を受信した後、第1のネットワーク側デバイスは、取得された関連付け情報に従って、デュアルカードUEの第2のカードに対応する第2のベアラを確立し、第2のベアラは、第1のネットワーク側デバイスとデュアルカードUEの第2のカードとの間のデータ通信路である。
【００８９】
第1のネットワーク側デバイスによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【００９０】
例示的に、デュアルカードUEは、デュアルカードUEの第2のカードからのアクセス要求をデュアルカードUEの第2のカードが属しているネットワーク側デバイスに送信することができ、これにより、デュアルカードUEの第2のカードが属しているネットワーク側デバイスは、デュアルカードUEの第2のカードに対してデュアルカードUEの第2のカードのベアラを確立し、デュアルカードUEの第2のカードのベアラは、デュアルカードUEの第2のカードが属しているネットワーク側デバイスからデュアルカードUEの第2のカードまでのベアラであるものとしてよい。
【００９１】
第1のネットワーク側デバイスが第2のベアラを確立する前に、デュアルカードUEの第2のカードが属しているネットワーク側デバイスが、デュアルカードUEの第2のカードに対してデュアルカードUEの第2のカードのベアラをすでに確立している場合、第1のネットワーク側デバイスは、第2のベアラの一部のみ、すなわち、第1のネットワーク側デバイスからデュアルカードUEの第2のカードが属しているネットワーク側デバイスまでのベアラを確立する必要があり、デュアルカードUEの第2のカードが属しているネットワーク側デバイスが、デュアルカードUEの第2のカードに対してデュアルカードUEの第2のカードのベアラを確立していない場合、第1のネットワーク側デバイスは、完全な第2のベアラ、すなわち、第1のネットワーク側デバイスからデュアルカードUEの第2のカードまでのベアラ全体を確立する必要があることに留意されたい。
【００９２】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【００９３】
S104。第1のネットワーク側デバイスは、送信されるべき第1のデータを第2のデータと第3のデータとに分割する。
【００９４】
第1のネットワーク側デバイスは、送信されるべき第1のデータをデータパケットの2つのグループ、すなわち第2のデータと第3のデータとに分割し、第1のネットワーク側デバイスにより第1のデータを分割することに対する基準は、第1のベアラの負荷、第1のベアラのデータ伝送効率、第2のベアラの負荷、および第2のベアラのデータ伝送効率のうちの少なくとも1つであるものとしてよい。
【００９５】
好ましくは、第1のデータを分割するための前述の基準は、ネットワーク輻輳状況、デュアルカードUEの第1のカードのタリフまたはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【００９６】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【００９７】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、第1のネットワーク側デバイスが第1のデータを受信した場合に、第1のネットワーク側デバイスは、前述の分割基準に従って、複数のデータパケットをデータパケットの2つのグループ、すなわち、第2のデータと第3のデータとに分割する。
【００９８】
送信されるべき第1のデータが、第1のネットワーク側デバイスによってデータパケットの2つのグループ、すなわち、第2のデータと第3のデータとに分割される比は、1:9、5:5、0.10であるか、または前述の分割基準を満たす他の比であってよいことに留意すべきであるが、これは本発明において制限されない。
【００９９】
好ましくは、この比が、0:10または10:0であるときに、第1のネットワーク側デバイスは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０１００】
S105。第1のネットワーク側デバイスは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。
【０１０１】
第1のネットワーク側デバイスは、第1のベアラを使用することによって第2のデータをデュアルカードUEに送信し、第1のネットワーク側デバイスは、第2のベアラを使用することによって第3のデータをデュアルカードUEに送信し、これにより、受信された第2のデータと第3のデータとを第1のデータに組み合わせた後に、デュアルカードUEは、第1のデータに対する対応する処理を実行し、それにより、第1のデータの送信を完了する。
【０１０２】
デュアルカードUEの第1のカードおよびデュアルカードUEの第2のカードが異なるPLMN(Public Land Mobile Network、パブリックランドモバイルネットワーク)に属している場合に、第1のネットワーク側デバイスによって確立された第1のベアラは、第1のネットワーク側デバイスからデュアルカードUEの第1のカードまでのベアラであってよく、それに対応して、第1のネットワーク側デバイスによって確立された第2のベアラは、第1のネットワーク側デバイスから、デュアルカードUEの第2のカードが属しているネットワーク側デバイスを介して、デュアルカードUEの第2のカードに至るベアラであってよいことに留意されたい。
【０１０３】
本発明の一実施形態は、デュアルカードUEのための通信方法をさらに提供する。図2に示されているように、デュアルカードUEに関係する、この方法は、ネットワーク側デバイスがダウンリンクデータをデュアルカードデュアルスタンバイデュアルパスUEに送信するシナリオに適用され得る。この方法は、以下のステップを含み得る。
【０１０４】
S201。デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である。
【０１０５】
デュアルカードUEが、ネットワークにアクセスする必要があるときに、デュアルカードUEは、最初に、アクセス要求を第1のネットワーク側デバイスに送信し、これにより、アクセス要求を受信した後に、第1のネットワーク側デバイスは、アクセス要求に従ってデュアルカードUEに対する第1のベアラを確立し、デュアルカードUEの第1のカードとデュアルカードUEの第2のカードとの間の関連付け情報を取得した後、第1のネットワーク側デバイスは、関連付け情報に従ってデュアルカードUEに対する第2のベアラを確立し、第1のベアラは、第1のネットワーク側デバイスとデュアルカードUEの第1のカードとの間のデータ通信路であり、第2のベアラは、第1のネットワーク側デバイスとデュアルカードUEの第2のカードとの間のデータ通信路であり、第1のネットワーク側デバイスは、デュアルカードUEの第1のカードに対するサービスを提供する。
【０１０６】
S202。デュアルカードUEは、第1のネットワーク側デバイスから第2のデータと第3のデータとを受信し、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される。
【０１０７】
デュアルカードUEは、第1のネットワーク側デバイスから第2のデータと第3のデータとを受信し、第2のデータは、第1のネットワーク側デバイスがデュアルカードUEに送信されるべき第1のデータをデータパケットの2つのグループ、すなわち、第2のデータと第3のデータとに分割した後に、第1のベアラを使用することにより第1のネットワーク側デバイスによってデュアルカードUEに送信され、第3のデータは、第2のベアラを使用することによって第1のネットワーク側デバイスによってデュアルカードUEに送信される。
【０１０８】
S203。デュアルカードUEは、第2のデータと第3のデータとを第1のデータに組み合わせる。
【０１０９】
デュアルカードUEが、第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０１１０】
本発明のこの実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することによって第2のデータをデュアルカードUEに送信し、第2のベアラを使用することにより第3のデータをデュアルカードUEに送信し、これにより、デュアルカードUEは、第2のデータと第3のデータとを第1のデータに組み合わせる。この解決方法によれば、ネットワーク側デバイスは、送信されるべきデータを分割した後に、デュアルカードUEの2枚のカードのベアラを別々に使用することによって、分割されたデータを同時に配信することができ、したがって、デュアルカードUEの通信手順が最適化され、これにより、サービス送信効率を改善し、通信効率を高め、ユーザエクスペリエンスを改善することができる。
【０１１１】
本発明の一実施形態は、デュアルカードUEのための別の通信方法を提供する。図3に示されているように、デュアルカードUEに関係する、この方法は、デュアルカードデュアルスタンバイデュアルパスUEがアップリンクデータをネットワーク側デバイスに送信するシナリオに適用され得る。この方法は、以下のステップを含み得る。
【０１１２】
S301。デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である。
【０１１３】
例示的に、デュアルカードUEは、2枚のカードが挿入される通信端末である。デュアルカードUEが、ネットワークにアクセスする必要があるときに、デュアルカードUEは、最初に、アクセス要求を第1のネットワーク側デバイスに送信し、これにより、アクセス要求を受信した後に、第1のネットワーク側デバイスは、アクセス要求に従って、デュアルカードUEの第1のカードに対応する第1のベアラを確立し、デュアルカードUEの第1のカードとデュアルカードUEの第2のカードとの間の関連付け情報を取得した後、第1のネットワーク側デバイスは、取得された関連付け情報に従って、デュアルカードUEの第2のカードに対応する第2のベアラを確立し、第1のベアラは、第1のネットワーク側デバイスとデュアルカードUEの第1のカードとの間のデータ通信路であり、第2のベアラは、第1のネットワーク側デバイスとデュアルカードUEの第2のカードとの間のデータ通信路であり、第1のネットワーク側デバイスは、デュアルカードUEの第1のカードに対するサービスを提供する。
【０１１４】
第1のネットワーク側デバイスによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０１１５】
例示的に、デュアルカードUEは、デュアルカードUEの第2のカードからのアクセス要求をデュアルカードUEの第2のカードが属しているネットワーク側デバイスに送信することができ、これにより、デュアルカードUEの第2のカードが属しているネットワーク側デバイスは、デュアルカードUEの第2のカードに対してデュアルカードUEの第2のカードのベアラを確立し、デュアルカードUEの第2のカードのベアラは、デュアルカードUEの第2のカードが属しているネットワーク側デバイスからデュアルカードUEの第2のカードまでのベアラであるものとしてよい。
【０１１６】
第1のネットワーク側デバイスが第2のベアラを確立する前に、デュアルカードUEの第2のカードが属しているネットワーク側デバイスが、デュアルカードUEの第2のカードに対してデュアルカードUEの第2のカードのベアラをすでに確立している場合、第1のネットワーク側デバイスは、第2のベアラの一部のみ、すなわち、第1のネットワーク側デバイスからデュアルカードUEの第2のカードが属しているネットワーク側デバイスまでのベアラを確立する必要があり、デュアルカードUEの第2のカードが属しているネットワーク側デバイスが、デュアルカードUEの第2のカードに対してデュアルカードUEの第2のカードのベアラを確立していない場合、第1のネットワーク側デバイスは、完全な第2のベアラ、すなわち、第1のネットワーク側デバイスからデュアルカードUEの第2のカードまでのベアラ全体を確立する必要があることに留意されたい。
【０１１７】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、第1のネットワーク側デバイスによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０１１８】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０１１９】
S302。デュアルカードUEは、送信されるべき第1のデータを第2のデータと第3のデータとに分割する。
【０１２０】
デュアルカードUEは、送信されるべき第1のデータをデータパケットの2つのグループ、すなわち第2のデータと第3のデータとに分割し、デュアルカードUEにより第1のデータを分割するための基準は、第1のベアラの負荷、第1のベアラのデータ伝送効率、第2のベアラの負荷、および第2のベアラのデータ伝送効率のうちの少なくとも1つであるものとしてよい。
【０１２１】
好ましくは、デュアルカードUEにより第1のデータを分割するための基準は、ネットワーク輻輳状況、デュアルカードUEの第1のカードのタリフおよび/またはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０１２２】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０１２３】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、デュアルカードUEが、第1のデータを送信先に送信する必要がある場合、デュアルカードUEは、前述の分割基準に従って、複数のデータパケットをデータパケットの2つのグループ、すなわち第2のデータと第3のデータとに分割する。
【０１２４】
送信されるべき第1のデータが、デュアルカードUEによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０１２５】
好ましくは、この比が、0:10または10:0であるときに、デュアルカードUEは、第1のデータを分割していないが、好ましいベアラ(第1のベアラまたは第2のベアラ)を使用することによって第1のデータを第1のネットワーク側デバイスに送信するのみであることが指示される。この比が、0:10または10:0であるときに、本発明のこの実施形態において提供されるデュアルカードUEのための通信方法は、デュアルカードシングルパスUEにも適用され得る。
【０１２６】
S303。デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。
【０１２７】
デュアルカードUEは、第1のベアラを使用することにより第2のデータを第1のネットワーク側デバイスに送信し、デュアルカードUEは、第2のベアラを使用することによって第3のデータを第1のネットワーク側デバイスに送信し、これにより、受信された第2のデータと第3のデータとを第1のデータに組み合わせた後に、第1のネットワーク側デバイスは、第1のデータを転送し、これにより、第1のデータの送信を完了する。
【０１２８】
本発明の一実施形態は、デュアルカードUEのための別の通信方法をさらに提供する。図4に示されているように、第1のネットワーク側デバイスに関係する、この方法は、デュアルカードデュアルスタンバイデュアルパスUEがアップリンクデータをネットワーク側デバイスに送信するシナリオに適用され得る。この方法は、以下のステップを含み得る。
【０１２９】
S401。第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路である。
【０１３０】
デュアルカードUEが、ネットワークにアクセスする必要があるときに、デュアルカードUEは、最初に、アクセス要求を第1のネットワーク側デバイスに送信し、すなわち、第1のネットワーク側デバイスは、デュアルカードUEからアクセス要求を受信し、次いで、第1のネットワーク側デバイスは、アクセス要求に従ってデュアルカードUEに対する第1のベアラを確立し、第1のベアラは、第1のネットワーク側デバイスとデュアルカードUEの第1のカードとの間のデータ通信路であり、第1のネットワーク側デバイスは、デュアルカードUEの第1のカードに対するサービスを提供する。
【０１３１】
S402。第1のネットワーク側デバイスは、デュアルカードUEの第1のカードとデュアルカードUEの第2のカードとの間の関連付け情報を取得する。
【０１３２】
第1のネットワーク側デバイスは、デュアルカードUEの第1のカードとデュアルカードUEの第2のカードとの間の関連付け情報を取得するが、第1のネットワーク側デバイスにより関連付け情報を取得するための特定の方法は、後の実施形態において詳しく説明されている。
【０１３３】
S403。第1のネットワーク側デバイスは、関連付け情報に従って第2のベアラを確立し、第2のベアラは第1のネットワーク側デバイスとデュアルカードUEの第2のカードとの間のデータ通信路である。
【０１３４】
第1のネットワーク側デバイスが、デュアルカードUEからアクセス要求を受信した後、第1のネットワーク側デバイスは、取得された関連付け情報に従ってデュアルカードUEに対する第2のベアラを確立し、第2のベアラは、第1のネットワーク側デバイスとデュアルカードUEの第2のカードとの間のデータ通信路である。
【０１３５】
S404。第1のネットワーク側デバイスは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される。
【０１３６】
第1のネットワーク側デバイスは、デュアルカードUEから第2のデータと第3のデータとを受信し、第2のデータは、デュアルカードUEが第1のネットワーク側デバイスに送信されるべき第1のデータをデータパケットの2つのグループ、すなわち、第2のデータと第3のデータとに分割した後に、第1のベアラを使用することによりデュアルカードUEによって第1のネットワーク側デバイスに送信され、第3のデータは、第2のベアラを使用することによってデュアルカードUEによって第1のネットワーク側デバイスに送信される。
【０１３７】
S405。第1のネットワーク側デバイスは、第2のデータと第3のデータとを第1のデータに組み合わせる。
【０１３８】
第1のネットワーク側デバイスが、第2のデータと第3のデータとを受信した後、第1のネットワーク側デバイスは、第2のデータと第3のデータとを第1のデータに組み合わせ、第1のデータを転送し、それにより第1のデータの送信を完了する。
【０１３９】
デュアルカードUEの第1のカードおよびデュアルカードUEの第2のカードが異なるPLMNに属している場合に、第1のネットワーク側デバイスによって確立された第1のベアラは、第1のネットワーク側デバイスからデュアルカードUEの第1のカードまでのベアラであってよく、それに対応して、第1のネットワーク側デバイスによって確立された第2のベアラは、第1のネットワーク側デバイスから、デュアルカードUEの第2のカードが属しているネットワーク側デバイスを介して、デュアルカードUEの第2のカードに至るベアラであってよいことに留意されたい。
【０１４０】
本発明のこの実施形態において用意されるデュアルカードUEのための別の通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEは、送信されるべきデータを分割した後に、デュアルカードUEの2枚のカードのベアラを別々に使用することによって同時に、分割されたデータを同時に送信することができ、したがって、デュアルカードUEの通信手順が最適化され、これにより、サービス送信効率を改善し、通信効率を高め、ユーザエクスペリエンスを改善することができる。
【０１４１】
実施形態2
本発明の一実施形態は、デュアルカードUEのための通信方法を提供する。図5に示されているように、第1のネットワーク側デバイスに関係する、この方法は、ネットワーク側デバイスがダウンリンクデータをデュアルカードデュアルスタンバイデュアルパスUEに送信するシナリオに適用され得る。本発明のこの実施形態における方法は、アンカーゲートウェイ(アンカーゲートウェイは、PGW(Packet Data Network Gateway、パケットデータネットワークゲートウェイ)またはGGSN(Gateway General Packet Radio Service Support Node、ゲートウェイ汎用パケット無線サービスサポートノード))によって実行され得る。この方法は、以下のステップを含み得る。
【０１４２】
S501。アンカーゲートウェイは、デュアルカードUEからアクセス要求を受信し、アクセス要求に従って第1のベアラを確立し、アンカーゲートウェイは、デュアルカードUEの第1のカードに対するサービスを提供し、第1のベアラは、アンカーゲートウェイとデュアルカードUEの第1のカードとの間のデータ通信路である。
【０１４３】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、すなわち、アンカーゲートウェイは、アクセス要求を受信し、次いで、アンカーゲートウェイは、アクセス要求に従って、デュアルカードUEの第1のカードに対応する第1のベアラを確立し、第1のベアラは、アンカーゲートウェイとデュアルカードUEの第1のカードとの間のデータ通信路であり、アンカーゲートウェイは、デュアルカードUEの第1のカードが属すアンカーゲートウェイであり、デュアルカードUEの第1のカードに対してサービスを提供する。
【０１４４】
S502。アンカーゲートウェイは、デュアルカードUEの第1のカードとデュアルカードUEの第2のカードとの間の関連付け情報を取得する。
【０１４５】
デュアルカードUEの第1のカードとデュアルカードUEの第2のカードとの間の関連付け情報を取得した後、デュアルカードUEの第1のカードが登録されているコアネットワークエンティティは、関連付け情報をアンカーゲートウェイに送信する。デュアルカードUEの第1のカードが登録されているコアネットワークエンティティによって関連付け情報を取得するための特定の方法は、後の実施形態において詳しく説明されている。
【０１４６】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０１４７】
S503。アンカーゲートウェイは、関連付け情報に従って第2のベアラを確立し、第2のベアラは、アンカーゲートウェイとデュアルカードUEの第2のカードとの間のデータ通信路である。
【０１４８】
アンカーゲートウェイが、デュアルカードUEからアクセス要求を受信した後、アンカーゲートウェイは、取得された関連付け情報に従って、デュアルカードUEの第2のカードに対応する第2のベアラを確立し、第2のベアラは、アンカーゲートウェイとデュアルカードUEの第2のカードとの間のデータ通信路である。
【０１４９】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０１５０】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０１５１】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０１５２】
好ましくは、デュアルカードUEの第1のカードが登録されている前述のコアネットワークエンティティは、MME(Mobility Management Entity、モビリティ管理エンティティ)またはSGSN(Serving General Packet Radio Service Support Node、サービング汎用パケット無線サービスサポートノード)を備えることができ、かつ/またはデュアルカードUEの第2のカードが登録されている前述のコアネットワークエンティティは、MMEまたはSGSNを含み得る。
【０１５３】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０１５４】
S504。アンカーゲートウェイは、送信されるべき第1のデータを第2のデータと第3のデータとに分割する。
【０１５５】
アンカーゲートウェイは、送信されるべき第1のデータをデータパケットの2つのグループ、すなわち第2のデータと第3のデータとに分割し、アンカーゲートウェイにより第1のデータを分割するための基準は、第1のベアラの負荷、第1のベアラのデータ伝送効率、第2のベアラの負荷、および第2のベアラのデータ伝送効率のうちの少なくとも1つであるものとしてよい。
【０１５６】
好ましくは、第1のデータを分割するための前述の基準は、ネットワーク輻輳状況、デュアルカードUEの第1のカードのタリフおよび/またはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０１５７】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０１５８】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、第1のネットワーク側デバイスが第1のデータを受信した場合に、第1のネットワーク側デバイスは、前述の分割基準に従って、複数のデータパケットをデータパケットの2つのグループ、すなわち、第2のデータと第3のデータとに分割する。
【０１５９】
送信されるべき第1のデータが、アンカーゲートウェイによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０１６０】
好ましくは、この比が、0:10または10:0であるときに、アンカーゲートウェイは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０１６１】
S505。アンカーゲートウェイは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。
【０１６２】
アンカーゲートウェイは、第1のベアラを使用することにより第2のデータをデュアルカードUEに送信し、アンカーゲートウェイは、第2のベアラを使用することによって第3のデータをデュアルカードUEに送信し、これにより、受信された第2のデータと第3のデータとを第1のデータに組み合わせた後に、デュアルカードUEは、第1のデータに対する対応する処理を実行し、それにより、第1のデータの送信を完了する。
【０１６３】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことに留意されたい。
【０１６４】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０１６５】
本発明の一実施形態は、デュアルカードUEのための通信方法をさらに提供する。図6に示されているように、デュアルカードUEに関係する、この方法は、ネットワーク側デバイスがダウンリンクデータをデュアルカードデュアルスタンバイデュアルパスUEに送信するシナリオに適用されるものとしてよく、第1のネットワーク側デバイスがアンカーゲートウェイを備える通信方法に対応する。本発明のこの実施形態における方法は、デュアルカードUEによって実行されるものとしてよく、この方法は、以下のステップを含む。
【０１６６】
S601。デュアルカードUEは、アクセス要求をアンカーゲートウェイに送信し、これにより、アンカーゲートウェイがアクセス要求に従って第1のベアラを確立し、アンカーゲートウェイが、デュアルカードUEの第1のカードとデュアルカードUEの第2のカードとの間の関連付け情報を取得した後、アンカーゲートウェイは、関連付け情報に従って第2のベアラを確立し、アンカーゲートウェイは、デュアルカードUEの第1のカードに対するサービスを提供し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路である。
【０１６７】
デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、これにより、アクセス要求を受信した後に、アンカーゲートウェイは、アクセス要求に従ってデュアルカードUEに対する第1のベアラを確立し、デュアルカードUEの第1のカードとデュアルカードUEの第2のカードとの間の関連付け情報を取得した後、アンカーゲートウェイは、取得された関連付け情報に従ってデュアルカードUEに対する第2のベアラを確立し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路であり、アンカーゲートウェイは、デュアルカードUEの第1のカードが属すアンカーゲートウェイであり、デュアルカードUEの第1のカードに対してサービスを提供する。
【０１６８】
S602。デュアルカードUEは、アンカーゲートウェイから第2のデータと第3のデータとを受信し、第2のデータは、アンカーゲートウェイが送信されるべき第1のデータを第2のデータと第3のデータとに分割した後に、第1のベアラを使用することによりアンカーゲートウェイによって送信され、第3のデータは、第2のベアラを使用することによりアンカーゲートウェイによって送信される。
【０１６９】
デュアルカードUEは、アンカーゲートウェイから第2のデータと第3のデータとを受信し、第2のデータは、アンカーゲートウェイがデュアルカードUEに送信されるべき第1のデータをデータパケットの2つのグループ、すなわち、第2のデータと第3のデータとに分割した後に、第1のベアラを使用することによりアンカーゲートウェイによってデュアルカードUEに送信され、第3のデータは、第2のベアラを使用することによってアンカーゲートウェイによってデュアルカードUEに送信される。
【０１７０】
S603。デュアルカードUEは、第2のデータと第3のデータとを第1のデータに組み合わせる。
【０１７１】
デュアルカードUEが、第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０１７２】
本発明の一実施形態は、デュアルカードUEのための通信方法をさらに提供する。図7に示されているように、第1のネットワーク側デバイスに関係する、この方法は、ネットワーク側デバイスがダウンリンクデータをデュアルカードデュアルスタンバイデュアルパスUEに送信するシナリオに適用され得る。本発明のこの実施形態における方法は、コアネットワークエンティティによって実行され得る(コアネットワークエンティティは、SGW(Serving Gateway、サービングゲートウェイ)またはSGSNを含み得る)。この方法は、以下のステップを含み得る。
【０１７３】
S701。コアネットワークエンティティは、デュアルカードUEからアクセス要求を受信し、アクセス要求に従って第1のベアラを確立し、コアネットワークエンティティは、デュアルカードUEの第1のカードに対するサービスを提供し、第1のベアラは、コアネットワークエンティティとデュアルカードUEの第1のカードとの間のデータ通信路である。
【０１７４】
デュアルカードUEが、ネットワークにアクセスする必要があるときに、デュアルカードUEは、最初に、アクセス要求をコアネットワークエンティティに送信し、すなわち、コアネットワークエンティティがデュアルカードUEからアクセス要求を受信し、次いで、コアネットワークエンティティは、アクセス要求に従ってデュアルカードUEに対する第1のベアラを確立し、第1のベアラは、コアネットワークエンティティとデュアルカードUEの第1のカードとの間のデータ通信路であり、コアネットワークエンティティは、デュアルカードUEの第1のカードが登録されているコアネットワークエンティティであり、デュアルカードUEの第1のカードに対するサービスを提供する。
【０１７５】
S702。コアネットワークエンティティは、デュアルカードUEの第1のカードとデュアルカードUEの第2のカードとの間の関連付け情報を取得する。
【０１７６】
コアネットワークエンティティは、デュアルカードUEの第1のカードとデュアルカードUEの第2のカードとの間の関連付け情報を取得し、コアネットワークエンティティによって関連付け情報を取得するための特定の方法は、後の実施形態において詳しく説明されている。
【０１７７】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが登録されているコアネットワークエンティティによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよい。
【０１７８】
S703。コアネットワークエンティティは、関連付け情報に従って第2のベアラを確立し、第2のベアラは、コアネットワークエンティティとデュアルカードUEの第2のカードとの間のデータ通信路である。
【０１７９】
コアネットワークエンティティが、デュアルカードUEからアクセス要求を受信した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０１８０】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０１８１】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求に従ってデュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０１８２】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０１８３】
S704。コアネットワークエンティティは、送信されるべき第1のデータを第2のデータと第3のデータとに分割する。
【０１８４】
コアネットワークエンティティは、送信されるべき第1のデータをデータパケットの2つのグループ、すなわち第2のデータと第3のデータとに分割する。
【０１８５】
送信されるべき第1のデータが、コアネットワークエンティティによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０１８６】
好ましくは、この比が、0:10または10:0であるときに、コアネットワークエンティティは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０１８７】
S705。コアネットワークエンティティは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。
【０１８８】
コアネットワークエンティティは、第1のベアラを使用することにより第2のデータをデュアルカードUEに送信し、コアネットワークエンティティは、第2のベアラを使用することによって第3のデータをデュアルカードUEに送信し、これにより、受信された第2のデータと第3のデータとを第1のデータに組み合わせた後に、デュアルカードUEは、第1のデータに対する対応する処理を実行し、それにより、第1のデータの送信を完了する。
【０１８９】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことに留意されたい。
【０１９０】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０１９１】
特に、コアネットワークエンティティによって第1のデータを分割するための前述の方法において、デュアルカードUEの第1のカードが、ISR方式と同様に、デュアルカードUEの第2のカードに関連付けられた後、デュアルカードUEのどのカードがそのベアラを更新しようと、デュアルカードUEの他のカードも、更新情報を取得し、同じベアラ更新手順を実行し、これにより、デュアルカードUEの2枚のカードのベアラは同期される、すなわち、第1のベアラおよび第2のベアラが同期される。ISR方式は、UEの2つのRAT(Radio Access Type、無線アクセスタイプ)のベアラが同期されるというものであるが、本発明のこの実施形態において提供されるコアネットワークエンティティによって第1のデータを分割するための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０１９２】
好ましくは、コアネットワークエンティティによって第1のデータを分割するための前述の方法において、第1のベアラおよび第2のベアラは、さらに、同期されなくてもよく、また配信されるべきデータがあるときに同期され得る。第1のおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０１９３】
本発明の一実施形態は、デュアルカードUEのための通信方法をさらに提供する。図8に示されているように、デュアルカードUEに関係する、この方法は、ネットワーク側デバイスがダウンリンクデータをデュアルカードデュアルスタンバイデュアルパスUEに送信するシナリオに適用されるものとしてよく、第1のネットワーク側デバイスがコアネットワークエンティティを備える通信方法に対応する。本発明のこの実施形態における方法は、デュアルカードUEによって実行されるものとしてよく、この方法は、以下のステップを含む。
【０１９４】
S801。デュアルカードUEは、アクセス要求をコアネットワークエンティティに送信し、これにより、コアネットワークエンティティがアクセス要求に従って第1のベアラを確立し、コアネットワークエンティティが、デュアルカードUEの第1のカードとデュアルカードUEの第2のカードとの間の関連付け情報を取得した後、コアネットワークエンティティは、関連付け情報に従って第2のベアラを確立し、コアネットワークエンティティは、デュアルカードUEの第1のカードに対するサービスを提供し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路である。
【０１９５】
デュアルカードUEが、ネットワークにアクセスする必要があるときに、デュアルカードUEは、最初に、アクセス要求をコアネットワークエンティティに送信し、これにより、デュアルカードUEからアクセス要求を受信した後に、コアネットワークエンティティは、アクセス要求に従ってデュアルカードUEに対する第1のベアラを確立し、コアネットワークエンティティは、取得された関連付け情報に従ってデュアルカードUEに対する第2のベアラを確立し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路であり、コアネットワークエンティティは、デュアルカードUEの第1のカードが登録されているコアネットワークエンティティであり、デュアルカードUEの第1のカードに対するサービスを提供する。
【０１９６】
S802。デュアルカードUEは、コアネットワークエンティティから第2のデータと第3のデータとを受信し、第2のデータは、コアネットワークエンティティが送信されるべき第1のデータを第2のデータと第3のデータとに分割した後に、第1のベアラを使用することによりコアネットワークエンティティによって送信され、第3のデータは、第2のベアラを使用することによってコアネットワークエンティティによって送信される。
【０１９７】
デュアルカードUEは、コアネットワークエンティティから第2のデータと第3のデータとを受信し、第2のデータは、コアネットワークエンティティがデュアルカードUEに送信されるべき第1のデータをデータパケットの2つのグループ、すなわち、第2のデータと第3のデータとに分割した後に、第1のベアラを使用することによりコアネットワークエンティティによってデュアルカードUEに送信され、第3のデータは、第2のベアラを使用することによってコアネットワークエンティティによってデュアルカードUEに送信される。
【０１９８】
S803。デュアルカードUEは、第2のデータと第3のデータとを第1のデータに組み合わせる。
【０１９９】
デュアルカードUEが、第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０２００】
本発明のこの実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することによって第2のデータをデュアルカードUEに送信し、第2のベアラを使用することにより第3のデータをデュアルカードUEに送信し、これにより、デュアルカードUEは、第2のデータと第3のデータとを第1のデータに組み合わせる。この解決方法によれば、デュアルカードUEの2枚のカードが互いに関連付けられているという条件において、ネットワーク側デバイスは、送信されるべきデータ、すなわち、デュアルカードUEに送信される必要のあるデータ、を分割した後に、デュアルカードUEの2枚のカードのベアラを別々に使用することによって同時に、分割されたデータを配信することができ、したがって、デュアルカードUEの通信手順が最適化され、これにより、サービス送信効率を改善し、通信効率を高め、ユーザエクスペリエンスを改善することができる。
【０２０１】
本発明の一実施形態は、デュアルカードUEのための別の通信方法を提供する。図9に示されているように、デュアルカードUEに関係する、この方法は、デュアルカードデュアルスタンバイデュアルパスUEがアップリンクデータをネットワーク側デバイスに送信するシナリオに適用されるものとしてよく、これは、第1のネットワーク側デバイスがアンカーゲートウェイを備える通信方法に対応する(アンカーゲートウェイは、PGWまたはGGSNを備え得る)。本発明のこの実施形態における方法は、デュアルカードUEによって実行されるものとしてよく、この方法は、以下のステップを含む。
【０２０２】
S901。デュアルカードUEは、アクセス要求をアンカーゲートウェイに送信し、これにより、アンカーゲートウェイがアクセス要求に従って第1のベアラを確立し、アンカーゲートウェイが、デュアルカードUEの第1のカードとデュアルカードUEの第2のカードとの間の関連付け情報を取得した後、アンカーゲートウェイは、関連付け情報に従って第2のベアラを確立し、アンカーゲートウェイは、デュアルカードUEの第1のカードに対するサービスを提供し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路である。
【０２０３】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、これにより、アクセス要求を受信した後に、アンカーゲートウェイは、アクセス要求に従って、デュアルカードUEの第1のカードに対応する第1のベアラを確立し、デュアルカードUEの第1のカードとデュアルカードUEの第2のカードとの間の関連付け情報を取得した後、アンカーゲートウェイは、取得された関連付け情報に従って、デュアルカードUEの第2のカードに対応する第2のベアラを確立し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路であり、アンカーゲートウェイは、デュアルカードUEの第1のカードが属すアンカーゲートウェイであり、デュアルカードUEの第1のカードに対してサービスを提供する。
【０２０４】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０２０５】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０２０６】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０２０７】
好ましくは、デュアルカードUEの第1のカードが登録されている前述のコアネットワークエンティティは、MMEまたはSGSNを含み、かつ/または、デュアルカードUEの第2のカードが登録されているコアネットワークエンティティは、MMEまたはSGSNを含み得る。
【０２０８】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０２０９】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０２１０】
S902。デュアルカードUEは、送信されるべき第1のデータを第2のデータと第3のデータとに分割する。
【０２１１】
デュアルカードUEは、送信されるべき第1のデータをデータパケットの2つのグループ、すなわち第2のデータと第3のデータとに分割し、デュアルカードUEにより第1のデータを分割するための基準は、第1のベアラの負荷、第1のベアラのデータ伝送効率、第2のベアラの負荷、および第2のベアラのデータ伝送効率のうちの少なくとも1つであるものとしてよい。
【０２１２】
好ましくは、デュアルカードUEにより第1のデータを分割するための基準は、ネットワーク輻輳状況、デュアルカードUEの第1のカードのタリフおよび/またはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０２１３】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０２１４】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、デュアルカードUEが、第1のデータを送信先に送信する必要がある場合、デュアルカードUEは、前述の分割基準に従って、複数のデータパケットをデータパケットの2つのグループ、すなわち第2のデータと第3のデータとに分割する。
【０２１５】
送信されるべき第1のデータが、デュアルカードUEによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０２１６】
好ましくは、この比が、0:10または10:0であるときに、デュアルカードUEは、第1のデータを分割していないが、好ましいベアラ(第1のベアラまたは第2のベアラ)を使用することによって第1のデータをアンカーゲートウェイに送信するのみであることが指示される。この比が、0:10または10:0であるときに、本発明のこの実施形態において提供されるデュアルカードUEのための通信方法は、デュアルカードシングルパスUEにも適用され得る。
【０２１７】
S903。デュアルカードUEは、第1のベアラを使用することにより第2のデータをアンカーゲートウェイに送信し、第2のベアラを使用することにより第3のデータをアンカーゲートウェイに送信し、それにより、アンカーゲートウェイが第2のデータと第3のデータとを第1のデータに組み合わせる。
【０２１８】
デュアルカードUEは、第1のベアラを使用することにより第2のデータをアンカーゲートウェイに送信し、デュアルカードUEは、第2のベアラを使用することによって第3のデータをアンカーゲートウェイに送信し、これにより、受信された第2のデータと第3のデータとを第1のデータに組み合わせた後に、アンカーゲートウェイは、第1のデータを転送し、それにより第1のデータの送信を完了する。
【０２１９】
本発明の一実施形態は、デュアルカードUEのための別の通信方法をさらに提供する。図10に示されているように、第1のネットワーク側デバイスに関係する、この方法は、デュアルカードデュアルスタンバイデュアルパスUEがアップリンクデータをネットワーク側デバイスに送信するシナリオに適用され得る。本発明のこの実施形態における方法は、アンカーゲートウェイによって実行され得る(アンカーゲートウェイは、PGWまたはGGSNを備え得る)。この方法は、以下のステップを含み得る。
【０２２０】
S1001。アンカーゲートウェイは、デュアルカードUEからアクセス要求を受信し、アクセス要求に従って第1のベアラを確立し、アンカーゲートウェイは、デュアルカードUEの第1のカードに対するサービスを提供し、第1のベアラは、アンカーゲートウェイとデュアルカードUEの第1のカードとの間のデータ通信路である。
【０２２１】
デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、すなわち、アンカーゲートウェイは、デュアルカードUEからアクセス要求を受信し、次いで、アンカーゲートウェイは、アクセス要求に従ってデュアルカードUEに対する第1のベアラを確立し、第1のベアラは、アンカーゲートウェイとデュアルカードUEの第1のカードとの間のデータ通信路であり、アンカーゲートウェイは、デュアルカードUEの第1のカードが属すアンカーゲートウェイであり、デュアルカードUEの第1のカードに対してサービスを提供する。
【０２２２】
S1002。アンカーゲートウェイは、デュアルカードUEの第1のカードとデュアルカードUEの第2のカードとの間の関連付け情報を取得する。
【０２２３】
デュアルカードUEの第1のカードとデュアルカードUEの第2のカードとの間の関連付け情報を取得した後、デュアルカードUEの第1のカードが登録されているコアネットワークエンティティは、関連付け情報をアンカーゲートウェイに送信する。デュアルカードUEの第1のカードが登録されているコアネットワークエンティティによって関連付け情報を取得するための特定の方法は、後の実施形態において詳しく説明されている。
【０２２４】
S1003。アンカーゲートウェイは、関連付け情報に従って第2のベアラを確立し、第2のベアラは、アンカーゲートウェイとデュアルカードUEの第2のカードとの間のデータ通信路である。
【０２２５】
アンカーゲートウェイが、デュアルカードUEからアクセス要求を受信した後、アンカーゲートウェイは、取得された関連付け情報に従ってデュアルカードUEに対する第2のベアラを確立し、第2のベアラは、アンカーゲートウェイとデュアルカードUEの第2のカードとの間のデータ通信路である。
【０２２６】
S1004。アンカーゲートウェイは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される。
【０２２７】
アンカーゲートウェイは、デュアルカードUEから第2のデータと第3のデータとを受信し、第2のデータは、デュアルカードUEが第1のネットワーク側デバイスに送信されるべき第1のデータをデータパケットの2つのグループ、すなわち、第2のデータと第3のデータとに分割した後に、第1のベアラを使用することによりデュアルカードUEによってアンカーゲートウェイに送信され、第3のデータは、第2のベアラを使用することによってデュアルカードUEによってアンカーゲートウェイに送信される。
【０２２８】
S1005。アンカーゲートウェイは、第2のデータと第3のデータとを第1のデータに組み合わせる。
【０２２９】
アンカーゲートウェイが、第2のデータと第3のデータとを受信した後、アンカーゲートウェイは、第2のデータと第3のデータとを第1のデータに組み合わせ、第1のデータを転送し、それにより第1のデータの送信を完了する。
【０２３０】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことに留意されたい。
【０２３１】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０２３２】
本発明の一実施形態は、デュアルカードUEのための別の通信方法をさらに提供する。図11に示されているように、デュアルカードUEに関係する、この方法は、デュアルカードデュアルスタンバイデュアルパスUEがアップリンクデータをネットワーク側デバイスに送信するシナリオに適用されるものとしてよく、これは、第1のネットワーク側デバイスが、コアネットワークエンティティを備える通信方法に対応している(コアネットワークエンティティは、SGWまたはSGSNを備え得る)。本発明のこの実施形態における方法は、デュアルカードUEによって実行されるものとしてよく、この方法は、以下のステップを含む。
【０２３３】
S1101。デュアルカードUEは、アクセス要求をコアネットワークエンティティに送信し、これにより、コアネットワークエンティティがアクセス要求に従って第1のベアラを確立し、コアネットワークエンティティが、デュアルカードUEの第1のカードとデュアルカードUEの第2のカードとの間の関連付け情報を取得した後、コアネットワークエンティティは、関連付け情報に従って第2のベアラを確立し、コアネットワークエンティティは、デュアルカードUEの第1のカードに対するサービスを提供し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路である。
【０２３４】
デュアルカードUEが、ネットワークにアクセスする必要があるときに、デュアルカードUEは、最初に、アクセス要求をコアネットワークエンティティに送信し、これにより、デュアルカードUEからアクセス要求を受信した後に、コアネットワークエンティティは、アクセス要求に従って第1のベアラを確立し、コアネットワークエンティティは、取得された関連付け情報に従って第2のベアラを確立し、コアネットワークエンティティは、デュアルカードUEの第1のカードが登録されているコアネットワークエンティティであり、デュアルカードUEの第1のカードに対するサービスを提供し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路である。
【０２３５】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０２３６】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、デュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０２３７】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０２３８】
S1102。デュアルカードUEは、送信されるべき第1のデータを第2のデータと第3のデータとに分割する。
【０２３９】
デュアルカードUEは、送信されるべき第1のデータをデータパケットの2つのグループ、すなわち第2のデータと第3のデータとに分割する。
【０２４０】
S1103。デュアルカードUEは、第1のベアラを使用することにより第2のデータをコアネットワークエンティティに送信し、第2のベアラを使用することによって第3のデータをコアネットワークエンティティに送信し、それにより、コアネットワークエンティティが第2のデータと第3のデータとを第1のデータに組み合わせる。
【０２４１】
デュアルカードUEは、第1のベアラを使用することにより第2のデータをコアネットワークエンティティに送信し、デュアルカードUEは、第2のベアラを使用することにより第3のデータをコアネットワークエンティティに送信し、これにより、受信された第2のデータと第3のデータとを第1のデータに組み合わせた後に、コアネットワークエンティティは、第1のデータを転送し、それにより第1のデータの送信を完了する。
【０２４２】
特に、デュアルカードUEによって第1のデータを分割し、コアネットワークエンティティによって、分割することで得られた第2のデータと第3のデータとを組み合わせる前述の方法において、デュアルカードUEの第1のカードが、ISR方式と同様に、デュアルカードUEの第2のカードに関連付けられた後、デュアルカードUEのどのカードがそのベアラを更新しようと、デュアルカードUEの他のカードも、更新情報を取得し、同じベアラ更新手順を実行し、これにより、デュアルカードUEの2枚のカードのベアラは同期される、すなわち、第1のベアラおよび外部のベアラが同期される。ISR方式は、UEの2つのRATのベアラが同期されるというものであり、本発明のこの実施形態において提供されるデュアルカードUEによって第1のデータを分割し、コアネットワークエンティティによって、分割することにより得られた第2のデータおよび第3のデータを組み合わせるための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０２４３】
好ましくは、デュアルカードUEによって第1のデータを分割し、コアネットワークエンティティによって、分割することで得られた第2のデータと第3のデータとを組み合わせる前述の方法において、第1のベアラおよび第2のベアラは、さらに、同期されなくてもよく、また配信されるべきデータがあるときに同期され得る。第1のベアラおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０２４４】
本発明の一実施形態は、デュアルカードUEのための別の通信方法をさらに提供する。図12に示されているように、第1のネットワーク側デバイスに関係する、この方法は、デュアルカードデュアルスタンバイデュアルパスUEがアップリンクデータをネットワーク側デバイスに送信するシナリオに適用され得る。本発明のこの実施形態における方法は、コアネットワークエンティティによって実行され得る(コアネットワークエンティティは、SGWまたはSGSNを含み得る)。この方法は、以下のステップを含み得る。
【０２４５】
S1201。コアネットワークエンティティは、デュアルカードUEからアクセス要求を受信し、アクセス要求に従って第1のベアラを確立し、コアネットワークエンティティは、デュアルカードUEの第1のカードに対するサービスを提供し、第1のベアラは、コアネットワークエンティティとデュアルカードUEの第1のカードとの間のデータ通信路である。
【０２４６】
デュアルカードUEが、ネットワークにアクセスする必要があるときに、デュアルカードUEは、最初に、アクセス要求をコアネットワークエンティティに送信し、すなわち、コアネットワークエンティティは、デュアルカードUEからアクセス要求を受信し、次いで、コアネットワークエンティティは、アクセス要求に従ってデュアルカードUEに対する第1のベアラを確立し、第1のベアラは、コアネットワークエンティティとデュアルカードUEの第1のカードとの間のデータ通信路であり、コアネットワークエンティティは、デュアルカードUEの第1のカードが登録されているコアネットワークエンティティであり、デュアルカードUEの第1のカードに対するサービスを提供する。
【０２４７】
S1202。コアネットワークエンティティは、デュアルカードUEの第1のカードとデュアルカードUEの第2のカードとの間の関連付け情報を取得する。
【０２４８】
コアネットワークエンティティは、デュアルカードUEの第1のカードとデュアルカードUEの第2のカードとの間の関連付け情報を取得し、コアネットワークエンティティによって関連付け情報を取得するための特定の方法は、後の実施形態において詳しく説明されている。
【０２４９】
S1203。コアネットワークエンティティは、関連付け情報に従って第2のベアラを確立し、第2のベアラは、コアネットワークエンティティとデュアルカードUEの第2のカードとの間のデータ通信路である。
【０２５０】
コアネットワークエンティティが、デュアルカードUEからアクセス要求を受信した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０２５１】
S1204。コアネットワークエンティティは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される。
【０２５２】
コアネットワークエンティティは、デュアルカードUEから第2のデータと第3のデータとを受信し、第2のデータは、デュアルカードUEが第1のネットワーク側デバイスに送信されるべき第1のデータをデータパケットの2つのグループ、すなわち、第2のデータと第3のデータとに分割した後に、第1のベアラを使用することによりデュアルカードUEによってコアネットワークエンティティに送信され、第3のデータは、第2のベアラを使用することによってデュアルカードUEによってコアネットワークエンティティに送信される。
【０２５３】
S1205。コアネットワークエンティティは、第2のデータと第3のデータとを第1のデータに組み合わせる。
【０２５４】
コアネットワークエンティティが、第2のデータと第3のデータとを受信した後、コアネットワークエンティティは、第2のデータと第3のデータとを第1のデータに組み合わせ、第1のデータを転送し、それにより第1のデータの送信を完了する。
【０２５５】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことに留意されたい。
【０２５６】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０２５７】
本発明のこの実施形態において用意されるデュアルカードUEのための別の通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０２５８】
実施形態3
本発明の一実施形態は、デュアルカードUEのための通信方法を提供し、この方法は、図13に示されているように、ネットワーク側デバイスがダウンリンクデータをデュアルカードデュアルスタンバイデュアルパスUEに送信するシナリオに適用され得る。この方法に関わる第1のネットワーク側デバイスは、アンカーゲートウェイを備えるものとしてよい(アンカーゲートウェイは、PGWまたはGGSNを備え得る)。この方法は、以下のステップを含み得る。
【０２５９】
S1301。デュアルカードUEは、アクセス要求をアンカーゲートウェイに送信し、アンカーゲートウェイは、デュアルカードUEの第1のカードに対するサービスを提供する。
【０２６０】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEのコアネットワークエンティティは、アクセス要求をアンカーゲートウェイに送信し、アンカーゲートウェイは、デュアルカードUEの第1のカードが属すアンカーゲートウェイであり、デュアルカードUEの第1のカードに対してサービスを提供する。
【０２６１】
S1302。アンカーゲートウェイは、アクセス要求に従って第1のベアラを確立し、第1のベアラは、アンカーゲートウェイとデュアルカードUEの第1のカードとの間のデータ通信路である。
【０２６２】
アンカーゲートウェイが、デュアルカードUEからアクセス要求を受信した後、アンカーゲートウェイは、アクセス要求に従ってデュアルカードUEに対する第1のベアラを確立し、第1のベアラは、アンカーゲートウェイとデュアルカードUEの第1のカードとの間のデータ通信路である。
【０２６３】
S1303。アンカーゲートウェイは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０２６４】
デュアルカードUEの第1のカードが登録されているコアネットワークエンティティが、デュアルカードUEの第1のカードとデュアルカードUEの第2のカードとの間の関連付け情報を取得した後に、コアネットワークエンティティは、関連付け情報をアンカーゲートウェイに送信する。アンカーゲートウェイは、取得された関連付け情報に従ってデュアルカードUEに対する第2のベアラを確立し、第2のベアラは、アンカーゲートウェイとデュアルカードUEの第2のカードとの間のデータ通信路である。
【０２６５】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０２６６】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０２６７】
好ましくは、デュアルカードUEの第1のカードの識別子は、デュアルカードUEの第1のカードのIMSI(International Mobile Subscriber Identity、国際移動電話加入者識別番号)またはデュアルカードUEの第1のカードのTMSI(Temporary Mobile Subscriber Identity、一時的移動局加入者識別番号)であってよく、かつ/またはデュアルカードUEの第2のカードの識別子は、デュアルカードUEの第2のカードのIMSIまたはデュアルカードUEの第2のカードのTMSIであってよい。
【０２６８】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０２６９】
特に、デュアルカードUEの第1のカードが登録されているコアネットワークエンティティによって関連付け情報を取得するための特定の方法は、以下のいずれかであってよい。
(1)デュアルカードUEの第1のカードが登録されているコアネットワークエンティティは、HSS(Home Subscriber Service、ホーム加入者サーバ)から、デュアルカードUEの第1のカードの加入情報を受信し、デュアルカードUEの第1のカードの加入情報内の関連付け情報を取得する。
(2)デュアルカードUEの第1のカードが登録されているコアネットワークエンティティは、デュアルカードUEの第1のカードからアクセス要求を受信し、アクセス要求に従って関連付け情報を取得し、アクセス要求は関連付け情報を運ぶ。
【０２７０】
S1304。アンカーゲートウェイは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIP(Internet Protocol、インターネットプロトコル)アドレスを取得する。
【０２７１】
関連付け情報が、デュアルカードUEの第2のカードの識別子を含む場合、デュアルカードUEの第1のカードが登録されているコアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子に従ってデュアルカードUEの第2のカードのIPアドレスを取得する。
【０２７２】
関連付け情報が、デュアルカードUEの第2のカードの識別子と、デュアルカードUEの第2のカードが登録されているコアネットワークエンティティのアドレスとを含む場合、デュアルカードUEの第1のカードが登録されているコアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子と、デュアルカードUEの第2のカードが登録されているコアネットワークエンティティのアドレスとに従ってデュアルカードUEの第2のカードのIPアドレスを取得する。
【０２７３】
特に、前述のプロセスにおいて、関連付け情報は、デュアルカードUEの第1のカードが登録されているコアネットワークエンティティを使用することによって取得されるものとしてよく、コアネットワークエンティティは、アンカーゲートウェイに、デュアルカードUEの第2のカードのIPアドレスなどの必要な関連付け情報を送信し、コアネットワークエンティティは、MMEまたはSGSNを備え得る。
【０２７４】
S1305。アンカーゲートウェイは、デュアルカードUEの第2のカードのIPアドレスに従って第2のベアラを確立し、第2のベアラは、アンカーゲートウェイとデュアルカードUEの第2のカードとの間のデータ通信路である。
【０２７５】
アンカーゲートウェイは、デュアルカードUEの第2のカードのIPアドレスに従ってデュアルカードUEに対する第2のベアラを確立し、第2のベアラは、アンカーゲートウェイとデュアルカードUEの第2のカードとの間のデータ通信路である。
【０２７６】
当業者であれば、IPアドレスが異なるアンカーゲートウェイの間のルーティングを実行するのに必要である、すなわち、デュアルカードUEの第1のカードが属すアンカーゲートウェイが、データをデュアルカードUEの第2のカードが属すアンカーゲートウェイに送信する必要がある場合に、デュアルカードUEの第1のカードが属すアンカーゲートウェイは、デュアルカードUEの第2のカードが属すアンカーゲートウェイのIPアドレスを使用してデータを送信する必要があることを理解することができる。
【０２７７】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０２７８】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０２７９】
好ましくは、デュアルカードUEの第2のカードが登録されているコアネットワークエンティティは、MMEまたはSGSNを含み得る。
【０２８０】
S1306。アンカーゲートウェイは、送信されるべき第1のデータを第2のデータと第3のデータとに分割し、トンネリング技術に従ってデュアルカードUEの第2のカードのIPアドレスを第3のデータに追加する。
【０２８１】
当業者であれば、通信分野では、送信元が第1のデータを送信先に送信する必要がある場合、送信元は、第1のデータを複数のデータパケット(各データパケットのパケットヘッダは、送信元のIPアドレスと送信先のIPアドレスとを運ぶ)にパケット化し、複数のデータパケットを送信先に順次送信する必要があることを理解することができる。すなわち、第1のデータは、複数のデータパケットを含むデータストリームであり、第1のネットワーク側デバイスが第1のデータを受信した場合に、第1のネットワーク側デバイスは、複数のデータパケットをデータパケットの2つのグループ、すなわち、第2のデータと第3のデータとに分割し、第2のデータおよび第3のデータは両方とも、デュアルカードUEの第1のカードのIPアドレスを運び、デュアルカードUEの第1のカードのIPアドレスは、アンカーゲートウェイによってデュアルカードUEの第1のカードに割り当てられる。
【０２８２】
アンカーゲートウェイは、デュアルカードUEに送信されるべき第1のデータをデータパケットの2つのグループ、すなわち第2のデータと第3のデータとに分割し、トンネリング技術に従ってデュアルカードUEの第2のカードのIPアドレスを第3のデータに追加し、これにより、デュアルカードUEの第1のカードのIPアドレスと一緒に、IP in IPカプセル化データパケットを形成する。アンカーゲートウェイによって第1のデータを分割するための基準は、第1のベアラの負荷、第1のベアラのデータ伝送効率、第2のベアラの負荷、および第2のベアラのデータ伝送効率のうちの少なくとも1つであるものとしてよく、前述のトンネリング技術は、IP in IPカプセル化、GRE(Generic Routing Encapsulation、汎用ルーティングカプセル化)、IPSec(Internet Protocol Security、インターネットプロトコルセキュリティ)、または同様のものを含み得る。
【０２８３】
例えば、第1のデータは、をデュアルカードUEの第1のカードに送信される必要のあるデータであり、また、第1のデータの送信元IPアドレスは、D1(任意のアドレス)であり、第1のデータの送信先IPアドレスは、デュアルカードUEの第1のカードのIPアドレスであり、次いで、第2のデータのIPデータパケットの送信元IPアドレスは、D1であり、送信先IPアドレスは、デュアルカードUEの第1のカードのIPアドレスであり、それに対応して、アンカーゲートウェイがトンネリング技術に従って第3のデータをパケット化した後に形成されるIP in IPカプセル化データパケットについては、IP in IPカプセル化データパケットの外部送信元IPアドレスは、D1またはアンカーゲートウェイのアドレスであり、外部送信先IPアドレスは、デュアルカードUEの第2のカードのIPアドレスであり、IP in IPカプセル化データパケットの内部送信元IPアドレスは、D1であり、内部送信先IPアドレスは、デュアルカードUEの第1のカードのIPアドレスであると想定される。このようにして、アンカーゲートウェイは、第2のベアラを使用することによって第3のデータをデュアルカードUEの第2のカードに送信することができ、これにより、デュアルカードUEの第2のカードが、第3のデータがIP in IPカプセル化データパケットであることを学習したときに、デュアルカードUEの第2のカードは、第3のデータをデュアルカードUEの第1のカードに送信し、さらに、第2のデータと第3のデータとを第1のデータに組み合わせた後、デュアルカードUEは、第1のデータに対して対応する処理を実行する。
【０２８４】
送信されるべき第1のデータが、アンカーゲートウェイによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０２８５】
好ましくは、この比が、0:10または10:0であるときに、アンカーゲートウェイは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０２８６】
好ましくは、第1のデータを分割するための前述の基準は、ネットワーク輻輳状況、デュアルカードUEの第1のカードのタリフまたはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０２８７】
好ましくは、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０２８８】
本発明のこの実施形態で提供される通信方法において、デュアルカードUEは、説明の一例としてのみ使用されていることに留意されたい。本発明のこの実施形態において提供される通信方法は、トリプルカードUE、クワッドカードUE、およびマルチカードUEにさらに適用されるものとしてよく、これは本発明において制限されない。
【０２８９】
本発明のこの実施形態で提供される通信方法が、マルチカードUEに適用される場合、それに対応して、第1のネットワーク側デバイスは、送信されるべき第1のデータをデータパケットの複数のグループに分割する必要があり、マルチカードUEの複数のカードを使用することによってデータパケットの複数のグループをマルチカードUEに同時に配信することは理解され得る。
【０２９０】
S1307。アンカーゲートウェイは、第1のベアラを使用することにより第2のデータをデュアルカードUEに送信し、第2のベアラを使用することにより第3のデータをデュアルカードUEに送信する。
【０２９１】
アンカーゲートウェイは、第1のベアラを使用することによって第2のデータをアンカーゲートウェイからデュアルカードUEに送信し、第2のベアラを使用することによって、第3のデータをアンカーゲートウェイからデュアルカードUEの第2のカードが属しているアンカーゲートウェイに送信し、次いで、デュアルカードUEの第2のカードが属しているアンカーゲートウェイは、第2のベアラを使用することによって第3のデータをデュアルカードUEに送信する。
【０２９２】
S1308。デュアルカードUEは、第2のデータと第3のデータとを第1のデータに組み合わせる。
【０２９３】
デュアルカードUEが、アンカーゲートウェイによって送信された第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０２９４】
S1309。デュアルカードUEは、デタッチ要求をアンカーゲートウェイに送信し、デタッチ要求は、デュアルカードUEの第2のカードがデタッチされることを必要としたときにデュアルカードUEによって送信される。
【０２９５】
デュアルカードUEの第2のカードがデタッチされる必要があるときに、デュアルカードUEは、デタッチ要求をデュアルカードUEの第2のカードが属すアンカーゲートウェイに送信し、これにより、デュアルカードUEの第2のカードが属すアンカーゲートウェイは、デタッチ要求をアンカーゲートウェイに送信する。
【０２９６】
S1310。アンカーゲートウェイは、デタッチ要求に従って関連付け情報、または関連付け情報と第2のベアラとを削除する。
【０２９７】
アンカーゲートウェイがデタッチ要求を受信した後に、デタッチ要求に従って、アンカーゲートウェイは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０２９８】
デュアルカードUEの第2のカードがデタッチされる必要があるときに、アンカーゲートウェイは、S1309およびS1310を実行する必要があり、確かに、デュアルカードUEの第2のカードがデタッチされない場合、アンカーゲートウェイは、S1309およびS1310を実行する必要はないことに留意されたい。
【０２９９】
当業者であれば、デュアルカードUEの第1のカードおよびデュアルカードUEの第2のカードは両方とも、複数のPDN(Public Data Network、公衆データ網)接続を同時に確立し、複数のIPアドレスを取得することができることを理解し得る。本発明のこの実施形態において提供されるデュアルカードUEに対する通信方法(ネットワーク側デバイスがアンカーゲートウェイである場合に対応するデュアルカードUEに対する通信方法)において、デュアルカードUEの第1のカードのIPアドレスに対応するサービスのQoS(Quality of Service、サービスの質)およびデュアルカードUEの第2のカードのIPアドレスに対応するサービスのQoSは一貫していることが要求される。デュアルカードUEの第1のカードがあるサービスに対応し、デュアルカードUEの他のカードが、サービスに対応するQoSのPDN接続を有しない場合に、デュアルカードUEの第2のカードが、QoSがデュアルカードUEの第1のカードのサービスのQoSと同じであるPDN接続を確立することがトリガーされるものとしてよく、デュアルカードUEの第2のカードは、デュアルカードUEの第2のカードの対応するIPアドレスを、デュアルカードUEの第1のカードまたはデュアルカードUEの第1のカードが登録されているコアネットワークエンティティに通知する。例えば、デュアルカードUEの第1のカードは、新しいベアラ/PDN接続を開始し、デュアルカードUEの第1のカードは、デュアルカードUEの第2のカードに通知し、デュアルカードUEの第2のカードは、QoSに対応するベアラ/PDN接続がないことを発見し、次いで、デュアルカードUEの第2のカードが、対応するベアラ/PDN接続を確立する手順を開始する。ネットワーク側デバイスによってデュアルカードUEの第2のカードに割り当てられた新しいIPアドレスがある場合、デュアルカードUEの第2のカードは、デュアルカードUEの第1のカードにも直接通知することができ、これにより、デュアルカードUEの第1のカードは、PCO(Protocol Configuration Options、プロトコルコンフィギュレーションオプション)を使用することによって、デュアルカードUEの第1のカードが登録されているコアネットワークエンティティに通知する。
【０３００】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことは理解され得る。
【０３０１】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０３０２】
本発明の一実施形態は、デュアルカードUEのための通信方法をさらに提供し、この方法は、図14に示されているように、ネットワーク側デバイスがダウンリンクデータをデュアルカードデュアルスタンバイデュアルパスUEに送信するシナリオに適用され得る。この方法に関わる第1のネットワーク側デバイスは、コアネットワークエンティティを備え得る(コアネットワークエンティティは、SGWまたはSGSNを備え得る)。この方法は、以下のステップを含み得る。
【０３０３】
S1401。デュアルカードUEは、アクセス要求をコアネットワークエンティティに送信し、コアネットワークエンティティは、デュアルカードUEの第1のカードに対するサービスを提供する。
【０３０４】
例示的に、デュアルカードUEは、2枚のカードが挿入される通信端末である。デュアルカードUEが、ネットワークにアクセスする必要があるときに、デュアルカードUEは、最初に、アクセス要求をコアネットワークエンティティに送信し、コアネットワークエンティティは、デュアルカードUEの第1のカードが登録されているコアネットワークエンティティであり、デュアルカードUEの第1のカードに対するサービスを提供する。
【０３０５】
S1402。コアネットワークエンティティがアクセス要求に従って第1のベアラを確立し、第1のベアラは、コアネットワークエンティティとデュアルカードUEの第1のカードとの間のデータ通信路であり、
【０３０６】
コアネットワークエンティティが、デュアルカードUEからアクセス要求を受信した後、コアネットワークエンティティは、アクセス要求に従ってデュアルカードUEに対する第1のベアラを確立し、第1のベアラは、コアネットワークエンティティとデュアルカードUEの第1のカードとの間のデータ通信路である。
【０３０７】
S1403。コアネットワークエンティティは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０３０８】
コアネットワークエンティティが、デュアルカードUEの第1のカードとデュアルカードUEの第2のカードとの間の関連付け情報を取得した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０３０９】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが登録されているコアネットワークエンティティによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０３１０】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０３１１】
特に、コアネットワークエンティティによって関連付け情報を取得するための特定の方法は、次のいずれかであるものとしてよい。
(1)コアネットワークエンティティは、HSSから、デュアルカードUEの第1のカードの加入情報を受信し、デュアルカードUEの第1のカードの加入情報内の関連付け情報を取得する。
(2)コアネットワークエンティティは、デュアルカードUEの第1のカードからアクセス要求を受信し、アクセス要求に従って関連付け情報を取得し、アクセス要求は関連付け情報を運ぶ。
【０３１２】
S1404。コアネットワークエンティティは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立し、第2のベアラは、コアネットワークエンティティとデュアルカードUEの第2のカードとの間のデータ通信路である。
【０３１３】
関連付け情報が、デュアルカードUEの第2のカードの識別子を含む場合、コアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティを使用することによってデュアルカードUEに対する第2のベアラを確立し、第2のベアラは、コアネットワークエンティティとデュアルカードUEの第2のカードとの間のデータ通信路である。
【０３１４】
関連付け情報が、デュアルカードUEの第2のカードの識別子と、デュアルカードUEの第2のカードが登録されているコアネットワークエンティティのアドレスとを含む場合、コアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードの識別子に従って、デュアルカードUEの第2のカードが登録されているコアネットワークエンティティを使用することによってデュアルカードUEに対する第2のベアラを確立し、第2のベアラは、コアネットワークエンティティとデュアルカードUEの第2のカードとの間のデータ通信路である。
【０３１５】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０３１６】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、デュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０３１７】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０３１８】
S1405。コアネットワークエンティティは、送信されるべき第1のデータを第2のデータと第3のデータとに分割する。
【０３１９】
コアネットワークエンティティは、前述の分割基準に従って、デュアルカードUEに送信されるべき第1のデータをデータパケットの2つのグループ、すなわち第2のデータと第3のデータとに分割する。
【０３２０】
送信されるべき第1のデータが、コアネットワークエンティティによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０３２１】
好ましくは、この比が、0:10または10:0であるときに、コアネットワークエンティティは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０３２２】
S1406。コアネットワークエンティティは、第1のベアラを使用することにより第2のデータをデュアルカードUEに送信し、第2のベアラを使用することにより第3のデータをデュアルカードUEに送信する。
【０３２３】
コアネットワークエンティティは、第1のベアラを使用することによって第2のデータをコアネットワークエンティティからデュアルカードUEに送信し、第2のベアラを使用することによって、第3のデータを、デュアルカードUEの第2のカードが登録されているコアネットワークエンティティに送信し、次いで、デュアルカードUEの第2のカードが登録されているコアネットワークエンティティが、第2のベアラを使用することによって第3のデータをデュアルカードUEに送信する。
【０３２４】
第1のネットワーク側デバイスが、コアネットワークエンティティであるときに、コアネットワークエンティティとアンカーゲートウェイとの間のベアラは、デュアルカードUEの第1のカードとデュアルカードUEの第2のカードとによって共有されるベアラである。
【０３２５】
S1407。デュアルカードUEは、第2のデータと第3のデータとを第1のデータに組み合わせる。
【０３２６】
デュアルカードUEが、コアネットワークエンティティによって送信された第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０３２７】
S1408。デュアルカードUEは、デタッチ要求をコアネットワークエンティティに送信し、デタッチ要求は、デュアルカードUEの第2のカードがデタッチされることを必要としたときにデュアルカードUEによって送信される。
【０３２８】
デュアルカードUEの第2のカードがデタッチされる必要があるときに、デュアルカードUEは、デタッチ要求をデュアルカードUEの第2のカードが登録されているコアネットワークエンティティに送信し、これにより、デュアルカードUEの第2のカードが登録されているコアネットワークエンティティは、デタッチ要求をコアネットワークエンティティに送信する。
【０３２９】
S1409。コアネットワークエンティティは、デタッチ要求に従って関連付け情報、または関連付け情報と第2のベアラとを削除する。
【０３３０】
コアネットワークエンティティがデタッチ要求を受信した後に、デタッチ要求に従って、コアネットワークエンティティは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０３３１】
デュアルカードUEの第2のカードがデタッチされる必要があるときに、コアネットワークエンティティは、S1408およびS1409を実行する必要があり、確かに、デュアルカードUEの第2のカードがデタッチされない場合、コアネットワークエンティティは、S1408およびS1409を実行する必要はない。
【０３３２】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことは理解され得る。
【０３３３】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０３３４】
特に、コアネットワークエンティティによって第1のデータを分割するための前述の方法において、デュアルカードUEの第1のカードが、ISR方式と同様に、デュアルカードUEの第2のカードに関連付けられた後、デュアルカードUEのどのカードがそのベアラを更新しようと、デュアルカードUEの他のカードも、更新情報を取得し、同じベアラ更新手順を実行し、これにより、デュアルカードUEの2枚のカードのベアラは同期される、すなわち、第1のベアラおよび外部のベアラが同期される。ISR方式は、UEの2つのRATのベアラが同期されるというものであり、本発明のこの実施形態において提供されるコアネットワークエンティティによって第1のデータを分割するための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０３３５】
好ましくは、コアネットワークエンティティによって第1のデータを分割するための前述の方法において、第1のベアラおよび第2のベアラは、さらに、同期されなくてもよく、また配信されるべきデータがあるときに同期され得る。第1のベアラおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０３３６】
本発明のこの実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することによって第2のデータをデュアルカードUEに送信し、第2のベアラを使用することによって第3のデータをデュアルカードUEに送信し、それにより、デュアルカードUEが第2のデータと第3のデータとを第1のデータに組み合わせる。この解決方法によれば、デュアルカードUEの2枚のカードが互いに関連付けられているという条件において、ネットワーク側デバイスは、送信されるべきデータ、すなわち、デュアルカードUEに送信される必要のあるデータ、を分割した後に、デュアルカードUEの2枚のカードのベアラを別々に使用することによって同時に、分割されたデータを配信することができ、したがって、デュアルカードUEの通信手順が最適化され、これにより、サービスのレートを改善し、通信効率を高め、ユーザエクスペリエンスを改善することができる。
【０３３７】
本発明の一実施形態は、デュアルカードUEのための別の通信方法を提供し、この方法は、図15に示されているように、デュアルカードデュアルスタンバイデュアルパスUEがアップリンクデータをネットワーク側デバイスに送信するシナリオに適用され得る。この方法に関わる第1のネットワーク側デバイスは、アンカーゲートウェイを備えるものとしてよい(アンカーゲートウェイは、PGWまたはGGSNを備え得る)。この方法は、以下のステップを含み得る。
【０３３８】
S1501。デュアルカードUEは、アクセス要求をアンカーゲートウェイに送信し、アンカーゲートウェイは、デュアルカードUEの第1のカードに対するサービスを提供する。
【０３３９】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、アンカーゲートウェイは、デュアルカードUEの第1のカードが属すアンカーゲートウェイであり、デュアルカードUEの第1のカードに対してサービスを提供する。
【０３４０】
S1502。アンカーゲートウェイは、アクセス要求に従って第1のベアラを確立し、第1のベアラは、アンカーゲートウェイとデュアルカードUEの第1のカードとの間のデータ通信路である。
【０３４１】
アンカーゲートウェイが、デュアルカードUEからアクセス要求を受信した後、アンカーゲートウェイは、アクセス要求に従ってデュアルカードUEに対する第1のベアラを確立し、第1のベアラは、アンカーゲートウェイとデュアルカードUEの第1のカードとの間のデータ通信路である。
【０３４２】
S1503。アンカーゲートウェイは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０３４３】
デュアルカードUEの第1のカードとデュアルカードUEの第2のカードとの間の関連付け情報を取得した後、デュアルカードUEの第1のカードが登録されているコアネットワークエンティティは、関連付け情報をアンカーゲートウェイに送信する、すなわち、アンカーゲートウェイが関連付け情報取得した後に、アンカーゲートウェイは、関連付け情報に従ってデュアルカードUEに対する第2のベアラを確立し、第2のベアラは、アンカーゲートウェイとデュアルカードUEの第2のカードとの間のデータ通信路である。
【０３４４】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０３４５】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０３４６】
特に、デュアルカードUEの第1のカードが登録されているコアネットワークエンティティによって関連付け情報を取得するための特定の方法は、以下のいずれかであってよい。
(1)デュアルカードUEの第1のカードが登録されているコアネットワークエンティティは、HSSから、デュアルカードUEの第1のカードの加入情報を受信し、デュアルカードUEの第1のカードの加入情報内の関連付け情報を取得する。
(2)デュアルカードUEの第1のカードが登録されているコアネットワークエンティティは、デュアルカードUEの第1のカードからアクセス要求を受信し、アクセス要求に従って関連付け情報を取得し、アクセス要求は関連付け情報を運ぶ。
【０３４７】
S1504。アンカーゲートウェイは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得する。
【０３４８】
関連付け情報が、デュアルカードUEの第2のカードの識別子を含む場合、デュアルカードUEの第1のカードが登録されているコアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子に従ってデュアルカードUEの第2のカードのIPアドレスを取得する。
【０３４９】
関連付け情報が、デュアルカードUEの第2のカードの識別子と、デュアルカードUEの第2のカードが登録されているコアネットワークエンティティのアドレスとを含む場合、デュアルカードUEの第1のカードが登録されているコアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子と、デュアルカードUEの第2のカードが登録されているコアネットワークエンティティのアドレスとに従ってデュアルカードUEの第2のカードのIPアドレスを取得する。
【０３５０】
S1505。アンカーゲートウェイは、デュアルカードUEの第2のカードのIPアドレスに従って第2のベアラを確立し、第2のベアラは、アンカーゲートウェイとデュアルカードUEの第2のカードとの間のデータ通信路である。
【０３５１】
アンカーゲートウェイは、デュアルカードUEの第2のカードのIPアドレスに従ってデュアルカードUEの第2のカードに対する第2のベアラを確立し、第2のベアラは、アンカーゲートウェイとデュアルカードUEの第2のカードとの間のデータ通信路である。
【０３５２】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０３５３】
当業者であれば、IPアドレスが異なるアンカーゲートウェイの間のルーティングを実行するのに必要である、すなわち、デュアルカードUEの第1のカードが属すアンカーゲートウェイが、データをデュアルカードUEの第2のカードが属すアンカーゲートウェイに送信する必要がある場合、デュアルカードUEの第1のカードが属すアンカーゲートウェイは、デュアルカードUEの第2のカードが属すアンカーゲートウェイのIPアドレスを使用してデータを送信する必要があることを理解することができる。
【０３５４】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０３５５】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０３５６】
好ましくは、デュアルカードUEの第1のカードが登録されている前述のコアネットワークエンティティは、MMEまたはSGSNを含み、かつ/または、デュアルカードUEの第2のカードが登録されているコアネットワークエンティティは、MMEまたはSGSNを含み得る。
【０３５７】
S1506。デュアルカードUEは、送信されるべき第1のデータを第2のデータと第3のデータとに分割し、トンネリング技術に従ってデュアルカードUEの第2のカードのIPアドレスを第3のデータに追加する。
【０３５８】
当業者であれば、通信分野では、送信元が第1のデータを送信先に送信する必要がある場合、送信元は、第1のデータを複数のデータパケット(各データパケットのパケットヘッダは、送信元のIPアドレスと送信先のIPアドレスとを運ぶ)にパケット化し、複数のデータパケットを送信先に順次送信する必要があることを理解することができる。すなわち、第1のデータは、複数のデータパケットを含むデータストリームであり、デュアルカードUEが、第1のデータを送信先に送信する場合、デュアルカードUEは、複数のデータパケットをデータパケットの2つのグループ、すなわち第2のデータと第3のデータとに分割し、第2のデータおよび第3のデータは両方とも、デュアルカードUEの第1のカードのIPアドレスを運び、デュアルカードUEの第1のカードのIPアドレスは、アンカーゲートウェイによってデュアルカードUEの第1のカードに割り当てられる。
【０３５９】
デュアルカードUEは、アンカーゲートウェイに送信されるべき第1のデータをデータパケットの2つのグループ、すなわち第2のデータと第3のデータとに分割し、トンネリング技術に従ってデュアルカードUEの第2のカードのIPアドレスを第3のデータに追加し、これにより、デュアルカードUEの第1のカードのIPアドレスと一緒に、IP in IPカプセル化データパケットを形成し、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、プリセットされたポリシーは、デュアルカードUEの内部ソフトウェアプログラムを使用することによって一体化されるものとしてよく、これにより、デュアルカードUEは、デュアルカードUEの第2のカードからデュアルカードUEの第2のカードのIPアドレスを取得することができる。デュアルカードUEにより第1のデータを分割するための基準は、第1のベアラの負荷、第1のベアラのデータ伝送効率、第2のベアラの負荷、および第2のベアラのデータ伝送効率のうちの少なくとも1つであるものとしてよく、前述のトンネリング技術は、IP in IPカプセル化、GRE、IPSec、または同様のものを含み得る。
【０３６０】
例えば、第1のデータは、アンカーゲートウェイに送信される必要のあるデータであり、第1のデータの送信元IPアドレスは、デュアルカードUEの第1のカードのIPアドレスであり、第1のデータの送信先IPアドレスはD1(任意のアドレス)であり、次いで、第2のデータのIPデータパケットの送信元IPアドレスは、デュアルカードUEの第1のカードのIPアドレスであり、送信先IPアドレスは、D1であると想定され、それに対応して、トンネリング技術に従ってデュアルカードUEが第3のデータをパケット化した後に形成されるIP in IPカプセル化データパケットの外部送信元IPアドレスは、デュアルカードUEの第2のカードのIPアドレスであり、外部送信先IPアドレスは、D1またはアンカーゲートウェイのアドレスであり、IP in IPカプセル化データパケットの内部送信元IPアドレスは、デュアルカードUEの第1のカードのIPアドレスであり、内部送信先IPアドレスは、D1である。このようにして、デュアルカードUEは、第2のベアラを使用することによって、第3のデータを、デュアルカードUEの第2のカードが属しているアンカーゲートウェイに送信することができ、これにより、デュアルカードUEの第2のカードが属しているアンカーゲートウェイは、第2のベアラを使用することによって第3のデータをアンカーゲートウェイに、すなわち、デュアルカードUEの第1のカードが属しているアンカーゲートウェイに送信し、これにより、アンカーゲートウェイは、第2のデータと第3のデータとを第1のデータに組み合わせる。
【０３６１】
特に、IP in IPカプセル化データパケットの外部送信先IPアドレスがD1である場合、第3のデータは、D1に送信されるものとしてよく、次いで、送信先デバイスは、IP in IPカプセル化データパケットを解析することによって内部送信元IPアドレスと内部送信先IPアドレスとを取得するが、この方法では、送信先デバイスは、IP in IPカプセル化トンネリング技術をサポートしている必要がある。IP in IPカプセル化データパケットの外部送信先IPアドレスが、アンカーゲートウェイのアドレスである場合、デュアルカードUEは、最初に、デュアルカードUEの第2のカードのシステムを使用することによって、第3のデータを、デュアルカードUEの第2のカードが属しているアンカーゲートウェイに送信し、次いで、デュアルカードUEの第2のカードが属しているアンカーゲートウェイは、IP in IPカプセル化データパケットの外部送信先IPアドレスに従って第3のデータをアンカーゲートウェイに送信し、これにより、アンカーゲートウェイは、IP in IPカプセル化データパケットを解析し、第2のデータと第3のデータとを第1のデータに組み合わせた後に、IP in IPカプセル化データパケットの内部送信元IPアドレスおよび内部送信先IPアドレスに従って第1のデータをD1に送信する。
【０３６２】
送信されるべき第1のデータが、デュアルカードUEによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０３６３】
好ましくは、この比が、0:10または10:0であるときに、デュアルカードUEは、第1のデータを分割していないが、好ましいベアラ(第1のベアラまたは第2のベアラ)を使用することによって第1のデータをアンカーゲートウェイに送信するのみであることが指示される。この比が、0:10または10:0であるときに、本発明のこの実施形態において提供されるデュアルカードUEのための通信方法は、デュアルカードシングルパスUEにも適用され得る。
【０３６４】
好ましくは、第1のデータを分割するための前述の基準は、ネットワーク輻輳状況、デュアルカードUEの第1のカードのタリフまたはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０３６５】
好ましくは、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０３６６】
本発明のこの実施形態で提供される別の通信方法において、デュアルカードUEは、説明の一例としてのみ使用されていることに留意されたい。本発明のこの実施形態において提供される別の通信方法は、トリプルカードUE、クワッドカードUE、およびマルチカードUEにさらに適用されるものとしてよく、これは本発明において制限されない。
【０３６７】
本発明のこの実施形態で提供される別の通信方法が、マルチカードUEに適用される場合、それに対応して、マルチカードUEは、送信されるべき第1のデータをデータパケットの複数のグループに分割する必要があり、マルチカードUEの複数のカードを使用することによってデータパケットの複数のグループを第1のネットワーク側デバイスに同時に送信することは理解され得る。
【０３６８】
S1507。デュアルカードUEは、第1のベアラを使用することにより第2のデータをアンカーゲートウェイに送信し、第2のベアラを使用することによって第3のデータをアンカーゲートウェイに送信する。
【０３６９】
デュアルカードUEは、第1のベアラを使用することにより第2のデータをデュアルカードUEからアンカーゲートウェイに送信し、第2のベアラを使用することによって、第3のデータを、デュアルカードUEからデュアルカードUEの第2のカードが属しているアンカーゲートウェイに送信し、次いで、デュアルカードUEの第2のカードが属しているアンカーゲートウェイは、第2のベアラを使用することによって第3のデータをアンカーゲートウェイに送信する。
【０３７０】
S1508。アンカーゲートウェイは、第2のデータと第3のデータとを第1のデータに組み合わせる。
【０３７１】
アンカーゲートウェイが、デュアルカードUEによって送信された第2のデータと第3のデータとを受信した後、アンカーゲートウェイは、第2のデータと第3のデータとを第1のデータに組み合わせ、第1のデータを転送し、それにより第1のデータの送信を完了する。
【０３７２】
S1509。アンカーゲートウェイは、デュアルカードUEからデタッチ要求を受信し、デタッチ要求は、デュアルカードUEの第2のカードがデタッチされることを必要としたときにデュアルカードUEによって送信される。
【０３７３】
デュアルカードUEの第2のカードがデタッチされる必要があるときに、デュアルカードUEは、デタッチ要求をデュアルカードUEの第2のカードが属すアンカーゲートウェイに送信し、これにより、デュアルカードUEの第2のカードが属すアンカーゲートウェイは、デタッチ要求をアンカーゲートウェイに送信する。
【０３７４】
S1510。アンカーゲートウェイは、デタッチ要求に従って関連付け情報、または関連付け情報と第2のベアラとを削除する。
【０３７５】
アンカーゲートウェイがデタッチ要求を受信した後に、デタッチ要求に従って、アンカーゲートウェイは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０３７６】
デュアルカードUEの第2のカードがデタッチされる必要があるときに、アンカーゲートウェイは、S1509およびS1510を実行する必要があり、確かに、デュアルカードUEの第2のカードがデタッチされない場合、アンカーゲートウェイは、S1509およびS1510を実行する必要はない。
【０３７７】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことは理解され得る。
【０３７８】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０３７９】
本発明の一実施形態は、デュアルカードUEのための別の通信方法をさらに提供し、この方法は、図16に示されているように、デュアルカードデュアルスタンバイデュアルパスUEがアップリンクデータをネットワーク側デバイスに送信するシナリオに適用され得る。この方法に関わる第1のネットワーク側デバイスは、コアネットワークエンティティを備え得る(コアネットワークエンティティは、SGWまたはSGSNを備え得る)。この方法は、以下のステップを含み得る。
【０３８０】
S1601。デュアルカードUEは、アクセス要求をコアネットワークエンティティに送信し、コアネットワークエンティティは、デュアルカードUEの第1のカードに対するサービスを提供する。
【０３８１】
例示的に、デュアルカードUEは、2枚のカードが挿入される通信端末である。デュアルカードUEが、ネットワークにアクセスする必要があるときに、デュアルカードUEは、最初に、アクセス要求をコアネットワークエンティティに送信し、コアネットワークエンティティは、デュアルカードUEの第1のカードが登録されているコアネットワークエンティティであり、デュアルカードUEの第1のカードに対するサービスを提供する。
【０３８２】
S1602。コアネットワークエンティティがアクセス要求に従って第1のベアラを確立し、第1のベアラは、コアネットワークエンティティとデュアルカードUEの第1のカードとの間のデータ通信路である。
【０３８３】
コアネットワークエンティティが、デュアルカードUEからアクセス要求を受信した後、コアネットワークエンティティは、アクセス要求に従ってデュアルカードUEに対する第1のベアラを確立し、第1のベアラは、コアネットワークエンティティとデュアルカードUEの第1のカードとの間のデータ通信路である。
【０３８４】
S6403。コアネットワークエンティティは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０３８５】
コアネットワークエンティティが、デュアルカードUEからアクセス要求を受信した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０３８６】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０３８７】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが登録されているコアネットワークエンティティによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが登録されているコアネットワークエンティティによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０３８８】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０３８９】
特に、コアネットワークエンティティによって関連付け情報を取得するための特定の方法は、次のいずれかであるものとしてよい。
(1)コアネットワークエンティティは、HSSから、デュアルカードUEの第1のカードの加入情報を受信し、デュアルカードUEの第1のカードの加入情報内の関連付け情報を取得する。
(2)コアネットワークエンティティは、デュアルカードUEの第1のカードからアクセス要求を受信し、アクセス要求に従って関連付け情報を取得し、アクセス要求は関連付け情報を運ぶ。
【０３９０】
S1604。コアネットワークエンティティは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立し、第2のベアラは、コアネットワークエンティティとデュアルカードUEの第2のカードとの間のデータ通信路である。
【０３９１】
関連付け情報が、デュアルカードUEの第2のカードの識別子を含む場合、コアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティを使用することによってデュアルカードUEに対する第2のベアラを確立し、第2のベアラは、コアネットワークエンティティとデュアルカードUEの第2のカードとの間のデータ通信路である。
【０３９２】
関連付け情報が、デュアルカードUEの第2のカードの識別子と、デュアルカードUEの第2のカードが登録されているコアネットワークエンティティのアドレスとを含む場合、コアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードの識別子に従って、デュアルカードUEの第2のカードが登録されているコアネットワークエンティティを使用することによってデュアルカードUEの第2のカードに対する第2のベアラを確立し、第2のベアラは、コアネットワークエンティティとデュアルカードUEの第2のカードとの間のデータ通信路である。
【０３９３】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、デュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０３９４】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０３９５】
S1605。デュアルカードUEは、送信されるべき第1のデータを第2のデータと第3のデータとに分割する。
【０３９６】
デュアルカードUEは、前述の分割基準に従って、コアネットワークエンティティに送信されるべき第1のデータをデータパケットの2つのグループ、すなわち第2のデータと第3のデータとに分割する。
【０３９７】
S1606。デュアルカードUEは、第1のベアラを使用することにより第2のデータをコアネットワークエンティティに送信し、第2のベアラを使用することによって、第3のデータをコアネットワークエンティティに送信する。
【０３９８】
デュアルカードUEは、第1のベアラを使用することによって第2のデータをデュアルカードUEからコアネットワークエンティティに送信し、第2のベアラを使用することによって、第3のデータを、デュアルカードUEからデュアルカードUEの第2のカードが登録されているコアネットワークエンティティに送信し、次いで、デュアルカードUEの第2のカードが登録されているコアネットワークエンティティが、第2のベアラを使用することによって第3のデータをコアネットワークエンティティに送信する。
【０３９９】
第1のネットワーク側デバイスが、コアネットワークエンティティであるときに、コアネットワークエンティティとアンカーゲートウェイとの間のベアラは、デュアルカードUEの第1のカードとデュアルカードUEの第2のカードとによって共有されるベアラであることに留意されたい。
【０４００】
S1607。コアネットワークエンティティは、第2のデータと第3のデータとを第1のデータに組み合わせる。
【０４０１】
コアネットワークエンティティが、デュアルカードUEによって送信された第2のデータと第3のデータとを受信した後、コアネットワークエンティティは、第2のデータと第3のデータとを第1のデータに組み合わせ、第1のデータを転送し、それにより第1のデータの送信を完了する。
【０４０２】
特に、デュアルカードUEによって第1のデータを分割し、コアネットワークエンティティによって、分割することで得られた第2のデータと第3のデータとを組み合わせる前述の方法において、デュアルカードUEの第1のカードが、ISR方式と同様に、デュアルカードUEの第2のカードに関連付けられた後、デュアルカードUEのどのカードがそのベアラを更新しようと、デュアルカードUEの他のカードも、更新情報を取得し、同じベアラ更新手順を実行し、これにより、デュアルカードUEの2枚のカードのベアラは同期される、すなわち、第1のベアラおよび外部のベアラが同期される。ISR方式は、UEの2つのRATのベアラが同期されるというものであり、本発明のこの実施形態において提供されるデュアルカードUEによって第1のデータを分割し、コアネットワークエンティティによって、分割することにより得られた第2のデータおよび第3のデータを組み合わせるための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０４０３】
好ましくは、デュアルカードUEによって第1のデータを分割し、コアネットワークエンティティによって、分割することで得られた第2のデータと第3のデータとを組み合わせる前述の方法において、第1のベアラおよび第2のベアラは、さらに、同期されなくてもよく、また配信されるべきデータがあるときに同期され得る。第1のベアラおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０４０４】
S1608。デュアルカードUEは、デタッチ要求をコアネットワークエンティティに送信し、デタッチ要求は、デュアルカードUEの第2のカードがデタッチされることを必要としたときにデュアルカードUEによって送信される。
【０４０５】
デュアルカードUEの第2のカードがデタッチされる必要があるときに、デュアルカードUEは、デタッチ要求をデュアルカードUEの第2のカードが登録されているコアネットワークエンティティに送信し、これにより、デュアルカードUEの第2のカードが登録されているコアネットワークエンティティは、デタッチ要求をコアネットワークエンティティに送信する。
【０４０６】
S1609。コアネットワークエンティティは、デタッチ要求に従って関連付け情報、または関連付け情報と第2のベアラとを削除する。
【０４０７】
コアネットワークエンティティがデタッチ要求を受信した後に、デタッチ要求に従って、コアネットワークエンティティは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０４０８】
デュアルカードUEの第2のカードがデタッチされる必要があるときに、コアネットワークエンティティは、S1608およびS1609を実行する必要があり、確かに、デュアルカードUEの第2のカードがデタッチされない場合、コアネットワークエンティティは、S1608およびS1609を実行する必要はないことに留意されたい。
【０４０９】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことは理解され得る。
【０４１０】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０４１１】
本発明のこの実施形態において用意されるデュアルカードUEのための別の通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４１２】
実施形態4
図17に示されているように、本発明の一実施形態は、ネットワーク側デバイスがダウンリンクデータをデュアルカードデュアルスタンバイデュアルパスUEに送信するシナリオに適用され得る、ネットワーク側デバイス1を実現し、本発明の一実施形態において提供される通信方法に対応する。ネットワーク側デバイス1は、
デュアルカードUEからアクセス要求を受信するように構成された第1の受信ユニット10と、
デュアルカードUEの第1のカードとデュアルカードUEの第2のカードとの間の関連付け情報を取得するように構成された第1の取得ユニット11と、
アクセス要求に従って第1のベアラを確立し、関連付け情報に従って第2のベアラを確立するように構成された第1の確立ユニット12であって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供する、第1の確立ユニット12と、
送信されるべき第1のデータを第2のデータと第3のデータとに分割するように構成された第1の処理ユニット13と、
第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成された第1の送信ユニットと14を備える。
【０４１３】
適宜、第1の受信ユニット10は、HSSから、デュアルカードUEの第1のカードの加入情報を受信するように特に構成され、第1の取得ユニット11は、デュアルカードUEの第1のカードの加入情報内の関連付け情報を取得するように特に構成される。
【０４１４】
代替的に、
第1の受信ユニット10は、デュアルカードUEの第1のカードからアクセス要求を受信するように特に構成され、アクセス要求は関連付け情報を運び、第1の取得ユニット11は、アクセス要求に従って関連付け情報を取得するように特に構成される。
【０４１５】
適宜、第1の取得ユニット11は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得するように特に構成される。
【０４１６】
好ましくは、第1の処理ユニット13は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４１７】
適宜、ネットワーク側デバイス1は、アンカーゲートウェイを備え、アンカーゲートウェイは、PGWまたはGGSNを備える。
【０４１８】
第1の取得ユニット11は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するように特に構成され、第1の確立ユニット12は、デュアルカードUEの第2のカードのIPアドレスに従って第2のベアラを確立するように特に構成される。
【０４１９】
適宜、第1の処理ユニット13によって、分割することにより得られる第2のデータおよび第3のデータは、デュアルカードUEの第1のカードのIPアドレスを運ぶ。
【０４２０】
第1の処理ユニット13は、デュアルカードUEの第2のカードのIPアドレスを第3のデータに追加するように特に構成され、第1の送信ユニット14は、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【０４２１】
適宜、第1の処理ユニット13は、トンネリング技術に従ってデュアルカードUEの第2のカードのIPアドレスを第3のデータに追加するように特に構成され、トンネリング技術は、IP in IPカプセル化、GRE、およびIPSecを含む。
【０４２２】
適宜、ネットワーク側デバイス1は、コアネットワークエンティティを備え、コアネットワークエンティティは、SGWまたはSGSNを備える。
【０４２３】
第1の確立ユニット12は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４２４】
適宜、第1の受信ユニット10は、デュアルカードUEからデタッチ要求を受信するようにさらに構成され、デタッチ要求は、デュアルカードUEの第2のカードがデタッチされることを必要としたときにデュアルカードUEによって送信され、第1の処理ユニット13は、デタッチ要求に従って関連付け情報、または関連付け情報と第2のベアラとを削除するようにさらに構成される。
【０４２５】
本発明の一実施形態は、ネットワーク側デバイスを実現し、ネットワーク側デバイスは、デュアルカードUEからアクセス要求を受信し、アクセス要求に従って第1のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、ネットワーク側デバイスがデュアルカードUEの第1のカードとデュアルカードUEの第2のカードとの間の関連付け情報を取得した後、ネットワーク側デバイスが関連付け情報に従って第2のベアラを確立し、第2のベアラはネットワーク側デバイスとデュアルカードUEの第2のカードとの間のデータ通信路であり、ネットワーク側デバイスが送信されるべき第1のデータを第2のデータと第3のデータとに分割した後に、ネットワーク側デバイスは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４２６】
図18に示されているように、本発明の一実施形態は、ネットワーク側デバイスがダウンリンクデータをデュアルカードデュアルスタンバイデュアルパスUEに送信するシナリオに適用され得る、デュアルカードUE2を実現し、本発明の一実施形態において提供される通信方法に対応する。デュアルカードUE2は、
アクセス要求を第1のネットワーク側デバイスに送信するように構成された第2の送信ユニット20であって、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニット20と、
第1のネットワーク側デバイスから第2のデータと第3のデータとを受信するように構成された第2の受信ユニット21であって、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される、第2の受信ユニット21と、
第2のデータと第3のデータとを第1のデータに組み合わせるように構成された第2の処理ユニット22とを備える。
【０４２７】
適宜、第2の送信ユニット20は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４２８】
本発明のこの実施形態は、デュアルカードUEを実現し、デュアルカードUEは、アクセス要求を第1のネットワーク側デバイスに送信し、これにより、第1のネットワーク側デバイスは、アクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEは、第1のネットワーク側デバイスから第2のデータと第3のデータとを受信し、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信され、デュアルカードUEは、第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４２９】
図19に示されているように、本発明の一実施形態は、デュアルカードデュアルスタンバイデュアルパスUEがダウンリンクデータをネットワーク側デバイスに送信するシナリオに適用され得る、デュアルカードUE2を実現し、本発明の一実施形態において提供される別の通信方法に対応する。デュアルカードUE2は、
アクセス要求を第1のネットワーク側デバイスに送信するように構成された第2の送信ユニット20であって、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニット20と、
送信されるべき第1のデータを第2のデータと第3のデータとに分割するように構成された第2の処理ユニット22とを備える。
【０４３０】
第2の送信ユニット20は、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される。
【０４３１】
適宜、第2の処理ユニット22は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４３２】
適宜、第1のネットワーク側デバイスは、アンカーゲートウェイを備え、アンカーゲートウェイは、PGWまたはGGSNを備え、第2の処理ユニット22によって、分割することにより得られる第2のデータおよび第3のデータは、アンカーゲートウェイのIPアドレスを運び、アンカーゲートウェイのIPアドレスは、アンカーゲートウェイからデュアルカードUEによって取得される。
【０４３３】
第2の処理ユニット22は、デュアルカードUEの第2のカードのIPアドレスを第3のデータに追加するように特に構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、第2の送信ユニット20は、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【０４３４】
適宜、第2の処理ユニット22は、トンネリング技術に従ってデュアルカードUEの第2のカードのIPアドレスを第3のデータに追加するように特に構成され、トンネリング技術は、IP in IPカプセル化、GRE、およびIPSecを含む。
【０４３５】
適宜、第2の送信ユニット20は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４３６】
本発明のこの実施形態は、デュアルカードUEを実現し、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４３７】
図20に示されているように、本発明の一実施形態は、デュアルカードデュアルスタンバイデュアルパスUEがアップリンクデータをネットワーク側デバイスに送信するシナリオに適用される、ネットワーク側デバイス1を実現し、本発明の一実施形態において提供される別の通信方法に対応する。ネットワーク側デバイス1は、
デュアルカードUEからアクセス要求を受信するように構成された第1の受信ユニット10と、
デュアルカードUEの第1のカードとデュアルカードUEの第2のカードとの間の関連付け情報を取得するように構成された第1の取得ユニット11と、
アクセス要求に従って第1のベアラを確立し、関連付け情報に従って第2のベアラを確立するように構成された第1の確立ユニット12であって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、
第1の受信ユニット10は、デュアルカードUEから第2のデータと第3のデータとを受信するようにさらに構成され、第2のデータは、デュアルカードUEが送信されるべき第1のデータを第2のデータと第3のデータとに分割した後第1のベアラを使用することによりデュアルカードUEによって送信され、第3のデータは、第2のベアラを使用することによりデュアルカードUEによって送信される、第1の確立ユニット12と、
第2のデータと第3のデータとを第1のデータに組み合わせるように構成された第1の処理ユニット13とを備える。
【０４３８】
適宜、第1の受信ユニット10は、HSSから、デュアルカードUEの第1のカードの加入情報を受信するように特に構成され、第1の取得ユニット11は、デュアルカードUEの第1のカードの加入情報内の関連付け情報を取得するように特に構成される。
【０４３９】
代替的に、
第1の受信ユニット10は、デュアルカードUEの第1のカードからアクセス要求を受信するように特に構成され、アクセス要求は関連付け情報を運び、第1の取得ユニット11は、アクセス要求に従って関連付け情報を取得するように特に構成される。
【０４４０】
適宜、第1の取得ユニット11は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得するように特に構成される。
【０４４１】
適宜、ネットワーク側デバイスは、アンカーゲートウェイを備え、アンカーゲートウェイは、PGWまたはGGSNを備える。
【０４４２】
第1の取得ユニット11は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するように特に構成され、第1の確立ユニット12は、デュアルカードUEの第2のカードのIPアドレスに従って第2のベアラを確立するように特に構成される。
【０４４３】
適宜、ネットワーク側デバイスは、コアネットワークエンティティを備え、コアネットワークエンティティは、SGWまたはSGSNを備える。
【０４４４】
第1の確立ユニット12は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４４５】
適宜、第1の受信ユニット10は、デュアルカードUEからデタッチ要求を受信するようにさらに構成され、デタッチ要求は、デュアルカードUEの第2のカードがデタッチされることを必要としたときにデュアルカードUEによって送信され、第1の処理ユニット13は、デタッチ要求に従って関連付け情報、または関連付け情報と第2のベアラとを削除するようにさらに構成される。
【０４４６】
本発明の一実施形態は、ネットワーク側デバイスを実現し、ネットワーク側デバイスは、デュアルカードUEからアクセス要求を受信し、アクセス要求に従って第1のベアラを確立し、デュアルカードUEの第1のカードとデュアルカードUEの第2のカードとの間の関連付け情報を取得した後、ネットワーク側デバイスが関連付け情報に従って第2のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEから第2のデータと第3のデータとを受信し、第2のデータは、デュアルカードUEが送信されるべき第1のデータを第2のデータと第3のデータとに分割した後第1のベアラを使用することによりデュアルカードUEによって送信され、第3のデータは、第2のベアラを使用することによりデュアルカードUEによって送信され、ネットワーク側デバイスは、第2のデータと第3のデータとを第1のデータに組み合わせる。この解決方法によれば、デュアルカードUEの2枚のカードが互いに関連付けられているという条件において、デュアルカードUEは、送信されるべきデータ、すなわち、ネットワーク側デバイスに送信される必要のあるデータ、を分割した後に、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０４４７】
実施形態5
図21に示されているように、本発明の一実施形態は、ネットワーク側デバイスがダウンリンクデータをデュアルカードデュアルスタンバイデュアルパスUEに送信するシナリオに適用され得る、ネットワーク側デバイスを実現し、本発明のこの実施形態において用意されるデュアルカードUEのための通信方法に対応する。ネットワーク側デバイスは、第1の受信機15と、第1の送信機16と、第1のプロセッサ17と、第1のメモリ18とを備える。
【０４４８】
第1の受信機15は、ユーザ機器からアップリンク信号を受信するように構成されるものとしてよく、特に、ユーザ機器が、ネットワーク側デバイスと通信するときに、第1の受信機15は、ユーザ機器から通信データを受信し得る。
【０４４９】
第1の送信機16は、ダウンリンク信号をユーザ機器に送信するように構成されるものとしてよく、特に、ユーザ機器が、ネットワーク側デバイスと通信するときに、第1の送信機16は、通信データをユーザ機器に送信し得る。
【０４５０】
第1のプロセッサ17は、ネットワーク側デバイスの制御と処理の中心であり、第1のメモリ18に記憶されているソフトウェアプログラムを実行し、第1のメモリ18に記憶されているデータを呼び出して処理し、それにより、ネットワーク側デバイスが信号を送受信するのを制御し、ネットワーク側デバイスの別の機能を実装する。
【０４５１】
第1のメモリ18は、ソフトウェアプログラムおよびデータを記憶するように構成され、これにより、第1のプロセッサ17は、第1のメモリ18に記憶されているソフトウェアプログラムを実行し、ネットワーク側デバイスおよび別の機能の信号送受信を実装することができる。
【０４５２】
特に、第1の受信機15は、デュアルカードUEからアクセス要求を受信するように構成され、第1のプロセッサ17は、デュアルカードUEの第1のカードとデュアルカードUEの第2のカードとの間の関連付け情報を取得し、アクセス要求に従って第1のベアラを確立し、関連付け情報に従って第2のベアラを確立し、送信されるべき第1のデータを第2のデータと第3のデータとに分割するように構成されるものとしてよく、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、第1のメモリ18は、第1のデータ、または第2のデータと第3のデータとを記憶するように構成され、第1の送信機16は、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成され得る。
【０４５３】
好ましくは、第1の受信機15は、HSSから、デュアルカードUEの第1のカードの加入情報を受信するように特に構成され、第1のプロセッサ17は、デュアルカードUEの第1のカードの加入情報内の関連付け情報を取得するように特に構成される。
【０４５４】
代替的に、
第1の受信機15は、デュアルカードUEの第1のカードからアクセス要求を受信するように特に構成され、アクセス要求は関連付け情報を運び、第1のプロセッサ17は、アクセス要求に従って関連付け情報を取得するように特に構成される。
【０４５５】
適宜、第1のプロセッサ17は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得し、関連付け情報を第1のメモリ18に記憶するように特に構成される。
【０４５６】
適宜、第1のプロセッサ17は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４５７】
適宜、ネットワーク側デバイスは、アンカーゲートウェイを備え、アンカーゲートウェイは、PGWまたはGGSNを備える。
【０４５８】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、デュアルカードUEの第2のカードのIPアドレスに従って第2のベアラを確立するように特に構成される。
【０４５９】
適宜、第1のプロセッサ17によって、分割することにより得られる第2のデータおよび第3のデータは、デュアルカードUEの第1のカードのIPアドレスを運ぶ。
【０４６０】
第1のプロセッサ17は、デュアルカードUEの第2のカードのIPアドレスを第3のデータに追加するように特に構成され、第1の送信機16は、デュアルカードUEの第1のカードのIPアドレスに従って、第1のベアラを使用することによって第2のデータをデュアルカードUEに送信し、第1のベアラを使用することによって第3のデータをデュアルカードUEに送信するように特に構成される。
【０４６１】
適宜、第1のプロセッサ17は、トンネリング技術に従ってデュアルカードUEの第2のカードのIPアドレスを第3のデータに追加するように特に構成され、トンネリング技術は、IP in IPカプセル化、GRE、およびIPSecを含む。
【０４６２】
適宜、ネットワーク側デバイスは、コアネットワークエンティティを備え、コアネットワークエンティティは、SGWまたはSGSNを備える。
【０４６３】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４６４】
適宜、第1の受信機15は、デュアルカードUEからデタッチ要求を受信するようにさらに構成され、デタッチ要求は、デュアルカードUEの第2のカードがデタッチされることを必要としたときにデュアルカードUEによって送信され、第1のプロセッサ17は、デタッチ要求に従って関連付け情報、または関連付け情報と第2のベアラとを削除するようにさらに構成される。
【０４６５】
本発明の一実施形態は、ネットワーク側デバイスを実現し、ネットワーク側デバイスは、デュアルカードUEからアクセス要求を受信し、アクセス要求に従って第1のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、ネットワーク側デバイスがデュアルカードUEの第1のカードとデュアルカードUEの第2のカードとの間の関連付け情報を取得した後、ネットワーク側デバイスが関連付け情報に従って第2のベアラを確立し、第2のベアラはネットワーク側デバイスとデュアルカードUEの第2のカードとの間のデータ通信路であり、ネットワーク側デバイスが送信されるべき第1のデータを第2のデータと第3のデータとに分割した後、ネットワーク側デバイスは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４６６】
図22に示されているように、本発明の一実施形態は、ネットワーク側デバイスがダウンリンクデータをデュアルカードデュアルスタンバイデュアルパスUEに送信するシナリオに適用され得る、デュアルカードUEを実現し、本発明のこの実施形態において用意されるデュアルカードUEのための通信方法に対応する。デュアルカードUEは、第2の受信機23と、第2の送信機24と、第2のプロセッサ25と、第2のメモリ26とを備える。
【０４６７】
第2の受信機23は、ネットワーク側デバイスからダウンリンク信号を受信するように構成されるものとしてよく、特に、ユーザ機器が、ネットワーク側デバイスと通信するときに、第2の受信機23は、ネットワーク側デバイスから通信データを受信し得る。
【０４６８】
第2の送信機24は、アップリンク信号をネットワーク側デバイスに送信するように構成されるものとしてよく、特に、ユーザ機器が、ネットワーク側デバイスと通信するときに、第2の送信機24は、通信データをネットワーク側デバイスに送信し得る。
【０４６９】
第2のプロセッサ25は、ネットワーク側デバイスの制御と処理の中心であり、第2のメモリ26に記憶されているソフトウェアプログラムを実行し、第2のメモリ26に記憶されているデータを呼び出して処理し、それにより、ユーザ機器が信号を送受信するのを制御し、ユーザ機器の別の機能を実装する。
【０４７０】
第2のメモリ26は、ソフトウェアプログラムおよびデータを記憶するように構成され、これにより、第2のプロセッサ25は、第2のメモリ26に記憶されているソフトウェアプログラムを実行し、ユーザ機器および別の機能の信号送受信を実装することができる。
【０４７１】
特に、第2の送信機24は、アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、第2の受信機23は、第1のネットワーク側デバイスから第2のデータと第3のデータとを受信するように構成され、第2のデータは、第1のネットワーク側デバイスが送信されるべき第1のデータを第2のデータと第3のデータとに分割した後第1のベアラを使用することにより第1のネットワーク側デバイスによって送信され、第3のデータは、第2のベアラを使用することによって第1のネットワーク側デバイスによって送信され、第2のプロセッサ25は、第2のデータと第3のデータとを第1のデータに組み合わせるように構成され、第2のメモリ26は、第1のデータ、または第2のデータと第3のデータとを記憶するように構成される。
【０４７２】
適宜、第2の送信機24は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４７３】
本発明のこの実施形態は、デュアルカードUEを実現し、デュアルカードUEは、アクセス要求を第1のネットワーク側デバイスに送信し、これにより、第1のネットワーク側デバイスは、アクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEは、第1のネットワーク側デバイスから第2のデータと第3のデータとを受信し、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信され、デュアルカードUEは、第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４７４】
図22に示されているように、本発明の一実施形態は、デュアルカードデュアルスタンバイデュアルパスUEがアップリンクデータをネットワーク側デバイスに送信するシナリオに適用され得る、デュアルカードUEを実現し、本発明のこの実施形態において用意されるデュアルカードUEのための別の通信方法に対応する。デュアルカードUEは、第2の受信機23と、第2の送信機24と、第2のプロセッサ25と、第2のメモリ26とを備える。
【０４７５】
第2の受信機23は、ネットワーク側デバイスからダウンリンク信号を受信するように構成されるものとしてよく、特に、ユーザ機器が、ネットワーク側デバイスと通信するときに、第2の受信機23は、ネットワーク側デバイスから通信データを受信し得る。
【０４７６】
第2の送信機24は、アップリンク信号をネットワーク側デバイスに送信するように構成されるものとしてよく、特に、ユーザ機器が、ネットワーク側デバイスと通信するときに、第2の送信機24は、通信データをネットワーク側デバイスに送信し得る。
【０４７７】
第2のプロセッサ25は、ネットワーク側デバイスの制御と処理の中心であり、第2のメモリ26に記憶されているソフトウェアプログラムを実行し、第2のメモリ26に記憶されているデータを呼び出して処理し、それにより、ユーザ機器が信号を送受信するのを制御し、ユーザ機器の別の機能を実装する。
【０４７８】
第2のメモリ26は、ソフトウェアプログラムおよびデータを記憶するように構成され、これにより、第2のプロセッサ25は、第2のメモリ26に記憶されているソフトウェアプログラムを実行し、ユーザ機器および別の機能の信号送受信を実装することができる。
【０４７９】
特に、第2の送信機24は、アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、第2のプロセッサ25は、送信されるべき第1のデータを第2のデータと第3のデータとに分割するように構成され、第2のメモリ26は、第1のデータ、または第2のデータと第3のデータとを記憶するように構成され、第2の送信機24は、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される。
【０４８０】
適宜、第2のプロセッサ25は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４８１】
適宜、第1のネットワーク側デバイスは、アンカーゲートウェイを備え、アンカーゲートウェイは、PGWまたはGGSNを備え、第2のプロセッサ25によって、分割することにより得られる第2のデータおよび第3のデータは、アンカーゲートウェイのIPアドレスを運び、アンカーゲートウェイのIPアドレスは、アンカーゲートウェイからデュアルカードUEによって取得される。
【０４８２】
第2のプロセッサ25は、第3のデータに、デュアルカードUEの第2のカードのものであり、第2の受信機23によって受信された、IPアドレスを追加するように特に構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、第2の送信機24は、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【０４８３】
適宜、第2のプロセッサ25は、トンネリング技術に従ってデュアルカードUEの第2のカードのIPアドレスを第3のデータに追加するように特に構成され、トンネリング技術は、IP in IPカプセル化、GRE、およびIPSecを含む。
【０４８４】
適宜、第2の送信機24は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４８５】
本発明のこの実施形態は、デュアルカードUEを実現し、デュアルカードUEは、アクセス要求を第1のネットワーク側デバイスに送信し、これにより、第1のネットワーク側デバイスは、アクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０４８６】
図21に示されているように、本発明の一実施形態は、デュアルカードデュアルスタンバイデュアルパスUEがアップリンクデータをネットワーク側デバイスに送信するシナリオに適用され得る、ネットワーク側デバイスを実現し、本発明のこの実施形態において用意されるデュアルカードUEのための別の通信方法に対応する。ネットワーク側デバイスは、第1の受信機15と、第1の送信機16と、第1のプロセッサ17と、第1のメモリ18とを備える。
【０４８７】
第1の受信機15は、ユーザ機器からアップリンク信号を受信するように構成されるものとしてよく、特に、ユーザ機器が、ネットワーク側デバイスと通信するときに、第1の受信機15は、ユーザ機器から通信データを受信し得る。
【０４８８】
第1の送信機16は、ダウンリンク信号をユーザ機器に送信するように構成されるものとしてよく、特に、ユーザ機器が、ネットワーク側デバイスと通信するときに、第1の送信機16は、通信データをユーザ機器に送信し得る。
【０４８９】
第1のプロセッサ17は、ネットワーク側デバイスの制御と処理の中心であり、第1のメモリ18に記憶されているソフトウェアプログラムを実行し、第1のメモリ18に記憶されているデータを呼び出して処理し、それにより、ネットワーク側デバイスが信号を送受信するのを制御し、ネットワーク側デバイスの別の機能を実装する。
【０４９０】
第1のメモリ18は、ソフトウェアプログラムおよびデータを記憶するように構成され、これにより、第1のプロセッサ17は、第1のメモリ18に記憶されているソフトウェアプログラムを実行し、ネットワーク側デバイスおよび別の機能の信号送受信を実装することができる。
【０４９１】
特に、第1の受信機15は、デュアルカードUEからアクセス要求を受信するように構成され、第1のプロセッサ17は、デュアルカードUEの第1のカードとデュアルカードUEの第2のカードとの間の関連付け情報を取得し、アクセス要求に従って第1のベアラを確立し、関連付け情報に従って第2のベアラを確立し、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、第1の受信機15は、デュアルカードUEから第2のデータと第3のデータとを受信するようにさらに構成されるものとしてよく、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信され、第1のメモリ18は、第1のデータ、または第2のデータと第3のデータとを記憶するように構成され、第1のプロセッサ17は、第2のデータと第3のデータとを第1のデータに組み合わせるようにさらに構成される。
【０４９２】
適宜、第1の受信機15は、HSSから、デュアルカードUEの第1のカードの加入情報を受信するように特に構成され、第1のプロセッサ17は、デュアルカードUEの第1のカードの加入情報内の関連付け情報を取得するように特に構成される。
【０４９３】
代替的に、
第1の受信機15は、デュアルカードUEの第1のカードからアクセス要求を受信するように特に構成され、アクセス要求は関連付け情報を運び、第1のプロセッサ17は、アクセス要求に従って関連付け情報を取得するように特に構成される。
【０４９４】
適宜、第1のプロセッサ17は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得し、関連付け情報を第1のメモリ18に記憶するように特に構成される。
【０４９５】
適宜、ネットワーク側デバイスは、アンカーゲートウェイを備え、アンカーゲートウェイは、PGWまたはGGSNを備える。
【０４９６】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、第1のプロセッサ16に、デュアルカードUEの第2のカードのIPアドレスをデュアルカードUEに送信することを命令し、デュアルカードUEの第2のカードのIPアドレスに従って第2のベアラを確立するように特に構成される。
【０４９７】
適宜、ネットワーク側デバイスは、コアネットワークエンティティを備え、コアネットワークエンティティは、SGWまたはSGSNを備える。
【０４９８】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４９９】
適宜、第1の受信機15は、デュアルカードUEからデタッチ要求を受信するようにさらに構成され、デタッチ要求は、デュアルカードUEの第2のカードがデタッチされることを必要としたときにデュアルカードUEによって送信され、第1のプロセッサ17は、デタッチ要求に従って関連付け情報、または関連付け情報と第2のベアラとを削除するようにさらに構成される。
【０５００】
本発明の一実施形態は、ネットワーク側デバイスを実現し、ネットワーク側デバイスは、デュアルカードUEからアクセス要求を受信し、アクセス要求に従って第1のベアラを確立し、デュアルカードUEの第1のカードとデュアルカードUEの第2のカードとの間の関連付け情報を取得した後、ネットワーク側デバイスが関連付け情報に従って第2のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信され、ネットワーク側デバイスは、第2のデータと第3のデータとを第1のデータに組み合わせる。この解決方法によれば、デュアルカードUEの2枚のカードが互いに関連付けられているという条件において、デュアルカードUEは、送信されるべきデータ、すなわち、ネットワーク側デバイスに送信される必要のあるデータ、を分割した後に、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０５０１】
当業者であれば、わかりやすい簡潔な説明とすることを目的として、前述の機能モジュールを分けることが説明のための一例として使用されていることは明確に理解できる。実際のアプリケーションにおいて、前述の機能は、要求条件に従って異なる機能モジュールに割り振られ、実装され得る、すなわち、装置の内部構造は、上で説明されている機能の全部または一部を実装するように異なる機能モジュールに分けられる。前述のシステム、装置、およびユニットの詳細な作動プロセスについて、前述の方法実施形態における対応するプロセスが参照されるものとしてよく、詳細についてここで再び説明することはしない。
【０５０２】
本発明において実現されるいくつかの実施形態において、開示されているシステム、装置、および方法は、他の方式で実装することができることは理解されるであろう。例えば、説明されている装置の実施形態は、単なる例にすぎない。例えば、モジュールまたはユニットを分けることは、単に論理機能を分けることであり、実際の実装では他の分け方であってもよい。例えば、複数のユニットまたはコンポーネントが、別のシステム内に組み合わされ得るか、もしくは一体化され得るか、またはいくつかの特徴が無視され得るか、もしくは実施され得ない。それに加えて、表示されている、または説明されている相互結合または直接的結合または通信接続は、いくつかのインターフェースを通じて実装され得る。装置またはユニットの間の間接的結合または通信接続は、電子的な、機械的な、または他の形態で実装され得る。
【０５０３】
個別の部分として説明されているユニットは、物理的に分離していてもまたはしていなくてもよく、またユニットとして表示されている部分は、物理ユニットであってもまたはなくてもよく、または1つの位置に配置されていてもよいか、または複数のネットワークユニット上に分散されていてもよい。ユニットの一部または全部は、実施形態の解決策の目的を達成するために実際に必要になるものに従って選択され得る。
【０５０４】
それに加えて、本発明の実施形態における機能ユニットは、1つの処理ユニットに一体化され得るか、またはユニットのそれぞれが単独で物理的に存在し得るか、または2つ以上のユニットが1つのユニットに一体化される。一体化されたユニットは、ハードウェアの形態で実装され得るか、またはソフトウェア機能ユニットの形態で実装され得る。
【０５０５】
一体化されたモジュールがソフトウェア機能ユニットの形態で実装され、独立した製品として販売または使用される場合、一体化されたユニットは、コンピュータ可読記憶媒体に格納され得る。このような理解に基づき、本発明の技術的解決方法は本質的に、または従来技術に寄与する部分は、または技術的解決方法の全部もしくは一部は、ソフトウェア製品の形態で実装され得る。ソフトウェア製品は、記憶媒体に記憶され、本の実施形態において説明されている方法のステップの全部または一部を実行するようにコンピュータデバイス(パーソナルコンピュータ、サーバ、またはネットワークデバイスであり得る)またはプロセッサに指示するための複数の命令を含む。前述の記憶媒体は、USBフラッシュドライブ、取り外し可能なハードディスク、リードオンリーメモリ(ROM、Read-Only Memory)、ランダムアクセスメモリ(RAM、Random Access Memory)、磁気ディスク、または光ディスクなどの、プログラムコードを記憶することができる任意の媒体を含む。
【０５０６】
前述の説明は、本発明の単なる特定の実装方式の説明にすぎず、本発明の保護範囲を制限することを意図されていない。本発明において開示されている技術の範囲内で当業者が容易に考え付く変更形態または代替的形態は、本発明の保護範囲内にあるものとする。したがって、本発明の保護範囲は、請求項の保護範囲に従うものとする。
【符号の説明】
【０５０７】
1  ネットワーク側デバイス
2  デュアルカードUE
10  第1の受信ユニット
11  第1の取得ユニット
12  第1の確立ユニット
13  第1の処理ユニット
14  第1の送信ユニット
15  第1の受信機
16  第1の送信機
17  第1のプロセッサ
18  第1のメモリ
20  第2の送信ユニット
21  第2の受信ユニット
22  第2の処理ユニット
23  第2の受信機
24  第2の送信機
25  第2のプロセッサ
26  第2のメモリ
【図１】
2016525292.tif 000003
【図２】
2016525292.tif 000004
【図３】
2016525292.tif 000005
【図４】
2016525292.tif 000006
【図５】
2016525292.tif 000007
【図６】
2016525292.tif 000008
【図７】
2016525292.tif 000009
【図８】
2016525292.tif 000010
【図９】
2016525292.tif 000011
【図１０】
2016525292.tif 000012
【図１１】
2016525292.tif 000013
【図１２】
2016525292.tif 000014
【図１３】
2016525292.tif 000015
【図１４】
2016525292.tif 000016
【図１５】
2016525292.tif 000017
【図１６】
2016525292.tif 000018
【図１７】
2016525292.tif 000019
【図１８】
2016525292.tif 000020
【図１９】
2016525292.tif 000021
【図２０】
2016525292.tif 000022
【図２１】
2016525292.tif 000023
【図２２】
2016525292.tif 000024
【手続補正書】
【提出日】平成28年1月28日(2016.1.28)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に、デュアルカードユーザ機器のための通信方法および装置に関する。
【背景技術】
【０００２】
ユーザの通信に対する要求条件が高まるのに合わせて、UMTS(Universal Mobile Telecommunications System、ユニバーサルモバイル通信システム)システム、SAE(System Architecture Evolution、システムアーキテクチャエボリューション)/LTE (Long Term Evolution、ロングタームエボリューション)システム、WiMAX(Worldwide Interoperability for Microwave Access、Worldwide Interoperability for Microwave Access)システム、およびCDMA(Code Division Multiple Access、符号分割多元接続)システムなどの、多くのセルラー通信システムが出現しその数は増大する一方である。
【０００３】
従来技術では、セルラー通信システムにおいて、UE(User Equipment、ユーザ機器)は、主に、シングルカード携帯電話およびデュアルカードデュアルスタンバイ携帯電話を含む。デュアルカードデュアルスタンバイ携帯電話は、デュアルカードデュアルスタンバイ携帯電話の動作原理に従ってデュアルカードデュアルスタンバイシングルパス携帯電話とデュアルカードデュアルスタンバイデュアルパス携帯電話とに分類され得る。「シングルパス」と「デュアルパス」との主な違いは、デュアルカードデュアルスタンバイ携帯電話の2枚のカードが同時通信を実行することができるかどうかにある。「デュアルパス」携帯電話については、携帯電話内の2枚のカードが異なるセルラー通信システムに別々に属している場合に、それら2枚のカードは、完全に独立しており、したがって、それら2枚のカードは、それぞれの通信手順に従って、通信を、すなわち、アップリンクデータおよびダウンリンクデータの送信を別々に実行し得る。
【０００４】
しかしながら、前述の手順を使用することによって、サービス送信効率は、比較的低いものとなる。
【発明の概要】
【課題を解決するための手段】
【０００５】
本発明の実施形態は、サービス送信効率を改善するために使用される、デュアルカードユーザ機器および装置のための通信方法を提供する。
【０００６】
前述の目的を達成するために、本発明の実施形態では、次の技術的解決方法が使用される。
【０００７】
第1の態様によれば、本発明の一実施形態は、
第1のネットワーク側デバイスによって、デュアルカードUEからアクセス要求を受信し、アクセス要求に従って第1のベアラを確立するステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路である、ステップと、
第1のネットワーク側デバイスによって、デュアルカードUEの第1のカードとデュアルカードUEの第2のカードとの間の関連付け情報を取得するステップと、
第1のネットワーク側デバイスによって、関連付け情報に従って第2のベアラを確立するステップであって、第2のベアラは第1のネットワーク側デバイスとデュアルカードUEの第2のカードとの間のデータ通信路である、ステップと、
第1のネットワーク側デバイスによって、送信されるべき第1のデータを第2のデータと第3のデータとに分割するステップと、
第1のネットワーク側デバイスによって、第1のベアラを使用することにより第2のデータをデュアルカードUEに送信し、第2のベアラを使用することにより第3のデータをデュアルカードUEに送信し、それにより、デュアルカードUEが第2のデータと第3のデータとを第1のデータに組み合わせるステップとを含む、デュアルカードユーザ機器UEのための通信方法を提供する。
【０００８】
第1の態様の第1の可能な実装方式において、第1のネットワーク側デバイスによって、デュアルカードUEの第1のカードとデュアルカードUEの第2のカードとの間の関連付け情報を取得するステップは、
第1のネットワーク側デバイスによって、ホーム加入者サーバHSSから、デュアルカードUEの第1のカードの加入情報を受信するステップと、
第1のネットワーク側デバイスによって、デュアルカードUEの第1のカードの加入情報内の関連付け情報を取得するステップ、
または
第1のネットワーク側デバイスによって、デュアルカードUEの第1のカードからアクセス要求を受信するステップであって、アクセス要求は関連付け情報を運ぶ、ステップと、
第1のネットワーク側デバイスによって、アクセス要求に従って関連付け情報を取得するステップとを含む。
【０００９】
前述の第1の態様、または第1の態様の第1の可能な実装方式に関して、第2の可能な実装方式において、
関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００１０】
第1の態様の第2の可能な実装方式に関して、第3の実装方式において、第1のネットワーク側デバイスによって、送信されるべき第1のデータを第2のデータと第3のデータとに分割するステップは、
第1のネットワーク側デバイスによって、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うステップを含む。
【００１１】
第1の態様の第2の可能な実装方式または第3の可能な実装方式に関して、第4の可能な実装方式において、第1のネットワーク側デバイスは、アンカーゲートウェイを備え、アンカーゲートウェイは、パケットデータネットワークゲートウェイPGWまたはゲートウェイ汎用パケット無線サービスサポートノードGGSNを含み、
第1のネットワーク側デバイスによって、関連付け情報に従って第2のベアラを確立するステップは、特に、
アンカーゲートウェイによって、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのインターネットプロトコルIPアドレスを取得するステップと、
アンカーゲートウェイによって、デュアルカードUEの第2のカードのIPアドレスに従って第2のベアラを確立するステップとを含む。
【００１２】
第1の態様の第4の可能な実装方式に関して、第5の可能な実装方式において、第2のデータおよび第3のデータは、デュアルカードUEの第1のカードのIPアドレスを運び、
第1のネットワーク側デバイスによって、第1のベアラを使用することにより第2のデータをデュアルカードUEに送信し、第2のベアラを使用することにより第3のデータをデュアルカードUEに送信するステップは、
アンカーゲートウェイによって、デュアルカードUEの第1のカードのIPアドレスに従って、第1のベアラを使用することにより第2のデータをデュアルカードUEに送信するステップと、デュアルカードUEの第2のカードのIPアドレスを第3のデータに追加するステップと、第2のベアラを使用することにより第3のデータをデュアルカードUEに送信するステップとを含む。
【００１３】
第1の態様の第5の可能な実装方式に関して、第6の可能な実装方式において、アンカーゲートウェイによって、デュアルカードUEの第2のカードのIPアドレスを第3のデータに追加するステップは、特に、
アンカーゲートウェイによって、トンネリング技術に従ってデュアルカードUEの第2のカードのIPアドレスを第3のデータに追加するステップであって、トンネリング技術は、IP in IPカプセル化、汎用ルーティングカプセル化GRE、およびIPセキュリティSecを含む。
【００１４】
第1の態様の第2の可能な実装方式または第3の可能な実装方式に関して、第7の可能な実装方式において、第1のネットワーク側デバイスは、コアネットワークエンティティを備え、コアネットワークエンティティは、サービングゲートウェイSGWまたはサービング汎用パケット無線サービスサポートノードSGSNを備え、
第1のネットワーク側デバイスによって、関連付け情報に従って第2のベアラを確立するステップは、特に、
コアネットワークエンティティによって、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するステップを含む。
【００１５】
前述の第1の態様または第1の態様の第1の可能な実装方式から第7の可能な実装方式までのうちの任意の実装方式に関して、第8の可能な実装方式において、第1のネットワーク側デバイスによって、デュアルカードUEからアクセス要求を受信した後に、方法は、
第1のネットワーク側デバイスによって、デュアルカードUEからデタッチ要求を受信するステップであって、デタッチ要求は、デュアルカードUEの第2のカードがデタッチされることを必要としたときにデュアルカードUEによって送信される、ステップと、
第1のネットワーク側デバイスによって、デタッチ要求に従って、関連付け情報、または関連付け情報と第2のベアラとを削除するステップとを含む。
【００１６】
第2の態様によれば、本発明の一実施形態は、デュアルカードUEのための通信方法をさらに提供し、この方法は
デュアルカードUEによって、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、ステップと、
デュアルカードUEによって、第1のネットワーク側デバイスから第2のデータと第3のデータとを受信するステップであって、
第2のデータは、第1のネットワーク側デバイスが送信されるべき第1のデータを第2のデータと第3のデータとに分割した後に第1のベアラを使用することによって第1のネットワーク側デバイスによって送信され、第3のデータは、第2のベアラを使用することによって第1のネットワーク側デバイスによって送信される、ステップと、
デュアルカードUEによって、第2のデータと第3のデータとを第1のデータに組み合わせるステップとを含む。
【００１７】
第2の態様の第1の可能な実装方式において、デュアルカードUEによって、アクセス要求を第1のネットワーク側デバイスに送信した後に、この方法は、
デュアルカードUEによって、デタッチ要求を第1のネットワーク側デバイスに送信し、これにより、第1のネットワーク側デバイスはデタッチ要求に従って関連付け情報、または関連付け情報と第2のベアラとを削除する、ステップであって、デタッチ要求は、デュアルカードUEの第2のカードがデタッチされることを必要としたときにデュアルカードUEによって送信される、ステップをさらに含む。
【００１８】
第3の態様によれば、本発明の一実施形態は、ネットワーク側デバイスを実現し、これは
デュアルカードUEからアクセス要求を受信するように構成された第1の受信ユニットと、
デュアルカードUEの第1のカードとデュアルカードUEの第2のカードとの間の関連付け情報を取得するように構成された第1の取得ユニットと、
アクセス要求に従って第1のベアラを確立し、関連付け情報に従って第2のベアラを確立するように構成された第1の確立ユニットであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供する、第1の確立ユニットと、
送信されるべき第1のデータを第2のデータと第3のデータとに分割するように構成された第1の処理ユニットと、
第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成された第1の送信ユニットとを備える。
【００１９】
第3の態様の第1の可能な実装方式において、
第1の受信ユニットは、HSSから、デュアルカードUEの第1のカードの加入情報を受信するようにさらに構成され、
第1の取得ユニットは、デュアルカードUEの第1のカードの加入情報内の関連付け情報を取得するように特に構成されるか、
または
第1の受信ユニットは、デュアルカードUEの第1のカードからアクセス要求を受信するようにさらに構成され、アクセス要求は関連付け情報を運び、
第1の取得ユニットは、アクセス要求に従って関連付け情報を取得するように特に構成される。
【００２０】
前述の第3の態様、または第3の態様の第1の可能な実装方式に関して、第2の可能な実装方式において、
第1の取得ユニットは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００２１】
第3の態様の第2の可能な実装方式に関して、第3の実装方式において、
第1の処理ユニットは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００２２】
第3の態様の第2の可能な実装方式または第3の可能な実装方式に関して、第4の可能な実装方式において、ネットワーク側デバイスは、アンカーゲートウェイを備え、アンカーゲートウェイは、PGWまたはGGSNを備え、
第1の取得ユニットは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するようにさらに構成され、
第1の確立ユニットは、デュアルカードUEの第2のカードのIPアドレスに従って第2のベアラを確立するように特に構成される。
【００２３】
第3の態様の第4の可能な実装方式に関して、第5の可能な実装方式において、第1の処理ユニットによって、分割することにより得られる第2のデータおよび第3のデータは、デュアルカードUEの第1のカードのIPアドレスを運び、
第1の処理ユニットは、デュアルカードUEの第2のカードのIPアドレスを第3のデータに追加するようにさらに構成され、
第1の送信ユニットは、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【００２４】
第3の態様の第5の可能な実装方式に関して、第6の可能な実装方式において、
第1の処理ユニットは、トンネリング技術に従ってデュアルカードUEの第2のカードのIPアドレスを第3のデータに追加するように特に構成され、トンネリング技術は、IP in IPカプセル化、GRE、およびIPSecを含む。
【００２５】
第3の態様の第2の可能な実装方式または第3の可能な実装方式に関して、第7の可能な実装方式において、ネットワーク側デバイスは、コアネットワークエンティティを備え、コアネットワークエンティティは、SGWまたはSGSNを備え、
第1の確立ユニットは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００２６】
前述の第3の態様または第3の態様の第1の可能な実装方式から第7の可能な実装方式までのうちの任意の実装方式に関して、第8の可能な実装方式において、
第1の受信ユニットは、デュアルカードUEからデタッチ要求を受信するようにさらに構成され、デタッチ要求は、デュアルカードUEの第2のカードがデタッチされることを必要としたときにデュアルカードUEによって送信され、
第1の処理ユニットは、デタッチ要求に従って関連付け情報、または関連付け情報と第2のベアラとを削除するようにさらに構成される。
【００２７】
第4の態様によれば、本発明の一実施形態は、デュアルカードUEを備え、これは
アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、第2の送信ユニットであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニットと、
第1のネットワーク側デバイスから第2のデータと第3のデータとを受信するように構成された第2の受信ユニットであって、
第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される、第2の受信ユニットと、
第2のデータと第3のデータとを第1のデータに組み合わせるように構成された第2の処理ユニットとを備える。
【００２８】
第4の態様の第1の可能な実装方式において、
第2の送信ユニットは、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００２９】
第5の態様によれば、本発明の一実施形態は、ネットワーク側デバイスを備え、これは
デュアルカードUEからアクセス要求を受信するように構成された第1の受信機と、
デュアルカードUEの第1のカードとデュアルカードUEの第2のカードとの間の関連付け情報を取得し、アクセス要求に従って第1のベアラを確立し、関連付け情報に従って第2のベアラを確立し、送信されるべき第1のデータを第2のデータと第3のデータとに分割するように構成された第1のプロセッサであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供する、第1のプロセッサと、
第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成された第1の送信機とを備える。
【００３０】
第5の態様の第1の可能な実装方式において、
第1の受信機は、HSSから、デュアルカードUEの第1のカードの加入情報を受信するようにさらに構成され、
第1のプロセッサは、デュアルカードUEの第1のカードの加入情報内の関連付け情報を取得するように特に構成されるか、
または
第1の受信機は、デュアルカードUEの第1のカードからアクセス要求を受信するようにさらに構成され、アクセス要求は関連付け情報を運び、
第1のプロセッサは、アクセス要求に従って関連付け情報を取得するように特に構成される。
【００３１】
前述の第5の態様、または第5の態様の第1の可能な実装方式に関して、第2の可能な実装方式において、
第1のプロセッサは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００３２】
第5の態様の第2の可能な実装方式に関して、第3の可能な実装方式において、
第1のプロセッサは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００３３】
第5の態様の第2の可能な実装方式または第3の可能な実装方式に関して、第4の可能な実装方式において、ネットワーク側デバイスは、アンカーゲートウェイを備え、アンカーゲートウェイは、PGWまたはGGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、デュアルカードUEの第2のカードのIPアドレスに従って第2のベアラを確立するように特に構成される。
【００３４】
第5の態様の第4の可能な実装方式に関して、第5の可能な実装方式において、第1のプロセッサによって、分割することにより得られる第2のデータおよび第3のデータは、デュアルカードUEの第1のカードのIPアドレスを運び、
第1のプロセッサは、デュアルカードUEの第2のカードのIPアドレスを第3のデータに追加するようにさらに構成され、
第1の送信機は、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【００３５】
第5の態様の第5の可能な実装方式に関して、第6の可能な実装方式において、
第1のプロセッサは、トンネリング技術に従ってデュアルカードUEの第2のカードのIPアドレスを第3のデータに追加するように特に構成され、トンネリング技術は、IP in IPカプセル化、GRE、およびIPSecを含む。
【００３６】
第5の態様の第2の可能な実装方式または第3の可能な実装方式に関して、第7の可能な実装方式において、ネットワーク側デバイスは、コアネットワークエンティティを備え、コアネットワークエンティティは、SGWまたはSGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００３７】
前述の第5の態様または第5の態様の第1の可能な実装方式から第7の可能な実装方式までのうちの任意の実装方式に関して、第8の可能な実装方式において、
第1の受信機は、デュアルカードUEからデタッチ要求を受信するようにさらに構成され、デタッチ要求は、デュアルカードUEの第2のカードがデタッチされることを必要としたときにデュアルカードUEによって送信され、
第1のプロセッサは、デタッチ要求に従って関連付け情報、または関連付け情報と第2のベアラとを削除するようにさらに構成される。
【００３８】
第6の態様によれば、本発明の一実施形態は、デュアルカードUEをさらに備え、これは
アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、第2の送信機であって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信機と、
第1のネットワーク側デバイスから第2のデータと第3のデータとを受信するように構成された第2の受信機であって、
第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される、第2の受信機と、
第2のデータと第3のデータとを第1のデータに組み合わせるように構成された第2のプロセッサとを備える。
【００３９】
第6の態様の第1の可能な実装方式において、
第2の送信機は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００４０】
本発明の実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することにより第2のデータをデュアルカードUEに送信し、第2のベアラを使用することにより第3のデータをデュアルカードUEに送信し、これにより、デュアルカードUEは、第2のデータと第3のデータとを第1のデータに組み合わせる。この解決方法によれば、ネットワーク側デバイスは、送信されるべきデータを分割した後に、デュアルカードUEの2枚のカードのベアラを別々に使用することによって、分割されたデータを同時に配信することができ、したがって、サービス送信効率は、改善され得る。
【００４１】
第7の態様によれば、本発明の一実施形態は、デュアルカードUEのための別の通信方法を提供し、これは
デュアルカードUEによって、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、ステップと、
デュアルカードUEによって、送信されるべき第1のデータを第2のデータと第3のデータとに分割するステップと、
デュアルカードUEによって、第1のベアラを使用することにより第2のデータを第1のネットワーク側デバイスに送信し、第2のベアラを使用することによって、第3のデータを第1のネットワーク側デバイスに送信し、これにより、第1のネットワーク側デバイスは、第2のデータと第3のデータとを第1のデータに組み合わせる、ステップとを含む。
【００４２】
第7の態様の第1の可能な実装方式において、デュアルカードUEによって、送信されるべき第1のデータを第2のデータと第3のデータとに分割するステップは、
デュアルカードUEによって、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うステップを含む。
【００４３】
前述の第7の態様、または第7の態様の第1の可能な実装方式に関して、第2の可能な実装方式において、第1のネットワーク側デバイスは、アンカーゲートウェイを備え、アンカーゲートウェイは、PGWまたはGGSNを備え、第2のデータおよび第3のデータは、アンカーゲートウェイのIPアドレスを運び、アンカーゲートウェイのIPアドレスは、アンカーゲートウェイからデュアルカードUEによって取得され、
デュアルカードUEによって、第1のベアラを使用することにより第2のデータを第1のネットワーク側デバイスに送信し、第2のベアラを使用することによって、第3のデータを第1のネットワーク側デバイスに送信しるステップは、
デュアルカードUEによって、アンカーゲートウェイのIPアドレスに従って、第1のベアラを使用することにより第2のデータをアンカーゲートウェイに送信し、デュアルカードUEの第2のカードのIPアドレスを第3のデータに追加し、第2のベアラを使用することによって第3のデータをアンカーゲートウェイに送信するステップであって、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得される、ステップを含む。
【００４４】
第7の態様の第2の可能な実装方式に関して、第3の可能な実装方式において、デュアルカードUEによって、デュアルカードUEの第2のカードのIPアドレスを第3のデータに追加するステップは、特に、
トンネリング技術に従って、デュアルカードUEによって、デュアルカードUEの第2のカードのIPアドレスを第3のデータに追加するステップであって、トンネリング技術は、IP in IPカプセル化、GRE、およびIPSecを含む、ステップを含む。
【００４５】
前述の第7の態様または第7の態様の第1の可能な実装方式から第3の可能な実装方式までのうちの任意の実装方式に関して、第4の可能な実装方式において、デュアルカードUEによって、アクセス要求を第1のネットワーク側デバイスに送信した後に、この方法は、
デュアルカードUEによって、デタッチ要求を第1のネットワーク側デバイスに送信し、これにより、第1のネットワーク側デバイスはデタッチ要求に従って関連付け情報、または関連付け情報と第2のベアラとを削除する、ステップであって、デタッチ要求は、デュアルカードUEの第2のカードがデタッチされることを必要としたときにデュアルカードUEによって送信される、ステップを含む。
【００４６】
第8の態様によれば、本発明の一実施形態は、デュアルカードUEのための別の通信方法をさらに提供し、これは
第1のネットワーク側デバイスによって、デュアルカードUEからアクセス要求を受信し、アクセス要求に従って第1のベアラを確立するステップであって、第1のネットワーク側デバイスは、デュアルカードUEの第1のカードに対するサービスを提供し、第1のベアラは第1のネットワーク側デバイスとデュアルカードUEの第1のカードとの間のデータ通信路である、ステップと、
第1のネットワーク側デバイスによって、デュアルカードUEの第1のカードとデュアルカードUEの第2のカードとの間の関連付け情報を取得するステップと、
第1のネットワーク側デバイスによって、関連付け情報に従って第2のベアラを確立するステップであって、第2のベアラは第1のネットワーク側デバイスとデュアルカードUEの第2のカードとの間のデータ通信路である、ステップと、
第1のネットワーク側デバイスによって、デュアルカードUEから第2のデータと第3のデータとを受信するステップであって、
第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される、ステップと、
第1のネットワーク側デバイスによって、第2のデータと第3のデータとを第1のデータに組み合わせるステップとを含む。
【００４７】
第8の態様の第1の可能な実装方式において、第1のネットワーク側デバイスによって、デュアルカードUEの第1のカードとデュアルカードUEの第2のカードとの間の関連付け情報を取得するステップは、
第1のネットワーク側デバイスによって、HSSから、デュアルカードUEの第1のカードの加入情報を受信するステップと、
第1のネットワーク側デバイスによって、デュアルカードUEの第1のカードの加入情報内の関連付け情報を取得するステップ、
または
第1のネットワーク側デバイスによって、デュアルカードUEの第1のカードからアクセス要求を受信するステップであって、アクセス要求は関連付け情報を運ぶ、ステップと、
第1のネットワーク側デバイスによって、アクセス要求に従って関連付け情報を取得するステップとを含む。
【００４８】
前述の第8の態様、または第8の態様の第1の可能な実装方式に関して、第2の可能な実装方式において、
関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００４９】
第8の態様の第2の可能な実装方式に関して、第3の可能な実装方式において、第1のネットワーク側デバイスは、アンカーゲートウェイを備え、アンカーゲートウェイは、PGWまたはGGSNを備え、
第1のネットワーク側デバイスによって、関連付け情報に従って第2のベアラを確立するステップは、特に、
アンカーゲートウェイによって、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するステップと、
アンカーゲートウェイによって、デュアルカードUEの第2のカードのIPアドレスに従って第2のベアラを確立するステップとを含む。
【００５０】
第8の態様の第2の可能な実装方式に関して、第4の可能な実装方式において、第1のネットワーク側デバイスは、コアネットワークエンティティを備え、コアネットワークエンティティは、SGWまたはSGSNを備え、
第1のネットワーク側デバイスによって、関連付け情報に従って第2のベアラを確立するステップは、特に、
コアネットワークエンティティによって、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するステップを含む。
【００５１】
前述の第8の態様または第8の態様の第1の可能な実装方式から第4の可能な実装方式までのうちの任意の実装方式に関して、第5の可能な実装方式において、第1のネットワーク側デバイスによって、デュアルカードUEからアクセス要求を受信した後に、方法は、
第1のネットワーク側デバイスによって、デュアルカードUEからデタッチ要求を受信するステップであって、デタッチ要求は、デュアルカードUEの第2のカードがデタッチされることを必要としたときにデュアルカードUEによって送信される、ステップと、
第1のネットワーク側デバイスによって、デタッチ要求に従って、関連付け情報、または関連付け情報と第2のベアラとを削除するステップとをさらに含む。
【００５２】
第9の態様によれば、本発明の一実施形態は、デュアルカードUEを備え、これは
アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ように構成された第2の送信ユニットであって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニットと、
送信されるべき第1のデータを第2のデータと第3のデータとに分割するように構成された第2の処理ユニットであって、
第2の送信ユニットは、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される、第2の処理ユニットとを備える。
【００５３】
第9の態様の第1の可能な実装方式において、
第2の処理ユニットは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００５４】
前述の第9の態様、または第9の態様の第1の可能な実装方式に関して、第2の可能な実装方式において、第1のネットワーク側デバイスは、アンカーゲートウェイを備え、アンカーゲートウェイは、PGWまたはGGSNを備え、第2の処理ユニットによって、分割することにより得られる第2のデータおよび第3のデータは、アンカーゲートウェイのIPアドレスを運び、アンカーゲートウェイのIPアドレスは、アンカーゲートウェイからデュアルカードUEによって取得され、
第2の処理ユニットは、デュアルカードUEの第2のカードのIPアドレスを第3のデータに追加するようにさらに構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、
第2の送信ユニットは、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【００５５】
第9の態様の第2の可能な実装方式に関して、第3の可能な実装方式において、
第2の処理ユニットは、トンネリング技術に従ってデュアルカードUEの第2のカードのIPアドレスを第3のデータに追加するように特に構成され、トンネリング技術は、IP in IPカプセル化、GRE、およびIPSecを含む。
【００５６】
前述の第9の態様または第9の態様の第1の可能な実装方式から第3の可能な実装方式までのうち任意の実装方式に関して、第4の可能な実装方式において、
第2の送信ユニットは、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００５７】
第10の態様によれば、本発明の一実施形態は、ネットワーク側デバイスを備え、これは
デュアルカードUEからアクセス要求を受信するように構成された第1の受信ユニットと、
デュアルカードUEの第1のカードとデュアルカードUEの第2のカードとの間の関連付け情報を取得するように構成された第1の取得ユニットと、
アクセス要求に従って第1のベアラを確立し、関連付け情報に従って第2のベアラを確立するように構成された第1の確立ユニットであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、
第1の受信ユニットは、デュアルカードUEから第2のデータと第3のデータとを受信するようにさらに構成され、
第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される、第1の確立ユニットと、
第2のデータと第3のデータとを第1のデータに組み合わせるように構成された第1の処理ユニットとを備える。
【００５８】
第10の態様の第1の可能な実装方式において、
第1の受信ユニットは、HSSから、デュアルカードUEの第1のカードの加入情報を受信するようにさらに構成され、
第1の取得ユニットは、デュアルカードUEの第1のカードの加入情報内の関連付け情報を取得するように特に構成されるか、
または
第1の受信ユニットは、デュアルカードUEの第1のカードからアクセス要求を受信するようにさらに構成され、アクセス要求は関連付け情報を運び、
第1の取得ユニットは、アクセス要求に従って関連付け情報を取得するように特に構成される。
【００５９】
前述の第10の態様、または第10の態様の第1の可能な実装方式に関して、第2の可能な実装方式において、
第1の取得ユニットは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００６０】
第10の態様の第2の可能な実装方式に関して、第3の可能な実装方式において、ネットワーク側デバイスは、アンカーゲートウェイを備え、アンカーゲートウェイは、PGWまたはGGSNを備え、
第1の取得ユニットは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するようにさらに構成され、
第1の確立ユニットは、デュアルカードUEの第2のカードのIPアドレスに従って第2のベアラを確立するように特に構成される。
【００６１】
第10の態様の第2の可能な実装方式に関して、第4の可能な実装方式において、ネットワーク側デバイスは、コアネットワークエンティティを備え、コアネットワークエンティティは、SGWまたはSGSNを備え、
第1の確立ユニットは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００６２】
前述の第10の態様または第10の態様の第1の可能な実装方式から第4の可能な実装方式までのうちの任意の実装方式に関して、第5の可能な実装方式において、
第1の受信ユニットは、デュアルカードUEからデタッチ要求を受信するようにさらに構成され、デタッチ要求は、デュアルカードUEの第2のカードがデタッチされることを必要としたときにデュアルカードUEによって送信され、
第1の処理ユニットは、デタッチ要求に従って関連付け情報、または関連付け情報と第2のベアラとを削除するようにさらに構成される。
【００６３】
第11の態様によれば、本発明の一実施形態は、デュアルカードUEをさらに備え、これは
アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立する、ように構成された第2の送信機であって、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信機と、
送信されるべき第1のデータを第2のデータと第3のデータとに分割するように構成された第2のプロセッサであって、
第2の送信機は、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される、第2のプロセッサとを備える。
【００６４】
第11の態様の第1の可能な実装方式において、
第2のプロセッサは、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【００６５】
前述の第11の態様、または第11の態様の第1の可能な実装方式に関して、第2の可能な実装方式において、第1のネットワーク側デバイスは、アンカーゲートウェイを備え、アンカーゲートウェイは、PGWまたはGGSNを備え、第2のプロセッサによって、分割することにより得られる第2のデータおよび第3のデータは、アンカーゲートウェイのIPアドレスを運び、アンカーゲートウェイのIPアドレスは、アンカーゲートウェイからデュアルカードUEによって取得され、
第2のプロセッサは、デュアルカードUEの第2のカードのIPアドレスを第3のデータに追加するようにさらに構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、
第2の送信機は、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【００６６】
第11の態様の第2の可能な実装方式に関して、第3の可能な実装方式において、
第2のプロセッサは、トンネリング技術に従ってデュアルカードUEの第2のカードのIPアドレスを第3のデータに追加するように特に構成され、トンネリング技術は、IP in IPカプセル化、GRE、およびIPSecを含む。
【００６７】
前述の第11の態様または第11の態様の第1の可能な実装方式から第3の可能な実装方式までのうち任意の実装方式に関して、第4の可能な実装方式において、
第2の送信機は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【００６８】
第12の態様によれば、本発明の一実施形態は、ネットワーク側デバイスを備え、これは
デュアルカードUEからアクセス要求を受信するように構成された第1の受信機と、
デュアルカードUEの第1のカードとデュアルカードUEの第2のカードとの間の関連付け情報を取得するように構成され、またアクセス要求に従って第1のベアラを確立し、関連付け情報に従って第2のベアラを確立するように構成された、第1のプロセッサであって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、
第1の受信機は、デュアルカードUEから第2のデータと第3のデータとを受信するようにさらに構成され、
第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される、第1のプロセッサとを備え、
第1のプロセッサは、第2のデータと第3のデータとを第1のデータに組み合わせるようにさらに構成される。
【００６９】
第12の態様の第1の可能な実装方式において、
第1の受信機は、HSSから、デュアルカードUEの第1のカードの加入情報を受信するようにさらに構成され、
第1のプロセッサは、デュアルカードUEの第1のカードの加入情報内の関連付け情報を取得するように特に構成されるか、
または
第1の受信機は、デュアルカードUEの第1のカードからアクセス要求を受信するようにさらに構成され、アクセス要求は関連付け情報を運び、
第1のプロセッサは、アクセス要求に従って関連付け情報を取得するように特に構成される。
【００７０】
前述の第12の態様、または第12の態様の第1の可能な実装方式に関して、第2の可能な実装方式において、
第1のプロセッサは、関連付け情報を取得するように特に構成され、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【００７１】
第12の態様の第2の可能な実装方式に関して、第3の可能な実装方式において、ネットワーク側デバイスは、アンカーゲートウェイを備え、アンカーゲートウェイは、PGWまたはGGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、デュアルカードUEの第2のカードのIPアドレスに従って第2のベアラを確立するように特に構成される。
【００７２】
第12の態様の第2の可能な実装方式に関して、第4の可能な実装方式において、ネットワーク側デバイスは、コアネットワークエンティティを備え、コアネットワークエンティティは、SGWまたはSGSNを備え、
第1のプロセッサは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【００７３】
前述の第12の態様または第12の態様の第1の可能な実装方式から第4の可能な実装方式までのうちの任意の実装方式に関して、第5の可能な実装方式において、
第1の受信機は、デュアルカードUEからデタッチ要求を受信するようにさらに構成され、デタッチ要求は、デュアルカードUEの第2のカードがデタッチされることを必要としたときにデュアルカードUEによって送信され、
第1のプロセッサは、デタッチ要求に従って関連付け情報、または関連付け情報と第2のベアラとを削除するようにさらに構成される。
【００７４】
本発明の実施形態において用意されるデュアルカードUEのための通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することにより第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる。この解決方法によれば、デュアルカードUEは、送信されるべきデータを分割した後に、デュアルカードUEの2枚のカードのベアラを別々に使用することによって同時に、分割されたデータを同時に送信することができ、したがって、サービス送信効率は、改善され得る。
【００７５】
本発明の実施形態または従来技術における技術的解決方法をより明確に説明するために、以下において、実施形態または従来技術の説明に必要な添付図面を簡単に紹介する。明らかに、以下の説明の添付図面は、本発明のいくつかの実施形態を示しているにすぎず、当業者であれば、創造的労力を費やすことなくこれらの添付図面から他の図面を導き出すことができる。
【図面の簡単な説明】
【００７６】
【図１】本発明の一実施形態によるデュアルカードUEのための通信方法の第1の流れ図である。
【図２】本発明の一実施形態によるデュアルカードUEのための通信方法の第2の流れ図である。
【図３】本発明の一実施形態によるデュアルカードUEのための別の通信方法の第1の流れ図である。
【図４】本発明の一実施形態によるデュアルカードUEのための別の通信方法の第2の流れ図である。
【図５】本発明の一実施形態によるデュアルカードUEのための通信方法の第3の流れ図である。
【図６】本発明の一実施形態によるデュアルカードUEのための通信方法の第4の流れ図である。
【図７】本発明の一実施形態によるデュアルカードUEのための通信方法の第5の流れ図である。
【図８】本発明の一実施形態によるデュアルカードUEのための通信方法の第6の流れ図である。
【図９】本発明の一実施形態によるデュアルカードUEのための別の通信方法の第3の流れ図である。
【図１０】本発明の一実施形態によるデュアルカードUEのための別の通信方法の第4の流れ図である。
【図１１】本発明の一実施形態によるデュアルカードUEのための別の通信方法の第5の流れ図である。
【図１２】本発明の一実施形態によるデュアルカードUEのための別の通信方法の第6の流れ図である。
【図１３】本発明の一実施形態によるデュアルカードUEのための通信方法の第7の流れ図である。
【図１４】本発明の一実施形態によるデュアルカードUEのための通信方法の第8の流れ図である。
【図１５】本発明の一実施形態によるデュアルカードUEのための別の通信方法の第7の流れ図である。
【図１６】本発明の一実施形態によるデュアルカードUEのための別の通信方法の第8の流れ図である。
【図１７】本発明の一実施形態によるネットワーク側デバイスの第1の概略構造図である。
【図１８】本発明の一実施形態によるデュアルカードUEの第1の概略構造図である。
【図１９】本発明の一実施形態によるデュアルカードUEの第2の概略構造図である。
【図２０】本発明の一実施形態によるネットワーク側デバイスの第2の概略構造図である。
【図２１】本発明の一実施形態によるネットワーク側デバイスの第3の概略構造図である。
【図２２】本発明の一実施形態によるデュアルカードUEの第3の概略構造図である。
【発明を実施するための形態】
【００７７】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。すべての実施形態の特徴は、それらが相互に排他的でない場合に組み合わされ得る。
【００７８】
従来技術では、シングルカード携帯電話がネットワークにアクセスするときに、位置更新/登録手順においてシングルカード携帯電話によって引き起こされるシグナリングオーバーヘッドを低減するために、ISR(Idle State Signalling Reduction、アイドル状態シグナリング削減)手順がアクティブ化され得る。例えば、シングルカード携帯電話が2G(second-generation、第2世代移動体通信技術規格の略)/3G(3rd-generation、第3世代移動体通信技術の略)ネットワークまたはSAEネットワークに登録した後、シングルカード携帯電話が、2G/3GネットワークからSAEネットワークに移動するか、またはSAEネットワークから2G/3Gネットワークに移動するときに、シングルカード携帯電話は、それら2つのネットワークの両方に登録する必要があり、その後、シングルカード携帯電話が、それら2つのネットワークに対応する登録エリアRA(Routing Area、ルーティングエリア)/TA (Tracking Area、トラッキングエリア)の間で移動するときに、シングルカード携帯電話は、再び登録する必要はない。好ましくは、そのようなISRアクティブ化(ISR activation)において、ネットワークにおいてシングルカード携帯電話をページングする必要がある場合、ネットワークにおいてシングルカード携帯電話が登録しているすべてのRA/TAエリア内でページングすることを必要とする。
【００７９】
本明細書において説明されているさまざまな技術は、さまざまなワイヤレス通信システムにおいて使用され、例えば、グローバル移動体通信システム(GSM(登録商標)、Global System for Mobile Communications)、符号分割多元接続(CDMA、Code Division Multiple Access)システム、時分割多元接続(TDMA、Time Division Multiple Access)システム、広帯域符号分割多元接続(WCDMA(登録商標)、Wideband Code Division Multiple Access)システム、周波数分割多元接続(FDMA、Frequency Division Multiple Access)システム、OFDMA(Orthogonal Frequency-Division Multiple Access、Orthogonal Frequency-Division Multiple Access)システム、シングルキャリア周波数分割多元接続(SC-FDMA、Single Carrier Frequency Division Multiple Addressing)システム、汎用パケット無線サービス、汎用パケット無線サービス(GPRS、General Packet Radio Service、汎用パケット無線サービス)システム、ロングタームエボリューション(LTE、Long Term Evolution)システム、および他のそのような通信システムなどの現行の2Gおよび3G通信システムおよび次世代通信システムにおいて使用され得る。
【００８０】
ユーザ機器は、ワイヤレス端末または有線端末であってよい。ワイヤレス端末は、ユーザに音声および/またはデータ接続性を提供するデバイス、無線接続機能を有するハンドヘルドデバイス、またはワイヤレスモデムに接続される別の処理デバイスを指すものとしてよい。ワイヤレス端末は、無線アクセスネットワーク(RAN、Radio Access Network)を通じて1つまたは複数のコアネットワークと通信し得る。ワイヤレス端末は、携帯電話(「セルラー」フォンとも称される)などの携帯端末であってよく、携帯端末を備えるコンピュータは、例えば、無線アクセスネットワークと音声および/またはデータを交換する、ポータブル、ポケットサイズ、ハンドヘルド、コンピュータ内蔵、または車載型のモバイル装置であるか、または、例えば、パーソナル通信サービス(PCS、Personal Communication Service)電話、コードレス電話機、セッション開始プロトコル(SIP)電話、ワイヤレスローカルループ(WLL、Wireless Local Loop)局、または携帯情報端末(PDA、Personal Digital Assistant)などのデバイスであってよい。ワイヤレス端末は、システム、加入者ユニット(Subscriber Unit)、加入者局(Subscriber Station)、移動局(Mobile Station)、携帯端末(Mobile)、リモート局(Remote Station)、アクセスポイント(Access Point)、リモート端末(Remote Terminal)、アクセス端末(Access Terminal)、ユーザ端末(User Terminal)、ユーザエージェント(User Agent)、ユーザデバイス(User Device)、またはユーザ機器(User Equipment)とも称され得る。
【００８１】
実施形態1
本発明の一実施形態は、デュアルカードUEのための通信方法を提供する。図1に示されているように、第1のネットワーク側デバイスに関係する、この方法は、ネットワーク側デバイスがダウンリンクデータをデュアルカードデュアルスタンバイデュアルパスUEに送信するシナリオに適用され得る。この方法は、以下のステップを含み得る。
【００８２】
S101。第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路である。
【００８３】
例示的に、デュアルカードUEは、2枚のカードが挿入される通信端末である。デュアルカードUEが、ネットワークにアクセスする必要があるときに、デュアルカードUEは、最初に、アクセス要求を第1のネットワーク側デバイスに送信し、すなわち、第1のネットワーク側デバイスがアクセス要求を受信し、次いで、第1のネットワーク側デバイスは、アクセス要求に従って、デュアルカードUEの第1のカードに対応する第1のベアラを確立し、第1のベアラは、第1のネットワーク側デバイスとデュアルカードUEの第1のカードとの間のデータ通信路であり、第1のネットワーク側デバイスは、デュアルカードUEの第1のカードに対するサービスを提供する。
【００８４】
S102。第1のネットワーク側デバイスは、デュアルカードUEの第1のカードとデュアルカードUEの第2のカードとの間の関連付け情報を取得する。
【００８５】
第1のネットワーク側デバイスは、デュアルカードUEの第1のカードとデュアルカードUEの第2のカードとの間の関連付け情報を取得するが、第1のネットワーク側デバイスにより関連付け情報を取得するための特定の方法は、後の実施形態において詳しく説明されている。
【００８６】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、第1のネットワーク側デバイスによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【００８７】
S103。第1のネットワーク側デバイスは、関連付け情報に従って第2のベアラを確立し、第2のベアラは第1のネットワーク側デバイスとデュアルカードUEの第2のカードとの間のデータ通信路である。
【００８８】
第1のネットワーク側デバイスが、デュアルカードUEからアクセス要求を受信した後、第1のネットワーク側デバイスは、取得された関連付け情報に従って、デュアルカードUEの第2のカードに対応する第2のベアラを確立し、第2のベアラは、第1のネットワーク側デバイスとデュアルカードUEの第2のカードとの間のデータ通信路である。
【００８９】
第1のネットワーク側デバイスによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【００９０】
例示的に、デュアルカードUEは、デュアルカードUEの第2のカードからのアクセス要求をデュアルカードUEの第2のカードが属しているネットワーク側デバイスに送信することができ、これにより、デュアルカードUEの第2のカードが属しているネットワーク側デバイスは、デュアルカードUEの第2のカードに対してデュアルカードUEの第2のカードのベアラを確立し、デュアルカードUEの第2のカードのベアラは、デュアルカードUEの第2のカードが属しているネットワーク側デバイスからデュアルカードUEの第2のカードまでのベアラであるものとしてよい。
【００９１】
第1のネットワーク側デバイスが第2のベアラを確立する前に、デュアルカードUEの第2のカードが属しているネットワーク側デバイスが、デュアルカードUEの第2のカードに対してデュアルカードUEの第2のカードのベアラをすでに確立している場合、第1のネットワーク側デバイスは、第2のベアラの一部のみ、すなわち、第1のネットワーク側デバイスからデュアルカードUEの第2のカードが属しているネットワーク側デバイスまでのベアラを確立する必要があり、デュアルカードUEの第2のカードが属しているネットワーク側デバイスが、デュアルカードUEの第2のカードに対してデュアルカードUEの第2のカードのベアラを確立していない場合、第1のネットワーク側デバイスは、完全な第2のベアラ、すなわち、第1のネットワーク側デバイスからデュアルカードUEの第2のカードまでのベアラ全体を確立する必要があることに留意されたい。
【００９２】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【００９３】
S104。第1のネットワーク側デバイスは、送信されるべき第1のデータを第2のデータと第3のデータとに分割する。
【００９４】
第1のネットワーク側デバイスは、送信されるべき第1のデータをデータパケットの2つのグループ、すなわち第2のデータと第3のデータとに分割し、第1のネットワーク側デバイスにより第1のデータを分割することに対する基準は、第1のベアラの負荷、第1のベアラのデータ伝送効率、第2のベアラの負荷、および第2のベアラのデータ伝送効率のうちの少なくとも1つであるものとしてよい。
【００９５】
好ましくは、第1のデータを分割するための前述の基準は、ネットワーク輻輳状況、デュアルカードUEの第1のカードのタリフまたはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【００９６】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【００９７】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、第1のネットワーク側デバイスが第1のデータを受信した場合に、第1のネットワーク側デバイスは、前述の分割基準に従って、複数のデータパケットをデータパケットの2つのグループ、すなわち、第2のデータと第3のデータとに分割する。
【００９８】
送信されるべき第1のデータが、第1のネットワーク側デバイスによってデータパケットの2つのグループ、すなわち、第2のデータと第3のデータとに分割される比は、1:9、5:5、0.10であるか、または前述の分割基準を満たす他の比であってよいことに留意すべきであるが、これは本発明において制限されない。
【００９９】
好ましくは、この比が、0:10または10:0であるときに、第1のネットワーク側デバイスは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０１００】
S105。第1のネットワーク側デバイスは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。
【０１０１】
第1のネットワーク側デバイスは、第1のベアラを使用することによって第2のデータをデュアルカードUEに送信し、第1のネットワーク側デバイスは、第2のベアラを使用することによって第3のデータをデュアルカードUEに送信し、これにより、受信された第2のデータと第3のデータとを第1のデータに組み合わせた後に、デュアルカードUEは、第1のデータに対する対応する処理を実行し、それにより、第1のデータの送信を完了する。
【０１０２】
デュアルカードUEの第1のカードおよびデュアルカードUEの第2のカードが異なるPLMN(Public Land Mobile Network、パブリックランドモバイルネットワーク)に属している場合に、第1のネットワーク側デバイスによって確立された第1のベアラは、第1のネットワーク側デバイスからデュアルカードUEの第1のカードまでのベアラであってよく、それに対応して、第1のネットワーク側デバイスによって確立された第2のベアラは、第1のネットワーク側デバイスから、デュアルカードUEの第2のカードが属しているネットワーク側デバイスを介して、デュアルカードUEの第2のカードに至るベアラであってよいことに留意されたい。
【０１０３】
本発明の一実施形態は、デュアルカードUEのための通信方法をさらに提供する。図2に示されているように、デュアルカードUEに関係する、この方法は、ネットワーク側デバイスがダウンリンクデータをデュアルカードデュアルスタンバイデュアルパスUEに送信するシナリオに適用され得る。この方法は、以下のステップを含み得る。
【０１０４】
S201。デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である。
【０１０５】
デュアルカードUEが、ネットワークにアクセスする必要があるときに、デュアルカードUEは、最初に、アクセス要求を第1のネットワーク側デバイスに送信し、これにより、アクセス要求を受信した後に、第1のネットワーク側デバイスは、アクセス要求に従ってデュアルカードUEに対する第1のベアラを確立し、デュアルカードUEの第1のカードとデュアルカードUEの第2のカードとの間の関連付け情報を取得した後、第1のネットワーク側デバイスは、関連付け情報に従ってデュアルカードUEに対する第2のベアラを確立し、第1のベアラは、第1のネットワーク側デバイスとデュアルカードUEの第1のカードとの間のデータ通信路であり、第2のベアラは、第1のネットワーク側デバイスとデュアルカードUEの第2のカードとの間のデータ通信路であり、第1のネットワーク側デバイスは、デュアルカードUEの第1のカードに対するサービスを提供する。
【０１０６】
S202。デュアルカードUEは、第1のネットワーク側デバイスから第2のデータと第3のデータとを受信し、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される。
【０１０７】
デュアルカードUEは、第1のネットワーク側デバイスから第2のデータと第3のデータとを受信し、第2のデータは、第1のネットワーク側デバイスがデュアルカードUEに送信されるべき第1のデータをデータパケットの2つのグループ、すなわち、第2のデータと第3のデータとに分割した後に、第1のベアラを使用することにより第1のネットワーク側デバイスによってデュアルカードUEに送信され、第3のデータは、第2のベアラを使用することによって第1のネットワーク側デバイスによってデュアルカードUEに送信される。
【０１０８】
S203。デュアルカードUEは、第2のデータと第3のデータとを第1のデータに組み合わせる。
【０１０９】
デュアルカードUEが、第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０１１０】
本発明のこの実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することによって第2のデータをデュアルカードUEに送信し、第2のベアラを使用することにより第3のデータをデュアルカードUEに送信し、これにより、デュアルカードUEは、第2のデータと第3のデータとを第1のデータに組み合わせる。この解決方法によれば、ネットワーク側デバイスは、送信されるべきデータを分割した後に、デュアルカードUEの2枚のカードのベアラを別々に使用することによって、分割されたデータを同時に配信することができ、したがって、デュアルカードUEの通信手順が最適化され、これにより、サービス送信効率を改善し、通信効率を高め、ユーザエクスペリエンスを改善することができる。
【０１１１】
本発明の一実施形態は、デュアルカードUEのための別の通信方法を提供する。図3に示されているように、デュアルカードUEに関係する、この方法は、デュアルカードデュアルスタンバイデュアルパスUEがアップリンクデータをネットワーク側デバイスに送信するシナリオに適用され得る。この方法は、以下のステップを含み得る。
【０１１２】
S301。デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である。
【０１１３】
例示的に、デュアルカードUEは、2枚のカードが挿入される通信端末である。デュアルカードUEが、ネットワークにアクセスする必要があるときに、デュアルカードUEは、最初に、アクセス要求を第1のネットワーク側デバイスに送信し、これにより、アクセス要求を受信した後に、第1のネットワーク側デバイスは、アクセス要求に従って、デュアルカードUEの第1のカードに対応する第1のベアラを確立し、デュアルカードUEの第1のカードとデュアルカードUEの第2のカードとの間の関連付け情報を取得した後、第1のネットワーク側デバイスは、取得された関連付け情報に従って、デュアルカードUEの第2のカードに対応する第2のベアラを確立し、第1のベアラは、第1のネットワーク側デバイスとデュアルカードUEの第1のカードとの間のデータ通信路であり、第2のベアラは、第1のネットワーク側デバイスとデュアルカードUEの第2のカードとの間のデータ通信路であり、第1のネットワーク側デバイスは、デュアルカードUEの第1のカードに対するサービスを提供する。
【０１１４】
第1のネットワーク側デバイスによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０１１５】
例示的に、デュアルカードUEは、デュアルカードUEの第2のカードからのアクセス要求をデュアルカードUEの第2のカードが属しているネットワーク側デバイスに送信することができ、これにより、デュアルカードUEの第2のカードが属しているネットワーク側デバイスは、デュアルカードUEの第2のカードに対してデュアルカードUEの第2のカードのベアラを確立し、デュアルカードUEの第2のカードのベアラは、デュアルカードUEの第2のカードが属しているネットワーク側デバイスからデュアルカードUEの第2のカードまでのベアラであるものとしてよい。
【０１１６】
第1のネットワーク側デバイスが第2のベアラを確立する前に、デュアルカードUEの第2のカードが属しているネットワーク側デバイスが、デュアルカードUEの第2のカードに対してデュアルカードUEの第2のカードのベアラをすでに確立している場合、第1のネットワーク側デバイスは、第2のベアラの一部のみ、すなわち、第1のネットワーク側デバイスからデュアルカードUEの第2のカードが属しているネットワーク側デバイスまでのベアラを確立する必要があり、デュアルカードUEの第2のカードが属しているネットワーク側デバイスが、デュアルカードUEの第2のカードに対してデュアルカードUEの第2のカードのベアラを確立していない場合、第1のネットワーク側デバイスは、完全な第2のベアラ、すなわち、第1のネットワーク側デバイスからデュアルカードUEの第2のカードまでのベアラ全体を確立する必要があることに留意されたい。
【０１１７】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、第1のネットワーク側デバイスによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０１１８】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０１１９】
S302。デュアルカードUEは、送信されるべき第1のデータを第2のデータと第3のデータとに分割する。
【０１２０】
デュアルカードUEは、送信されるべき第1のデータをデータパケットの2つのグループ、すなわち第2のデータと第3のデータとに分割し、デュアルカードUEにより第1のデータを分割するための基準は、第1のベアラの負荷、第1のベアラのデータ伝送効率、第2のベアラの負荷、および第2のベアラのデータ伝送効率のうちの少なくとも1つであるものとしてよい。
【０１２１】
好ましくは、デュアルカードUEにより第1のデータを分割するための基準は、ネットワーク輻輳状況、デュアルカードUEの第1のカードのタリフおよび/またはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０１２２】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０１２３】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、デュアルカードUEが、第1のデータを送信先に送信する必要がある場合、デュアルカードUEは、前述の分割基準に従って、複数のデータパケットをデータパケットの2つのグループ、すなわち第2のデータと第3のデータとに分割する。
【０１２４】
送信されるべき第1のデータが、デュアルカードUEによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０１２５】
好ましくは、この比が、0:10または10:0であるときに、デュアルカードUEは、第1のデータを分割していないが、好ましいベアラ(第1のベアラまたは第2のベアラ)を使用することによって第1のデータを第1のネットワーク側デバイスに送信するのみであることが指示される。この比が、0:10または10:0であるときに、本発明のこの実施形態において提供されるデュアルカードUEのための通信方法は、デュアルカードシングルパスUEにも適用され得る。
【０１２６】
S303。デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。
【０１２７】
デュアルカードUEは、第1のベアラを使用することにより第2のデータを第1のネットワーク側デバイスに送信し、デュアルカードUEは、第2のベアラを使用することによって第3のデータを第1のネットワーク側デバイスに送信し、これにより、受信された第2のデータと第3のデータとを第1のデータに組み合わせた後に、第1のネットワーク側デバイスは、第1のデータを転送し、これにより、第1のデータの送信を完了する。
【０１２８】
本発明の一実施形態は、デュアルカードUEのための別の通信方法をさらに提供する。図4に示されているように、第1のネットワーク側デバイスに関係する、この方法は、デュアルカードデュアルスタンバイデュアルパスUEがアップリンクデータをネットワーク側デバイスに送信するシナリオに適用され得る。この方法は、以下のステップを含み得る。
【０１２９】
S401。第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路である。
【０１３０】
デュアルカードUEが、ネットワークにアクセスする必要があるときに、デュアルカードUEは、最初に、アクセス要求を第1のネットワーク側デバイスに送信し、すなわち、第1のネットワーク側デバイスは、デュアルカードUEからアクセス要求を受信し、次いで、第1のネットワーク側デバイスは、アクセス要求に従ってデュアルカードUEに対する第1のベアラを確立し、第1のベアラは、第1のネットワーク側デバイスとデュアルカードUEの第1のカードとの間のデータ通信路であり、第1のネットワーク側デバイスは、デュアルカードUEの第1のカードに対するサービスを提供する。
【０１３１】
S402。第1のネットワーク側デバイスは、デュアルカードUEの第1のカードとデュアルカードUEの第2のカードとの間の関連付け情報を取得する。
【０１３２】
第1のネットワーク側デバイスは、デュアルカードUEの第1のカードとデュアルカードUEの第2のカードとの間の関連付け情報を取得するが、第1のネットワーク側デバイスにより関連付け情報を取得するための特定の方法は、後の実施形態において詳しく説明されている。
【０１３３】
S403。第1のネットワーク側デバイスは、関連付け情報に従って第2のベアラを確立し、第2のベアラは第1のネットワーク側デバイスとデュアルカードUEの第2のカードとの間のデータ通信路である。
【０１３４】
第1のネットワーク側デバイスが、デュアルカードUEからアクセス要求を受信した後、第1のネットワーク側デバイスは、取得された関連付け情報に従ってデュアルカードUEに対する第2のベアラを確立し、第2のベアラは、第1のネットワーク側デバイスとデュアルカードUEの第2のカードとの間のデータ通信路である。
【０１３５】
S404。第1のネットワーク側デバイスは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される。
【０１３６】
第1のネットワーク側デバイスは、デュアルカードUEから第2のデータと第3のデータとを受信し、第2のデータは、デュアルカードUEが第1のネットワーク側デバイスに送信されるべき第1のデータをデータパケットの2つのグループ、すなわち、第2のデータと第3のデータとに分割した後に、第1のベアラを使用することによりデュアルカードUEによって第1のネットワーク側デバイスに送信され、第3のデータは、第2のベアラを使用することによってデュアルカードUEによって第1のネットワーク側デバイスに送信される。
【０１３７】
S405。第1のネットワーク側デバイスは、第2のデータと第3のデータとを第1のデータに組み合わせる。
【０１３８】
第1のネットワーク側デバイスが、第2のデータと第3のデータとを受信した後、第1のネットワーク側デバイスは、第2のデータと第3のデータとを第1のデータに組み合わせ、第1のデータを転送し、それにより第1のデータの送信を完了する。
【０１３９】
デュアルカードUEの第1のカードおよびデュアルカードUEの第2のカードが異なるPLMNに属している場合に、第1のネットワーク側デバイスによって確立された第1のベアラは、第1のネットワーク側デバイスからデュアルカードUEの第1のカードまでのベアラであってよく、それに対応して、第1のネットワーク側デバイスによって確立された第2のベアラは、第1のネットワーク側デバイスから、デュアルカードUEの第2のカードが属しているネットワーク側デバイスを介して、デュアルカードUEの第2のカードに至るベアラであってよいことに留意されたい。
【０１４０】
本発明のこの実施形態において用意されるデュアルカードUEのための別の通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEは、送信されるべきデータを分割した後に、デュアルカードUEの2枚のカードのベアラを別々に使用することによって同時に、分割されたデータを同時に送信することができ、したがって、デュアルカードUEの通信手順が最適化され、これにより、サービス送信効率を改善し、通信効率を高め、ユーザエクスペリエンスを改善することができる。
【０１４１】
実施形態2
本発明の一実施形態は、デュアルカードUEのための通信方法を提供する。図5に示されているように、第1のネットワーク側デバイスに関係する、この方法は、ネットワーク側デバイスがダウンリンクデータをデュアルカードデュアルスタンバイデュアルパスUEに送信するシナリオに適用され得る。本発明のこの実施形態における方法は、アンカーゲートウェイ(アンカーゲートウェイは、PGW(Packet Data Network Gateway、パケットデータネットワークゲートウェイ)またはGGSN(Gateway General Packet Radio Service Support Node、ゲートウェイ汎用パケット無線サービスサポートノード))によって実行され得る。この方法は、以下のステップを含み得る。
【０１４２】
S501。アンカーゲートウェイは、デュアルカードUEからアクセス要求を受信し、アクセス要求に従って第1のベアラを確立し、アンカーゲートウェイは、デュアルカードUEの第1のカードに対するサービスを提供し、第1のベアラは、アンカーゲートウェイとデュアルカードUEの第1のカードとの間のデータ通信路である。
【０１４３】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、すなわち、アンカーゲートウェイは、アクセス要求を受信し、次いで、アンカーゲートウェイは、アクセス要求に従って、デュアルカードUEの第1のカードに対応する第1のベアラを確立し、第1のベアラは、アンカーゲートウェイとデュアルカードUEの第1のカードとの間のデータ通信路であり、アンカーゲートウェイは、デュアルカードUEの第1のカードが属すアンカーゲートウェイであり、デュアルカードUEの第1のカードに対してサービスを提供する。
【０１４４】
S502。アンカーゲートウェイは、デュアルカードUEの第1のカードとデュアルカードUEの第2のカードとの間の関連付け情報を取得する。
【０１４５】
デュアルカードUEの第1のカードとデュアルカードUEの第2のカードとの間の関連付け情報を取得した後、デュアルカードUEの第1のカードが登録されているコアネットワークエンティティは、関連付け情報をアンカーゲートウェイに送信する。デュアルカードUEの第1のカードが登録されているコアネットワークエンティティによって関連付け情報を取得するための特定の方法は、後の実施形態において詳しく説明されている。
【０１４６】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０１４７】
S503。アンカーゲートウェイは、関連付け情報に従って第2のベアラを確立し、第2のベアラは、アンカーゲートウェイとデュアルカードUEの第2のカードとの間のデータ通信路である。
【０１４８】
アンカーゲートウェイが、デュアルカードUEからアクセス要求を受信した後、アンカーゲートウェイは、取得された関連付け情報に従って、デュアルカードUEの第2のカードに対応する第2のベアラを確立し、第2のベアラは、アンカーゲートウェイとデュアルカードUEの第2のカードとの間のデータ通信路である。
【０１４９】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０１５０】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０１５１】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０１５２】
好ましくは、デュアルカードUEの第1のカードが登録されている前述のコアネットワークエンティティは、MME(Mobility Management Entity、モビリティ管理エンティティ)またはSGSN(Serving General Packet Radio Service Support Node、サービング汎用パケット無線サービスサポートノード)を備えることができ、かつ/またはデュアルカードUEの第2のカードが登録されている前述のコアネットワークエンティティは、MMEまたはSGSNを含み得る。
【０１５３】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０１５４】
S504。アンカーゲートウェイは、送信されるべき第1のデータを第2のデータと第3のデータとに分割する。
【０１５５】
アンカーゲートウェイは、送信されるべき第1のデータをデータパケットの2つのグループ、すなわち第2のデータと第3のデータとに分割し、アンカーゲートウェイにより第1のデータを分割するための基準は、第1のベアラの負荷、第1のベアラのデータ伝送効率、第2のベアラの負荷、および第2のベアラのデータ伝送効率のうちの少なくとも1つであるものとしてよい。
【０１５６】
好ましくは、第1のデータを分割するための前述の基準は、ネットワーク輻輳状況、デュアルカードUEの第1のカードのタリフおよび/またはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０１５７】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０１５８】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、第1のネットワーク側デバイスが第1のデータを受信した場合に、第1のネットワーク側デバイスは、前述の分割基準に従って、複数のデータパケットをデータパケットの2つのグループ、すなわち、第2のデータと第3のデータとに分割する。
【０１５９】
送信されるべき第1のデータが、アンカーゲートウェイによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０１６０】
好ましくは、この比が、0:10または10:0であるときに、アンカーゲートウェイは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０１６１】
S505。アンカーゲートウェイは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。
【０１６２】
アンカーゲートウェイは、第1のベアラを使用することにより第2のデータをデュアルカードUEに送信し、アンカーゲートウェイは、第2のベアラを使用することによって第3のデータをデュアルカードUEに送信し、これにより、受信された第2のデータと第3のデータとを第1のデータに組み合わせた後に、デュアルカードUEは、第1のデータに対する対応する処理を実行し、それにより、第1のデータの送信を完了する。
【０１６３】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことに留意されたい。
【０１６４】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０１６５】
本発明の一実施形態は、デュアルカードUEのための通信方法をさらに提供する。図6に示されているように、デュアルカードUEに関係する、この方法は、ネットワーク側デバイスがダウンリンクデータをデュアルカードデュアルスタンバイデュアルパスUEに送信するシナリオに適用されるものとしてよく、第1のネットワーク側デバイスがアンカーゲートウェイを備える通信方法に対応する。本発明のこの実施形態における方法は、デュアルカードUEによって実行されるものとしてよく、この方法は、以下のステップを含む。
【０１６６】
S601。デュアルカードUEは、アクセス要求をアンカーゲートウェイに送信し、これにより、アンカーゲートウェイがアクセス要求に従って第1のベアラを確立し、アンカーゲートウェイが、デュアルカードUEの第1のカードとデュアルカードUEの第2のカードとの間の関連付け情報を取得した後、アンカーゲートウェイは、関連付け情報に従って第2のベアラを確立し、アンカーゲートウェイは、デュアルカードUEの第1のカードに対するサービスを提供し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路である。
【０１６７】
デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、これにより、アクセス要求を受信した後に、アンカーゲートウェイは、アクセス要求に従ってデュアルカードUEに対する第1のベアラを確立し、デュアルカードUEの第1のカードとデュアルカードUEの第2のカードとの間の関連付け情報を取得した後、アンカーゲートウェイは、取得された関連付け情報に従ってデュアルカードUEに対する第2のベアラを確立し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路であり、アンカーゲートウェイは、デュアルカードUEの第1のカードが属すアンカーゲートウェイであり、デュアルカードUEの第1のカードに対してサービスを提供する。
【０１６８】
S602。デュアルカードUEは、アンカーゲートウェイから第2のデータと第3のデータとを受信し、第2のデータは、アンカーゲートウェイが送信されるべき第1のデータを第2のデータと第3のデータとに分割した後に、第1のベアラを使用することによりアンカーゲートウェイによって送信され、第3のデータは、第2のベアラを使用することによりアンカーゲートウェイによって送信される。
【０１６９】
デュアルカードUEは、アンカーゲートウェイから第2のデータと第3のデータとを受信し、第2のデータは、アンカーゲートウェイがデュアルカードUEに送信されるべき第1のデータをデータパケットの2つのグループ、すなわち、第2のデータと第3のデータとに分割した後に、第1のベアラを使用することによりアンカーゲートウェイによってデュアルカードUEに送信され、第3のデータは、第2のベアラを使用することによってアンカーゲートウェイによってデュアルカードUEに送信される。
【０１７０】
S603。デュアルカードUEは、第2のデータと第3のデータとを第1のデータに組み合わせる。
【０１７１】
デュアルカードUEが、第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０１７２】
本発明の一実施形態は、デュアルカードUEのための通信方法をさらに提供する。図7に示されているように、第1のネットワーク側デバイスに関係する、この方法は、ネットワーク側デバイスがダウンリンクデータをデュアルカードデュアルスタンバイデュアルパスUEに送信するシナリオに適用され得る。本発明のこの実施形態における方法は、コアネットワークエンティティによって実行され得る(コアネットワークエンティティは、SGW(Serving Gateway、サービングゲートウェイ)またはSGSNを含み得る)。この方法は、以下のステップを含み得る。
【０１７３】
S701。コアネットワークエンティティは、デュアルカードUEからアクセス要求を受信し、アクセス要求に従って第1のベアラを確立し、コアネットワークエンティティは、デュアルカードUEの第1のカードに対するサービスを提供し、第1のベアラは、コアネットワークエンティティとデュアルカードUEの第1のカードとの間のデータ通信路である。
【０１７４】
デュアルカードUEが、ネットワークにアクセスする必要があるときに、デュアルカードUEは、最初に、アクセス要求をコアネットワークエンティティに送信し、すなわち、コアネットワークエンティティがデュアルカードUEからアクセス要求を受信し、次いで、コアネットワークエンティティは、アクセス要求に従ってデュアルカードUEに対する第1のベアラを確立し、第1のベアラは、コアネットワークエンティティとデュアルカードUEの第1のカードとの間のデータ通信路であり、コアネットワークエンティティは、デュアルカードUEの第1のカードが登録されているコアネットワークエンティティであり、デュアルカードUEの第1のカードに対するサービスを提供する。
【０１７５】
S702。コアネットワークエンティティは、デュアルカードUEの第1のカードとデュアルカードUEの第2のカードとの間の関連付け情報を取得する。
【０１７６】
コアネットワークエンティティは、デュアルカードUEの第1のカードとデュアルカードUEの第2のカードとの間の関連付け情報を取得し、コアネットワークエンティティによって関連付け情報を取得するための特定の方法は、後の実施形態において詳しく説明されている。
【０１７７】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが登録されているコアネットワークエンティティによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよい。
【０１７８】
S703。コアネットワークエンティティは、関連付け情報に従って第2のベアラを確立し、第2のベアラは、コアネットワークエンティティとデュアルカードUEの第2のカードとの間のデータ通信路である。
【０１７９】
コアネットワークエンティティが、デュアルカードUEからアクセス要求を受信した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０１８０】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０１８１】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求に従ってデュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０１８２】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０１８３】
S704。コアネットワークエンティティは、送信されるべき第1のデータを第2のデータと第3のデータとに分割する。
【０１８４】
コアネットワークエンティティは、送信されるべき第1のデータをデータパケットの2つのグループ、すなわち第2のデータと第3のデータとに分割する。
【０１８５】
送信されるべき第1のデータが、コアネットワークエンティティによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０１８６】
好ましくは、この比が、0:10または10:0であるときに、コアネットワークエンティティは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０１８７】
S705。コアネットワークエンティティは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。
【０１８８】
コアネットワークエンティティは、第1のベアラを使用することにより第2のデータをデュアルカードUEに送信し、コアネットワークエンティティは、第2のベアラを使用することによって第3のデータをデュアルカードUEに送信し、これにより、受信された第2のデータと第3のデータとを第1のデータに組み合わせた後に、デュアルカードUEは、第1のデータに対する対応する処理を実行し、それにより、第1のデータの送信を完了する。
【０１８９】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことに留意されたい。
【０１９０】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０１９１】
特に、コアネットワークエンティティによって第1のデータを分割するための前述の方法において、デュアルカードUEの第1のカードが、ISR方式と同様に、デュアルカードUEの第2のカードに関連付けられた後、一旦、デュアルカードUEの一つのカードがそのベアラを更新すると、デュアルカードUEの他のカードも、更新情報を取得し、同じベアラ更新手順を実行し、これにより、デュアルカードUEの2枚のカードのベアラは同期される、すなわち、第1のベアラおよび第2のベアラが同期される。ISR方式は、UEの2つのRAT(Radio Access Type、無線アクセスタイプ)のベアラが同期されるというものであるが、本発明のこの実施形態において提供されるコアネットワークエンティティによって第1のデータを分割するための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０１９２】
好ましくは、コアネットワークエンティティによって第1のデータを分割するための前述の方法において、第1のベアラおよび第2のベアラは、さらに、同期されなくてもよく、また配信されるべきデータがあるときに同期され得る。第1のおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０１９３】
本発明の一実施形態は、デュアルカードUEのための通信方法をさらに提供する。図8に示されているように、デュアルカードUEに関係する、この方法は、ネットワーク側デバイスがダウンリンクデータをデュアルカードデュアルスタンバイデュアルパスUEに送信するシナリオに適用されるものとしてよく、第1のネットワーク側デバイスがコアネットワークエンティティを備える通信方法に対応する。本発明のこの実施形態における方法は、デュアルカードUEによって実行されるものとしてよく、この方法は、以下のステップを含む。
【０１９４】
S801。デュアルカードUEは、アクセス要求をコアネットワークエンティティに送信し、これにより、コアネットワークエンティティがアクセス要求に従って第1のベアラを確立し、コアネットワークエンティティが、デュアルカードUEの第1のカードとデュアルカードUEの第2のカードとの間の関連付け情報を取得した後、コアネットワークエンティティは、関連付け情報に従って第2のベアラを確立し、コアネットワークエンティティは、デュアルカードUEの第1のカードに対するサービスを提供し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路である。
【０１９５】
デュアルカードUEが、ネットワークにアクセスする必要があるときに、デュアルカードUEは、最初に、アクセス要求をコアネットワークエンティティに送信し、これにより、デュアルカードUEからアクセス要求を受信した後に、コアネットワークエンティティは、アクセス要求に従ってデュアルカードUEに対する第1のベアラを確立し、コアネットワークエンティティは、取得された関連付け情報に従ってデュアルカードUEに対する第2のベアラを確立し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路であり、コアネットワークエンティティは、デュアルカードUEの第1のカードが登録されているコアネットワークエンティティであり、デュアルカードUEの第1のカードに対するサービスを提供する。
【０１９６】
S802。デュアルカードUEは、コアネットワークエンティティから第2のデータと第3のデータとを受信し、第2のデータは、コアネットワークエンティティが送信されるべき第1のデータを第2のデータと第3のデータとに分割した後に、第1のベアラを使用することによりコアネットワークエンティティによって送信され、第3のデータは、第2のベアラを使用することによってコアネットワークエンティティによって送信される。
【０１９７】
デュアルカードUEは、コアネットワークエンティティから第2のデータと第3のデータとを受信し、第2のデータは、コアネットワークエンティティがデュアルカードUEに送信されるべき第1のデータをデータパケットの2つのグループ、すなわち、第2のデータと第3のデータとに分割した後に、第1のベアラを使用することによりコアネットワークエンティティによってデュアルカードUEに送信され、第3のデータは、第2のベアラを使用することによってコアネットワークエンティティによってデュアルカードUEに送信される。
【０１９８】
S803。デュアルカードUEは、第2のデータと第3のデータとを第1のデータに組み合わせる。
【０１９９】
デュアルカードUEが、第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０２００】
本発明のこの実施形態において用意されるデュアルカードUEのための通信方法において、コアネットワークエンティティは、デュアルカードUEからアクセス要求を受信し、アクセス要求に従って第1のベアラを確立し、コアネットワークエンティティは、デュアルカードUEの第1のカードに対するサービスを提供し、第1のベアラはコアネットワークエンティティとデュアルカードUEの第1のカードとの間のデータ通信路であり、コアネットワークエンティティがデュアルカードUEの第1のカードとデュアルカードUEの第2のカードとの間の関連付け情報を取得した後に、コアネットワークエンティティが関連付け情報に従って第2のベアラを確立し、第2のベアラはコアネットワークエンティティとデュアルカードUEの第2のカードとの間のデータ通信路であり、コアネットワークエンティティは、送信されるべき第1のデータを第2のデータと第3のデータとに分割し、第1のベアラを使用することによって第2のデータをデュアルカードUEに送信し、第2のベアラを使用することにより第3のデータをデュアルカードUEに送信し、これにより、デュアルカードUEは、第2のデータと第3のデータとを第1のデータに組み合わせる。この解決方法によれば、デュアルカードUEの2枚のカードが互いに関連付けられているという条件において、ネットワーク側デバイスは、送信されるべきデータ、すなわち、デュアルカードUEに送信される必要のあるデータ、を分割した後に、デュアルカードUEの2枚のカードのベアラを別々に使用することによって同時に、分割されたデータを配信することができ、したがって、デュアルカードUEの通信手順が最適化され、これにより、サービス送信効率を改善し、通信効率を高め、ユーザエクスペリエンスを改善することができる。
【０２０１】
本発明の一実施形態は、デュアルカードUEのための別の通信方法を提供する。図9に示されているように、デュアルカードUEに関係する、この方法は、デュアルカードデュアルスタンバイデュアルパスUEがアップリンクデータをネットワーク側デバイスに送信するシナリオに適用されるものとしてよく、これは、第1のネットワーク側デバイスがアンカーゲートウェイを備える通信方法に対応する(アンカーゲートウェイは、PGWまたはGGSNを備え得る)。本発明のこの実施形態における方法は、デュアルカードUEによって実行されるものとしてよく、この方法は、以下のステップを含む。
【０２０２】
S901。デュアルカードUEは、アクセス要求をアンカーゲートウェイに送信し、これにより、アンカーゲートウェイがアクセス要求に従って第1のベアラを確立し、アンカーゲートウェイが、デュアルカードUEの第1のカードとデュアルカードUEの第2のカードとの間の関連付け情報を取得した後、アンカーゲートウェイは、関連付け情報に従って第2のベアラを確立し、アンカーゲートウェイは、デュアルカードUEの第1のカードに対するサービスを提供し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路である。
【０２０３】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、これにより、アクセス要求を受信した後に、アンカーゲートウェイは、アクセス要求に従って、デュアルカードUEの第1のカードに対応する第1のベアラを確立し、デュアルカードUEの第1のカードとデュアルカードUEの第2のカードとの間の関連付け情報を取得した後、アンカーゲートウェイは、取得された関連付け情報に従って、デュアルカードUEの第2のカードに対応する第2のベアラを確立し、第1のベアラは、アンカーゲートウェイとデュアルカードUEの第1のカードとの間のデータ通信路であり、第2のベアラは、アンカーゲートウェイとデュアルカードUEの第2のカードとの間のデータ通信路であり、アンカーゲートウェイは、デュアルカードUEの第1のカードが属すアンカーゲートウェイであり、デュアルカードUEの第1のカードに対してサービスを提供する。
【０２０４】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０２０５】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０２０６】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０２０７】
好ましくは、デュアルカードUEの第1のカードが登録されている前述のコアネットワークエンティティは、MMEまたはSGSNを含み、かつ/または、デュアルカードUEの第2のカードが登録されているコアネットワークエンティティは、MMEまたはSGSNを含み得る。
【０２０８】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０２０９】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０２１０】
S902。デュアルカードUEは、送信されるべき第1のデータを第2のデータと第3のデータとに分割する。
【０２１１】
デュアルカードUEは、送信されるべき第1のデータをデータパケットの2つのグループ、すなわち第2のデータと第3のデータとに分割し、デュアルカードUEにより第1のデータを分割するための基準は、第1のベアラの負荷、第1のベアラのデータ伝送効率、第2のベアラの負荷、および第2のベアラのデータ伝送効率のうちの少なくとも1つであるものとしてよい。
【０２１２】
好ましくは、デュアルカードUEにより第1のデータを分割するための基準は、ネットワーク輻輳状況、デュアルカードUEの第1のカードのタリフおよび/またはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０２１３】
特に、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０２１４】
当業者であれば、通信分野では、送信元が第1のデータを送信先に送信する必要がある場合、送信元は、第1のデータを複数のデータパケットにパケット化し、複数のデータパケットを送信先に順次送信する必要があることを理解することができる。すなわち、第1のデータは、複数のデータパケットを含むデータストリームであり、デュアルカードUEが、第1のデータを送信先に送信する必要がある場合、デュアルカードUEは、前述の分割基準に従って、複数のデータパケットをデータパケットの2つのグループ、すなわち第2のデータと第3のデータとに分割する。
【０２１５】
送信されるべき第1のデータが、デュアルカードUEによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０２１６】
好ましくは、この比が、0:10または10:0であるときに、デュアルカードUEは、第1のデータを分割していないが、好ましいベアラ(第1のベアラまたは第2のベアラ)を使用することによって第1のデータをアンカーゲートウェイに送信するのみであることが指示される。この比が、0:10または10:0であるときに、本発明のこの実施形態において提供されるデュアルカードUEのための通信方法は、デュアルカードシングルパスUEにも適用され得る。
【０２１７】
S903。デュアルカードUEは、第1のベアラを使用することにより第2のデータをアンカーゲートウェイに送信し、第2のベアラを使用することにより第3のデータをアンカーゲートウェイに送信し、それにより、アンカーゲートウェイが第2のデータと第3のデータとを第1のデータに組み合わせる。
【０２１８】
デュアルカードUEは、第1のベアラを使用することにより第2のデータをアンカーゲートウェイに送信し、デュアルカードUEは、第2のベアラを使用することによって第3のデータをアンカーゲートウェイに送信し、これにより、受信された第2のデータと第3のデータとを第1のデータに組み合わせた後に、アンカーゲートウェイは、第1のデータを転送し、それにより第1のデータの送信を完了する。
【０２１９】
本発明の一実施形態は、デュアルカードUEのための別の通信方法をさらに提供する。図10に示されているように、第1のネットワーク側デバイスに関係する、この方法は、デュアルカードデュアルスタンバイデュアルパスUEがアップリンクデータをネットワーク側デバイスに送信するシナリオに適用され得る。本発明のこの実施形態における方法は、アンカーゲートウェイによって実行され得る(アンカーゲートウェイは、PGWまたはGGSNを備え得る)。この方法は、以下のステップを含み得る。
【０２２０】
S1001。アンカーゲートウェイは、デュアルカードUEからアクセス要求を受信し、アクセス要求に従って第1のベアラを確立し、アンカーゲートウェイは、デュアルカードUEの第1のカードに対するサービスを提供し、第1のベアラは、アンカーゲートウェイとデュアルカードUEの第1のカードとの間のデータ通信路である。
【０２２１】
デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、すなわち、アンカーゲートウェイは、デュアルカードUEからアクセス要求を受信し、次いで、アンカーゲートウェイは、アクセス要求に従ってデュアルカードUEに対する第1のベアラを確立し、第1のベアラは、アンカーゲートウェイとデュアルカードUEの第1のカードとの間のデータ通信路であり、アンカーゲートウェイは、デュアルカードUEの第1のカードが属すアンカーゲートウェイであり、デュアルカードUEの第1のカードに対してサービスを提供する。
【０２２２】
S1002。アンカーゲートウェイは、デュアルカードUEの第1のカードとデュアルカードUEの第2のカードとの間の関連付け情報を取得する。
【０２２３】
デュアルカードUEの第1のカードとデュアルカードUEの第2のカードとの間の関連付け情報を取得した後、デュアルカードUEの第1のカードが登録されているコアネットワークエンティティは、関連付け情報をアンカーゲートウェイに送信する。デュアルカードUEの第1のカードが登録されているコアネットワークエンティティによって関連付け情報を取得するための特定の方法は、後の実施形態において詳しく説明されている。
【０２２４】
S1003。アンカーゲートウェイは、関連付け情報に従って第2のベアラを確立し、第2のベアラは、アンカーゲートウェイとデュアルカードUEの第2のカードとの間のデータ通信路である。
【０２２５】
アンカーゲートウェイが、デュアルカードUEからアクセス要求を受信した後、アンカーゲートウェイは、取得された関連付け情報に従ってデュアルカードUEに対する第2のベアラを確立し、第2のベアラは、アンカーゲートウェイとデュアルカードUEの第2のカードとの間のデータ通信路である。
【０２２６】
S1004。アンカーゲートウェイは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される。
【０２２７】
アンカーゲートウェイは、デュアルカードUEから第2のデータと第3のデータとを受信し、第2のデータは、デュアルカードUEが第1のネットワーク側デバイスに送信されるべき第1のデータをデータパケットの2つのグループ、すなわち、第2のデータと第3のデータとに分割した後に、第1のベアラを使用することによりデュアルカードUEによってアンカーゲートウェイに送信され、第3のデータは、第2のベアラを使用することによってデュアルカードUEによってアンカーゲートウェイに送信される。
【０２２８】
S1005。アンカーゲートウェイは、第2のデータと第3のデータとを第1のデータに組み合わせる。
【０２２９】
アンカーゲートウェイが、第2のデータと第3のデータとを受信した後、アンカーゲートウェイは、第2のデータと第3のデータとを第1のデータに組み合わせ、第1のデータを転送し、それにより第1のデータの送信を完了する。
【０２３０】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことに留意されたい。
【０２３１】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０２３２】
本発明の一実施形態は、デュアルカードUEのための別の通信方法をさらに提供する。図11に示されているように、デュアルカードUEに関係する、この方法は、デュアルカードデュアルスタンバイデュアルパスUEがアップリンクデータをネットワーク側デバイスに送信するシナリオに適用されるものとしてよく、これは、第1のネットワーク側デバイスが、コアネットワークエンティティを備える通信方法に対応している(コアネットワークエンティティは、SGWまたはSGSNを備え得る)。本発明のこの実施形態における方法は、デュアルカードUEによって実行されるものとしてよく、この方法は、以下のステップを含む。
【０２３３】
S1101。デュアルカードUEは、アクセス要求をコアネットワークエンティティに送信し、これにより、コアネットワークエンティティがアクセス要求に従って第1のベアラを確立し、コアネットワークエンティティが、デュアルカードUEの第1のカードとデュアルカードUEの第2のカードとの間の関連付け情報を取得した後、コアネットワークエンティティは、関連付け情報に従って第2のベアラを確立し、コアネットワークエンティティは、デュアルカードUEの第1のカードに対するサービスを提供し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路である。
【０２３４】
デュアルカードUEが、ネットワークにアクセスする必要があるときに、デュアルカードUEは、最初に、アクセス要求をコアネットワークエンティティに送信し、これにより、デュアルカードUEからアクセス要求を受信した後に、コアネットワークエンティティは、アクセス要求に従って第1のベアラを確立し、コアネットワークエンティティは、取得された関連付け情報に従って第2のベアラを確立し、コアネットワークエンティティは、デュアルカードUEの第1のカードが登録されているコアネットワークエンティティであり、デュアルカードUEの第1のカードに対するサービスを提供し、第1のベアラは、コアネットワークエンティティとデュアルカードUEの第1のカードとの間のデータ通信路であり、第2のベアラは、コアネットワークエンティティとデュアルカードUEの第2のカードとの間のデータ通信路である。
【０２３５】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０２３６】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、デュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０２３７】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０２３８】
S1102。デュアルカードUEは、送信されるべき第1のデータを第2のデータと第3のデータとに分割する。
【０２３９】
デュアルカードUEは、送信されるべき第1のデータをデータパケットの2つのグループ、すなわち第2のデータと第3のデータとに分割する。
【０２４０】
S1103。デュアルカードUEは、第1のベアラを使用することにより第2のデータをコアネットワークエンティティに送信し、第2のベアラを使用することによって第3のデータをコアネットワークエンティティに送信し、それにより、コアネットワークエンティティが第2のデータと第3のデータとを第1のデータに組み合わせる。
【０２４１】
デュアルカードUEは、第1のベアラを使用することにより第2のデータをコアネットワークエンティティに送信し、デュアルカードUEは、第2のベアラを使用することにより第3のデータをコアネットワークエンティティに送信し、これにより、受信された第2のデータと第3のデータとを第1のデータに組み合わせた後に、コアネットワークエンティティは、第1のデータを転送し、それにより第1のデータの送信を完了する。
【０２４２】
特に、デュアルカードUEによって第1のデータを分割し、コアネットワークエンティティによって、分割することで得られた第2のデータと第3のデータとを組み合わせる前述の方法において、デュアルカードUEの第1のカードが、ISR方式と同様に、デュアルカードUEの第2のカードに関連付けられた後、一旦、デュアルカードUEの一つのカードがそのベアラを更新すると、デュアルカードUEの他のカードも、更新情報を取得し、同じベアラ更新手順を実行し、これにより、デュアルカードUEの2枚のカードのベアラは同期される、すなわち、第1のベアラおよび外部のベアラが同期される。ISR方式は、UEの2つのRATのベアラが同期されるというものであり、本発明のこの実施形態において提供されるデュアルカードUEによって第1のデータを分割し、コアネットワークエンティティによって、分割することにより得られた第2のデータおよび第3のデータを組み合わせるための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０２４３】
好ましくは、デュアルカードUEによって第1のデータを分割し、コアネットワークエンティティによって、分割することで得られた第2のデータと第3のデータとを組み合わせる前述の方法において、第1のベアラおよび第2のベアラは、さらに、同期されなくてもよく、また配信されるべきデータがあるときに同期され得る。第1のベアラおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０２４４】
本発明の一実施形態は、デュアルカードUEのための別の通信方法をさらに提供する。図12に示されているように、第1のネットワーク側デバイスに関係する、この方法は、デュアルカードデュアルスタンバイデュアルパスUEがアップリンクデータをネットワーク側デバイスに送信するシナリオに適用され得る。本発明のこの実施形態における方法は、コアネットワークエンティティによって実行され得る(コアネットワークエンティティは、SGWまたはSGSNを含み得る)。この方法は、以下のステップを含み得る。
【０２４５】
S1201。コアネットワークエンティティは、デュアルカードUEからアクセス要求を受信し、アクセス要求に従って第1のベアラを確立し、コアネットワークエンティティは、デュアルカードUEの第1のカードに対するサービスを提供し、第1のベアラは、コアネットワークエンティティとデュアルカードUEの第1のカードとの間のデータ通信路である。
【０２４６】
デュアルカードUEが、ネットワークにアクセスする必要があるときに、デュアルカードUEは、最初に、アクセス要求をコアネットワークエンティティに送信し、すなわち、コアネットワークエンティティは、デュアルカードUEからアクセス要求を受信し、次いで、コアネットワークエンティティは、アクセス要求に従ってデュアルカードUEに対する第1のベアラを確立し、第1のベアラは、コアネットワークエンティティとデュアルカードUEの第1のカードとの間のデータ通信路であり、コアネットワークエンティティは、デュアルカードUEの第1のカードが登録されているコアネットワークエンティティであり、デュアルカードUEの第1のカードに対するサービスを提供する。
【０２４７】
S1202。コアネットワークエンティティは、デュアルカードUEの第1のカードとデュアルカードUEの第2のカードとの間の関連付け情報を取得する。
【０２４８】
コアネットワークエンティティは、デュアルカードUEの第1のカードとデュアルカードUEの第2のカードとの間の関連付け情報を取得し、コアネットワークエンティティによって関連付け情報を取得するための特定の方法は、後の実施形態において詳しく説明されている。
【０２４９】
S1203。コアネットワークエンティティは、関連付け情報に従って第2のベアラを確立し、第2のベアラは、コアネットワークエンティティとデュアルカードUEの第2のカードとの間のデータ通信路である。
【０２５０】
コアネットワークエンティティが、デュアルカードUEからアクセス要求を受信した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０２５１】
S1204。コアネットワークエンティティは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信される。
【０２５２】
コアネットワークエンティティは、デュアルカードUEから第2のデータと第3のデータとを受信し、第2のデータは、デュアルカードUEが第1のネットワーク側デバイスに送信されるべき第1のデータをデータパケットの2つのグループ、すなわち、第2のデータと第3のデータとに分割した後に、第1のベアラを使用することによりデュアルカードUEによってコアネットワークエンティティに送信され、第3のデータは、第2のベアラを使用することによってデュアルカードUEによってコアネットワークエンティティに送信される。
【０２５３】
S1205。コアネットワークエンティティは、第2のデータと第3のデータとを第1のデータに組み合わせる。
【０２５４】
コアネットワークエンティティが、第2のデータと第3のデータとを受信した後、コアネットワークエンティティは、第2のデータと第3のデータとを第1のデータに組み合わせ、第1のデータを転送し、それにより第1のデータの送信を完了する。
【０２５５】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことに留意されたい。
【０２５６】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０２５７】
本発明のこの実施形態において用意されるデュアルカードUEのための別の通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０２５８】
実施形態3
本発明の一実施形態は、デュアルカードUEのための通信方法を提供し、この方法は、図13に示されているように、ネットワーク側デバイスがダウンリンクデータをデュアルカードデュアルスタンバイデュアルパスUEに送信するシナリオに適用され得る。この方法に関わる第1のネットワーク側デバイスは、アンカーゲートウェイを備えるものとしてよい(アンカーゲートウェイは、PGWまたはGGSNを備え得る)。この方法は、以下のステップを含み得る。
【０２５９】
S1301。デュアルカードUEは、アクセス要求をアンカーゲートウェイに送信し、アンカーゲートウェイは、デュアルカードUEの第1のカードに対するサービスを提供する。
【０２６０】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEのコアネットワークエンティティは、アクセス要求をアンカーゲートウェイに送信し、アンカーゲートウェイは、デュアルカードUEの第1のカードが属すアンカーゲートウェイであり、デュアルカードUEの第1のカードに対してサービスを提供する。
【０２６１】
S1302。アンカーゲートウェイは、アクセス要求に従って第1のベアラを確立し、第1のベアラは、アンカーゲートウェイとデュアルカードUEの第1のカードとの間のデータ通信路である。
【０２６２】
アンカーゲートウェイが、デュアルカードUEからアクセス要求を受信した後、アンカーゲートウェイは、アクセス要求に従ってデュアルカードUEに対する第1のベアラを確立し、第1のベアラは、アンカーゲートウェイとデュアルカードUEの第1のカードとの間のデータ通信路である。
【０２６３】
S1303。アンカーゲートウェイは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０２６４】
デュアルカードUEの第1のカードが登録されているコアネットワークエンティティが、デュアルカードUEの第1のカードとデュアルカードUEの第2のカードとの間の関連付け情報を取得した後に、コアネットワークエンティティは、関連付け情報をアンカーゲートウェイに送信する。アンカーゲートウェイは、取得された関連付け情報に従ってデュアルカードUEに対する第2のベアラを確立し、第2のベアラは、アンカーゲートウェイとデュアルカードUEの第2のカードとの間のデータ通信路である。
【０２６５】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０２６６】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０２６７】
好ましくは、デュアルカードUEの第1のカードの識別子は、デュアルカードUEの第1のカードのIMSI(International Mobile Subscriber Identity、国際移動電話加入者識別番号)またはデュアルカードUEの第1のカードのTMSI(Temporary Mobile Subscriber Identity、一時的移動局加入者識別番号)であってよく、かつ/またはデュアルカードUEの第2のカードの識別子は、デュアルカードUEの第2のカードのIMSIまたはデュアルカードUEの第2のカードのTMSIであってよい。
【０２６８】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０２６９】
特に、デュアルカードUEの第1のカードが登録されているコアネットワークエンティティによって関連付け情報を取得するための特定の方法は、以下のいずれかであってよい。
(1)デュアルカードUEの第1のカードが登録されているコアネットワークエンティティは、HSS(Home Subscriber Server、ホーム加入者サーバ)から、デュアルカードUEの第1のカードの加入情報を受信し、デュアルカードUEの第1のカードの加入情報内の関連付け情報を取得する。
(2)デュアルカードUEの第1のカードが登録されているコアネットワークエンティティは、デュアルカードUEの第1のカードからアクセス要求を受信し、アクセス要求に従って関連付け情報を取得し、アクセス要求は関連付け情報を運ぶ。
【０２７０】
S1304。アンカーゲートウェイは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIP(Internet Protocol、インターネットプロトコル)アドレスを取得する。
【０２７１】
関連付け情報が、デュアルカードUEの第2のカードの識別子を含む場合、デュアルカードUEの第1のカードが登録されているコアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子に従ってデュアルカードUEの第2のカードのIPアドレスを取得する。
【０２７２】
関連付け情報が、デュアルカードUEの第2のカードの識別子と、デュアルカードUEの第2のカードが登録されているコアネットワークエンティティのアドレスとを含む場合、デュアルカードUEの第1のカードが登録されているコアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子と、デュアルカードUEの第2のカードが登録されているコアネットワークエンティティのアドレスとに従ってデュアルカードUEの第2のカードのIPアドレスを取得する。
【０２７３】
特に、前述のプロセスにおいて、関連付け情報は、デュアルカードUEの第1のカードが登録されているコアネットワークエンティティを使用することによって取得されるものとしてよく、コアネットワークエンティティは、アンカーゲートウェイに、デュアルカードUEの第2のカードのIPアドレスなどの必要な関連付け情報を送信し、コアネットワークエンティティは、MMEまたはSGSNを備え得る。
【０２７４】
S1305。アンカーゲートウェイは、デュアルカードUEの第2のカードのIPアドレスに従って第2のベアラを確立し、第2のベアラは、アンカーゲートウェイとデュアルカードUEの第2のカードとの間のデータ通信路である。
【０２７５】
アンカーゲートウェイは、デュアルカードUEの第2のカードのIPアドレスに従ってデュアルカードUEに対する第2のベアラを確立し、第2のベアラは、アンカーゲートウェイとデュアルカードUEの第2のカードとの間のデータ通信路である。
【０２７６】
当業者であれば、IPアドレスが異なるアンカーゲートウェイの間のルーティングを実行するのに必要である、すなわち、デュアルカードUEの第1のカードが属すアンカーゲートウェイが、データをデュアルカードUEの第2のカードが属すアンカーゲートウェイに送信する必要がある場合に、デュアルカードUEの第1のカードが属すアンカーゲートウェイは、デュアルカードUEの第2のカードが属すアンカーゲートウェイのIPアドレスを使用してデータを送信する必要があることを理解することができる。
【０２７７】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０２７８】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０２７９】
好ましくは、デュアルカードUEの第2のカードが登録されているコアネットワークエンティティは、MMEまたはSGSNを含み得る。
【０２８０】
S1306。アンカーゲートウェイは、送信されるべき第1のデータを第2のデータと第3のデータとに分割し、トンネリング技術に従ってデュアルカードUEの第2のカードのIPアドレスを第3のデータに追加する。
【０２８１】
当業者であれば、通信分野では、送信元が第1のデータを送信先に送信する必要がある場合、送信元は、第1のデータを複数のデータパケット(各データパケットのパケットヘッダは、送信元のIPアドレスと送信先のIPアドレスとを運ぶ)にパケット化し、複数のデータパケットを送信先に順次送信する必要があることを理解することができる。すなわち、第1のデータは、複数のデータパケットを含むデータストリームであり、第1のネットワーク側デバイスが第1のデータを受信した場合に、第1のネットワーク側デバイスは、複数のデータパケットをデータパケットの2つのグループ、すなわち、第2のデータと第3のデータとに分割し、第2のデータおよび第3のデータは両方とも、デュアルカードUEの第1のカードのIPアドレスを運び、デュアルカードUEの第1のカードのIPアドレスは、アンカーゲートウェイによってデュアルカードUEの第1のカードに割り当てられる。
【０２８２】
アンカーゲートウェイは、デュアルカードUEに送信されるべき第1のデータをデータパケットの2つのグループ、すなわち第2のデータと第3のデータとに分割し、トンネリング技術に従ってデュアルカードUEの第2のカードのIPアドレスを第3のデータに追加し、これにより、デュアルカードUEの第1のカードのIPアドレスと一緒に、IP in IPカプセル化データパケットを形成する。アンカーゲートウェイによって第1のデータを分割するための基準は、第1のベアラの負荷、第1のベアラのデータ伝送効率、第2のベアラの負荷、および第2のベアラのデータ伝送効率のうちの少なくとも1つであるものとしてよく、前述のトンネリング技術は、IP in IPカプセル化、GRE(Generic Routing Encapsulation、汎用ルーティングカプセル化)、IPSec(Internet Protocol Security、インターネットプロトコルセキュリティ)、または同様のものを含み得る。
【０２８３】
例えば、第1のデータは、をデュアルカードUEの第1のカードに送信される必要のあるデータであり、また、第1のデータの送信元IPアドレスは、D1(任意のアドレス)であり、第1のデータの送信先IPアドレスは、デュアルカードUEの第1のカードのIPアドレスであり、次いで、第2のデータのIPデータパケットの送信元IPアドレスは、D1であり、送信先IPアドレスは、デュアルカードUEの第1のカードのIPアドレスであり、それに対応して、アンカーゲートウェイがトンネリング技術に従って第3のデータをパケット化した後に形成されるIP in IPカプセル化データパケットについては、IP in IPカプセル化データパケットの外部送信元IPアドレスは、D1またはアンカーゲートウェイのアドレスであり、外部送信先IPアドレスは、デュアルカードUEの第2のカードのIPアドレスであり、IP in IPカプセル化データパケットの内部送信元IPアドレスは、D1であり、内部送信先IPアドレスは、デュアルカードUEの第1のカードのIPアドレスであると想定される。このようにして、アンカーゲートウェイは、第2のベアラを使用することによって第3のデータをデュアルカードUEの第2のカードに送信することができ、これにより、デュアルカードUEの第2のカードが、第3のデータがIP in IPカプセル化データパケットであることを学習したときに、デュアルカードUEの第2のカードは、第3のデータをデュアルカードUEの第1のカードに送信し、さらに、第2のデータと第3のデータとを第1のデータに組み合わせた後、デュアルカードUEは、第1のデータに対して対応する処理を実行する。
【０２８４】
送信されるべき第1のデータが、アンカーゲートウェイによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０２８５】
好ましくは、この比が、0:10または10:0であるときに、アンカーゲートウェイは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０２８６】
好ましくは、第1のデータを分割するための前述の基準は、ネットワーク輻輳状況、デュアルカードUEの第1のカードのタリフまたはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０２８７】
好ましくは、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０２８８】
本発明のこの実施形態で提供される通信方法において、デュアルカードUEは、説明の一例としてのみ使用されていることに留意されたい。本発明のこの実施形態において提供される通信方法は、トリプルカードUE、クワッドカードUE、およびマルチカードUEにさらに適用されるものとしてよく、これは本発明において制限されない。
【０２８９】
本発明のこの実施形態で提供される通信方法が、マルチカードUEに適用される場合、それに対応して、第1のネットワーク側デバイスは、送信されるべき第1のデータをデータパケットの複数のグループに分割する必要があり、マルチカードUEの複数のカードを使用することによってデータパケットの複数のグループをマルチカードUEに同時に配信することは理解され得る。
【０２９０】
S1307。アンカーゲートウェイは、第1のベアラを使用することにより第2のデータをデュアルカードUEに送信し、第2のベアラを使用することにより第3のデータをデュアルカードUEに送信する。
【０２９１】
アンカーゲートウェイは、第1のベアラを使用することによって第2のデータをアンカーゲートウェイからデュアルカードUEに送信し、第2のベアラを使用することによって、第3のデータをアンカーゲートウェイからデュアルカードUEの第2のカードが属しているアンカーゲートウェイに送信し、次いで、デュアルカードUEの第2のカードが属しているアンカーゲートウェイは、第2のベアラを使用することによって第3のデータをデュアルカードUEに送信する。
【０２９２】
S1308。デュアルカードUEは、第2のデータと第3のデータとを第1のデータに組み合わせる。
【０２９３】
デュアルカードUEが、アンカーゲートウェイによって送信された第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０２９４】
S1309。デュアルカードUEは、デタッチ要求をアンカーゲートウェイに送信し、デタッチ要求は、デュアルカードUEの第2のカードがデタッチされることを必要としたときにデュアルカードUEによって送信される。
【０２９５】
デュアルカードUEの第2のカードがデタッチされる必要があるときに、デュアルカードUEは、デタッチ要求をデュアルカードUEの第2のカードが属すアンカーゲートウェイに送信し、これにより、デュアルカードUEの第2のカードが属すアンカーゲートウェイは、デタッチ要求をアンカーゲートウェイに送信する。
【０２９６】
S1310。アンカーゲートウェイは、デタッチ要求に従って関連付け情報、または関連付け情報と第2のベアラとを削除する。
【０２９７】
アンカーゲートウェイがデタッチ要求を受信した後に、デタッチ要求に従って、アンカーゲートウェイは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０２９８】
デュアルカードUEの第2のカードがデタッチされる必要があるときに、アンカーゲートウェイは、S1309およびS1310を実行する必要があり、確かに、デュアルカードUEの第2のカードがデタッチされる必要がない場合、アンカーゲートウェイは、S1309およびS1310を実行する必要はないことに留意されたい。
【０２９９】
当業者であれば、デュアルカードUEの第1のカードおよびデュアルカードUEの第2のカードは両方とも、複数のPDN(Public Data Network、公衆データ網)接続を同時に確立し、複数のIPアドレスを取得することができることを理解し得る。本発明のこの実施形態において提供されるデュアルカードUEに対する通信方法(ネットワーク側デバイスがアンカーゲートウェイである場合に対応するデュアルカードUEに対する通信方法)において、デュアルカードUEの第1のカードのIPアドレスに対応するサービスのQoS(Quality of Service、サービスの質)およびデュアルカードUEの第2のカードのIPアドレスに対応するサービスのQoSは一貫していることが要求される。デュアルカードUEの第1のカードがあるサービスに対応し、デュアルカードUEの他のカードが、サービスに対応するQoSのPDN接続を有しない場合に、デュアルカードUEの第2のカードが、QoSがデュアルカードUEの第1のカードのサービスのQoSと同じであるPDN接続を確立することがトリガーされるものとしてよく、デュアルカードUEの第2のカードは、デュアルカードUEの第2のカードの対応するIPアドレスを、デュアルカードUEの第1のカードまたはデュアルカードUEの第1のカードが登録されているコアネットワークエンティティに通知する。例えば、デュアルカードUEの第1のカードは、新しいベアラ/PDN接続を開始し、デュアルカードUEの第1のカードは、デュアルカードUEの第2のカードに通知し、デュアルカードUEの第2のカードは、QoSに対応するベアラ/PDN接続がないことを発見し、次いで、デュアルカードUEの第2のカードが、対応するベアラ/PDN接続を確立する手順を開始する。ネットワーク側デバイスによってデュアルカードUEの第2のカードに割り当てられた新しいIPアドレスがある場合、デュアルカードUEの第2のカードは、デュアルカードUEの第1のカードにも直接通知することができ、これにより、デュアルカードUEの第1のカードは、PCO(Protocol Configuration Options、プロトコルコンフィギュレーションオプション)を使用することによって、デュアルカードUEの第1のカードが登録されているコアネットワークエンティティに通知する。
【０３００】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことは理解され得る。
【０３０１】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０３０２】
本発明の一実施形態は、デュアルカードUEのための通信方法をさらに提供し、この方法は、図14に示されているように、ネットワーク側デバイスがダウンリンクデータをデュアルカードデュアルスタンバイデュアルパスUEに送信するシナリオに適用され得る。この方法に関わる第1のネットワーク側デバイスは、コアネットワークエンティティを備え得る(コアネットワークエンティティは、SGWまたはSGSNを備え得る)。この方法は、以下のステップを含み得る。
【０３０３】
S1401。デュアルカードUEは、アクセス要求をコアネットワークエンティティに送信し、コアネットワークエンティティは、デュアルカードUEの第1のカードに対するサービスを提供する。
【０３０４】
例示的に、デュアルカードUEは、2枚のカードが挿入される通信端末である。デュアルカードUEが、ネットワークにアクセスする必要があるときに、デュアルカードUEは、最初に、アクセス要求をコアネットワークエンティティに送信し、コアネットワークエンティティは、デュアルカードUEの第1のカードが登録されているコアネットワークエンティティであり、デュアルカードUEの第1のカードに対するサービスを提供する。
【０３０５】
S1402。コアネットワークエンティティがアクセス要求に従って第1のベアラを確立し、第1のベアラは、コアネットワークエンティティとデュアルカードUEの第1のカードとの間のデータ通信路であり、
【０３０６】
コアネットワークエンティティが、デュアルカードUEからアクセス要求を受信した後、コアネットワークエンティティは、アクセス要求に従ってデュアルカードUEに対する第1のベアラを確立し、第1のベアラは、コアネットワークエンティティとデュアルカードUEの第1のカードとの間のデータ通信路である。
【０３０７】
S1403。コアネットワークエンティティは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０３０８】
コアネットワークエンティティが、デュアルカードUEの第1のカードとデュアルカードUEの第2のカードとの間の関連付け情報を取得した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０３０９】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが登録されているコアネットワークエンティティによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０３１０】
本発明のこの実施形態において提供されるデュアルカードUEのための通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０３１１】
特に、コアネットワークエンティティによって関連付け情報を取得するための特定の方法は、次のいずれかであるものとしてよい。
(1)コアネットワークエンティティは、HSSから、デュアルカードUEの第1のカードの加入情報を受信し、デュアルカードUEの第1のカードの加入情報内の関連付け情報を取得する。
(2)コアネットワークエンティティは、デュアルカードUEの第1のカードからアクセス要求を受信し、アクセス要求に従って関連付け情報を取得し、アクセス要求は関連付け情報を運ぶ。
【０３１２】
S1404。コアネットワークエンティティは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立し、第2のベアラは、コアネットワークエンティティとデュアルカードUEの第2のカードとの間のデータ通信路である。
【０３１３】
関連付け情報が、デュアルカードUEの第2のカードの識別子を含む場合、コアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティを使用することによってデュアルカードUEに対する第2のベアラを確立し、第2のベアラは、コアネットワークエンティティとデュアルカードUEの第2のカードとの間のデータ通信路である。
【０３１４】
関連付け情報が、デュアルカードUEの第2のカードの識別子と、デュアルカードUEの第2のカードが登録されているコアネットワークエンティティのアドレスとを含む場合、コアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードの識別子に従って、デュアルカードUEの第2のカードが登録されているコアネットワークエンティティを使用することによってデュアルカードUEに対する第2のベアラを確立し、第2のベアラは、コアネットワークエンティティとデュアルカードUEの第2のカードとの間のデータ通信路である。
【０３１５】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０３１６】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、デュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０３１７】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０３１８】
S1405。コアネットワークエンティティは、送信されるべき第1のデータを第2のデータと第3のデータとに分割する。
【０３１９】
コアネットワークエンティティは、前述の分割基準に従って、デュアルカードUEに送信されるべき第1のデータをデータパケットの2つのグループ、すなわち第2のデータと第3のデータとに分割する。
【０３２０】
送信されるべき第1のデータが、コアネットワークエンティティによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０３２１】
好ましくは、この比が、0:10または10:0であるときに、コアネットワークエンティティは、第1のデータを分割していないが、好ましいベアラ(第1のベアラまたは第2のベアラ)を使用することによって第1のデータをデュアルカードUEに配信するのみであることが指示される。この比が、0:10または10:0であるときに、本発明のこの実施形態において提供されるデュアルカードUEのための通信方法は、デュアルカードシングルパスUEにも適用され得る。
【０３２２】
S1406。コアネットワークエンティティは、第1のベアラを使用することにより第2のデータをデュアルカードUEに送信し、第2のベアラを使用することにより第3のデータをデュアルカードUEに送信する。
【０３２３】
コアネットワークエンティティは、第1のベアラを使用することによって第2のデータをコアネットワークエンティティからデュアルカードUEに送信し、第2のベアラを使用することによって、第3のデータを、デュアルカードUEの第2のカードが登録されているコアネットワークエンティティに送信し、次いで、デュアルカードUEの第2のカードが登録されているコアネットワークエンティティが、第2のベアラを使用することによって第3のデータをデュアルカードUEに送信する。
【０３２４】
第1のネットワーク側デバイスが、コアネットワークエンティティであるときに、コアネットワークエンティティとアンカーゲートウェイとの間のベアラは、デュアルカードUEの第1のカードとデュアルカードUEの第2のカードとによって共有されるベアラである。
【０３２５】
S1407。デュアルカードUEは、第2のデータと第3のデータとを第1のデータに組み合わせる。
【０３２６】
デュアルカードUEが、コアネットワークエンティティによって送信された第2のデータと第3のデータとを受信した後、デュアルカードUEは、第2のデータと第3のデータとを第1のデータに組み合わせ、第1のデータに対する対応する処理を実行し、それにより、第1のデータの送信を完了する。
【０３２７】
S1408。デュアルカードUEは、デタッチ要求をコアネットワークエンティティに送信し、デタッチ要求は、デュアルカードUEの第2のカードがデタッチされることを必要としたときにデュアルカードUEによって送信される。
【０３２８】
デュアルカードUEの第2のカードがデタッチされる必要があるときに、デュアルカードUEは、デタッチ要求をデュアルカードUEの第2のカードが登録されているコアネットワークエンティティに送信し、これにより、デュアルカードUEの第2のカードが登録されているコアネットワークエンティティは、デタッチ要求をコアネットワークエンティティに送信する。
【０３２９】
S1409。コアネットワークエンティティは、デタッチ要求に従って関連付け情報、または関連付け情報と第2のベアラとを削除する。
【０３３０】
コアネットワークエンティティがデタッチ要求を受信した後に、デタッチ要求に従って、コアネットワークエンティティは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０３３１】
デュアルカードUEの第2のカードがデタッチされる必要があるときに、コアネットワークエンティティは、S1408およびS1409を実行する必要があり、確かに、デュアルカードUEの第2のカードがデタッチされる必要がない場合、コアネットワークエンティティは、S1408およびS1409を実行する必要はない。
【０３３２】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことは理解され得る。
【０３３３】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０３３４】
特に、コアネットワークエンティティによって第1のデータを分割するための前述の方法において、デュアルカードUEの第1のカードが、ISR方式と同様に、デュアルカードUEの第2のカードに関連付けられた後、一旦、デュアルカードUEの一つのカードがそのベアラを更新すると、デュアルカードUEの他のカードも、更新情報を取得し、同じベアラ更新手順を実行し、これにより、デュアルカードUEの2枚のカードのベアラは同期される、すなわち、第1のベアラおよび外部のベアラが同期される。ISR方式は、UEの2つのRATのベアラが同期されるというものであり、本発明のこの実施形態において提供されるコアネットワークエンティティによって第1のデータを分割するための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０３３５】
好ましくは、コアネットワークエンティティによって第1のデータを分割するための前述の方法において、第1のベアラおよび第2のベアラは、さらに、同期されなくてもよく、また配信されるべきデータがあるときに同期され得る。第1のベアラおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０３３６】
本発明のこの実施形態において用意されるデュアルカードUEのための通信方法において、第1のネットワーク側デバイスは、デュアルカードUEからアクセス要求を受信し、アクセス要求に従って第1のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第2のベアラは第1のネットワーク側デバイスとデュアルカードUEの第2のカードとの間のデータ通信路であり、第1のネットワーク側デバイスは、送信されるべき第1のデータを第2のデータと第3のデータとに分割し、第1のベアラを使用することによって第2のデータをデュアルカードUEに送信し、第2のベアラを使用することによって第3のデータをデュアルカードUEに送信し、それにより、デュアルカードUEが第2のデータと第3のデータとを第1のデータに組み合わせる。この解決方法によれば、デュアルカードUEの2枚のカードが互いに関連付けられているという条件において、ネットワーク側デバイスは、送信されるべきデータ、すなわち、デュアルカードUEに送信される必要のあるデータ、を分割した後に、デュアルカードUEの2枚のカードのベアラを別々に使用することによって同時に、分割されたデータを配信することができ、したがって、デュアルカードUEの通信手順が最適化され、これにより、サービスの伝送レートを改善し、通信効率を高め、ユーザエクスペリエンスを改善することができる。
【０３３７】
本発明の一実施形態は、デュアルカードUEのための別の通信方法を提供し、この方法は、図15に示されているように、デュアルカードデュアルスタンバイデュアルパスUEがアップリンクデータをネットワーク側デバイスに送信するシナリオに適用され得る。この方法に関わる第1のネットワーク側デバイスは、アンカーゲートウェイを備えるものとしてよい(アンカーゲートウェイは、PGWまたはGGSNを備え得る)。この方法は、以下のステップを含み得る。
【０３３８】
S1501。デュアルカードUEは、アクセス要求をアンカーゲートウェイに送信し、アンカーゲートウェイは、デュアルカードUEの第1のカードに対するサービスを提供する。
【０３３９】
例示的に、デュアルカードUEは、2枚のカードが挿入される通信端末である。デュアルカードUEが、ネットワークにアクセスする必要があるときに、デュアルカードUEは、最初に、アクセス要求をデュアルカードUEの第1のカードが登録されているコアネットワークエンティティに送信し、これにより、デュアルカードUEの第1のカードが登録されているコアネットワークエンティティは、アクセス要求をアンカーゲートウェイに送信し、アンカーゲートウェイは、デュアルカードUEの第1のカードが属すアンカーゲートウェイであり、デュアルカードUEの第1のカードに対してサービスを提供する。
【０３４０】
S1502。アンカーゲートウェイは、アクセス要求に従って第1のベアラを確立し、第1のベアラは、アンカーゲートウェイとデュアルカードUEの第1のカードとの間のデータ通信路である。
【０３４１】
アンカーゲートウェイが、デュアルカードUEからアクセス要求を受信した後、アンカーゲートウェイは、アクセス要求に従ってデュアルカードUEに対する第1のベアラを確立し、第1のベアラは、アンカーゲートウェイとデュアルカードUEの第1のカードとの間のデータ通信路である。
【０３４２】
S1503。アンカーゲートウェイは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０３４３】
デュアルカードUEの第1のカードとデュアルカードUEの第2のカードとの間の関連付け情報を取得した後、デュアルカードUEの第1のカードが登録されているコアネットワークエンティティは、関連付け情報をアンカーゲートウェイに送信する、すなわち、アンカーゲートウェイが関連付け情報取得した後に、アンカーゲートウェイは、関連付け情報に従ってデュアルカードUEに対する第2のベアラを確立し、第2のベアラは、アンカーゲートウェイとデュアルカードUEの第2のカードとの間のデータ通信路である。
【０３４４】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが属すアンカーゲートウェイによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが属すネットワーク側デバイスによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０３４５】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０３４６】
特に、デュアルカードUEの第1のカードが登録されているコアネットワークエンティティによって関連付け情報を取得するための特定の方法は、以下のいずれかであってよい。
(1)デュアルカードUEの第1のカードが登録されているコアネットワークエンティティは、HSSから、デュアルカードUEの第1のカードの加入情報を受信し、デュアルカードUEの第1のカードの加入情報内の関連付け情報を取得する。
(2)デュアルカードUEの第1のカードが登録されているコアネットワークエンティティは、デュアルカードUEの第1のカードからアクセス要求を受信し、アクセス要求に従って関連付け情報を取得し、アクセス要求は関連付け情報を運ぶ。
【０３４７】
S1504。アンカーゲートウェイは、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得する。
【０３４８】
関連付け情報が、デュアルカードUEの第2のカードの識別子を含む場合、デュアルカードUEの第1のカードが登録されているコアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子に従ってデュアルカードUEの第2のカードのIPアドレスを取得する。
【０３４９】
関連付け情報が、デュアルカードUEの第2のカードの識別子と、デュアルカードUEの第2のカードが登録されているコアネットワークエンティティのアドレスとを含む場合、デュアルカードUEの第1のカードが登録されているコアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードが登録されているコアネットワークエンティティから、デュアルカードUEの第2のカードの識別子に従ってデュアルカードUEの第2のカードのIPアドレスを取得し、デュアルカードUEの第2のカードのIPアドレスをアンカーゲートウェイに送信する、すなわち、アンカーゲートウェイは、デュアルカードUEの第2のカードの識別子と、デュアルカードUEの第2のカードが登録されているコアネットワークエンティティのアドレスとに従ってデュアルカードUEの第2のカードのIPアドレスを取得する。
【０３５０】
S1505。アンカーゲートウェイは、デュアルカードUEの第2のカードのIPアドレスに従って第2のベアラを確立し、第2のベアラは、アンカーゲートウェイとデュアルカードUEの第2のカードとの間のデータ通信路である。
【０３５１】
アンカーゲートウェイは、デュアルカードUEの第2のカードのIPアドレスに従ってデュアルカードUEの第2のカードに対する第2のベアラを確立し、第2のベアラは、アンカーゲートウェイとデュアルカードUEの第2のカードとの間のデータ通信路である。
【０３５２】
アンカーゲートウェイによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０３５３】
当業者であれば、IPアドレスが異なるアンカーゲートウェイの間のルーティングを実行するのに必要である、すなわち、デュアルカードUEの第1のカードが属すアンカーゲートウェイが、データをデュアルカードUEの第2のカードが属すアンカーゲートウェイに送信する必要がある場合、デュアルカードUEの第1のカードが属すアンカーゲートウェイは、デュアルカードUEの第2のカードが属すアンカーゲートウェイのIPアドレスを使用してデータを送信する必要があることを理解することができる。
【０３５４】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、アクセス要求をデュアルカードUEの第2のカードが属しているアンカーゲートウェイに送信し、これにより、デュアルカードUEの第2のカードが属しているアンカーゲートウェイは、デュアルカードUEの第2のカードに対してデュアルカードUEの第2のカードのベアラを確立し、デュアルカードUEの第2のカードのベアラは、デュアルカードUEの第2のカードが属しているアンカーゲートウェイから、デュアルカードUEの第2のカードが登録されているコアネットワークエンティティを介して、デュアルカードUEの第2のカードまでのベアラであるものとしてよい。
【０３５５】
アンカーゲートウェイが第2のベアラを確立する前に、デュアルカードUEの第2のカードが属しているアンカーゲートウェイが、デュアルカードUEの第2のカードに対してデュアルカードUEの第2のカードのベアラをすでに確立している場合、アンカーゲートウェイは、第2のベアラの一部のみ、すなわち、アンカーゲートウェイからデュアルカードUEの第2のカードが属しているアンカーゲートウェイまでのベアラを確立する必要があり、デュアルカードUEの第2のカードが属しているアンカーゲートウェイが、デュアルカードUEの第2のカードに対してデュアルカードUEの第2のカードのベアラを確立していない場合に、アンカーゲートウェイは、完全な第2のベアラ、すなわち、アンカーゲートウェイからデュアルカードUEの第2のカードまでのベアラ全体を確立する必要があることに留意されたい。
【０３５６】
好ましくは、デュアルカードUEの第1のカードが登録されている前述のコアネットワークエンティティは、MMEまたはSGSNを含み、かつ/または、デュアルカードUEの第2のカードが登録されているコアネットワークエンティティは、MMEまたはSGSNを含み得る。
【０３５７】
S1506。デュアルカードUEは、送信されるべき第1のデータを第2のデータと第3のデータとに分割し、トンネリング技術に従ってデュアルカードUEの第2のカードのIPアドレスを第3のデータに追加する。
【０３５８】
当業者であれば、通信分野では、送信元が第1のデータを送信先に送信する必要がある場合、送信元は、第1のデータを複数のデータパケット(各データパケットのパケットヘッダは、送信元のIPアドレスと送信先のIPアドレスとを運ぶ)にパケット化し、複数のデータパケットを送信先に順次送信する必要があることを理解することができる。すなわち、第1のデータは、複数のデータパケットを含むデータストリームであり、デュアルカードUEが、第1のデータを送信先に送信する場合、デュアルカードUEは、複数のデータパケットをデータパケットの2つのグループ、すなわち第2のデータと第3のデータとに分割し、第2のデータおよび第3のデータは両方とも、デュアルカードUEの第1のカードのIPアドレスを運び、デュアルカードUEの第1のカードのIPアドレスは、アンカーゲートウェイによってデュアルカードUEの第1のカードに割り当てられる。
【０３５９】
デュアルカードUEは、アンカーゲートウェイに送信されるべき第1のデータをデータパケットの2つのグループ、すなわち第2のデータと第3のデータとに分割し、トンネリング技術に従ってデュアルカードUEの第2のカードのIPアドレスを第3のデータに追加し、これにより、デュアルカードUEの第1のカードのIPアドレスと一緒に、IP in IPカプセル化データパケットを形成し、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、プリセットされたポリシーは、デュアルカードUEの内部ソフトウェアプログラムを使用することによって一体化されるものとしてよく、これにより、デュアルカードUEは、デュアルカードUEの第2のカードからデュアルカードUEの第2のカードのIPアドレスを取得することができる。デュアルカードUEにより第1のデータを分割するための基準は、第1のベアラの負荷、第1のベアラのデータ伝送効率、第2のベアラの負荷、および第2のベアラのデータ伝送効率のうちの少なくとも1つであるものとしてよく、前述のトンネリング技術は、IP in IPカプセル化、GRE、IPSec、または同様のものを含み得る。
【０３６０】
例えば、第1のデータは、アンカーゲートウェイに送信される必要のあるデータであり、第1のデータの送信元IPアドレスは、デュアルカードUEの第1のカードのIPアドレスであり、第1のデータの送信先IPアドレスはD1(任意のアドレス)であり、次いで、第2のデータのIPデータパケットの送信元IPアドレスは、デュアルカードUEの第1のカードのIPアドレスであり、送信先IPアドレスは、D1であると想定され、それに対応して、トンネリング技術に従ってデュアルカードUEが第3のデータをパケット化した後に形成されるIP in IPカプセル化データパケットの外部送信元IPアドレスは、デュアルカードUEの第2のカードのIPアドレスであり、外部送信先IPアドレスは、D1またはアンカーゲートウェイのアドレスであり、IP in IPカプセル化データパケットの内部送信元IPアドレスは、デュアルカードUEの第1のカードのIPアドレスであり、内部送信先IPアドレスは、D1である。このようにして、デュアルカードUEは、第2のベアラを使用することによって、第3のデータを、デュアルカードUEの第2のカードが属しているアンカーゲートウェイに送信することができ、これにより、デュアルカードUEの第2のカードが属しているアンカーゲートウェイは、第2のベアラを使用することによって第3のデータをアンカーゲートウェイに、すなわち、デュアルカードUEの第1のカードが属しているアンカーゲートウェイに送信し、これにより、アンカーゲートウェイは、第2のデータと第3のデータとを第1のデータに組み合わせる。
【０３６１】
特に、IP in IPカプセル化データパケットの外部送信先IPアドレスがD1である場合、第3のデータは、D1に送信されるものとしてよく、次いで、送信先デバイスは、IP in IPカプセル化データパケットを解析することによって内部送信元IPアドレスと内部送信先IPアドレスとを取得するが、この方法では、送信先デバイスは、IP in IPカプセル化トンネリング技術をサポートしている必要がある。IP in IPカプセル化データパケットの外部送信先IPアドレスが、アンカーゲートウェイのアドレスである場合、デュアルカードUEは、最初に、デュアルカードUEの第2のカードのシステムを使用することによって、第3のデータを、デュアルカードUEの第2のカードが属しているアンカーゲートウェイに送信し、次いで、デュアルカードUEの第2のカードが属しているアンカーゲートウェイは、IP in IPカプセル化データパケットの外部送信先IPアドレスに従って第3のデータをアンカーゲートウェイに送信し、これにより、アンカーゲートウェイは、IP in IPカプセル化データパケットを解析し、第2のデータと第3のデータとを第1のデータに組み合わせた後に、IP in IPカプセル化データパケットの内部送信元IPアドレスおよび内部送信先IPアドレスに従って第1のデータをD1に送信する。
【０３６２】
送信されるべき第1のデータが、デュアルカードUEによってデータパケットの2つのグループ、すなわち、第2のデータと第3のデータとに分割される比は、1:9、5:5、0:10であるか、または前述の分割基準を満たす他の比であってよいことに留意すべきであるが、これは本発明において制限されない。
【０３６３】
好ましくは、この比が、0:10または10:0であるときに、デュアルカードUEは、第1のデータを分割していないが、好ましいベアラ(第1のベアラまたは第2のベアラ)を使用することによって第1のデータをアンカーゲートウェイに送信するのみであることが指示される。この比が、0:10または10:0であるときに、本発明のこの実施形態において提供されるデュアルカードUEのための通信方法は、デュアルカードシングルパスUEにも適用され得る。
【０３６４】
好ましくは、第1のデータを分割するための前述の基準は、ネットワーク輻輳状況、デュアルカードUEの第1のカードのタリフまたはデュアルカードUEの第2のカードのタリフ、第1のネットワーク側デバイスへのアクセスを開始するか、または応答するためにデュアルカードUEによって独立して選択されたランダムにページングするカード、第1のデータの伝送レート、または第1のデータの負荷をさらに含むものとしてよく、これは本発明において制限されない。
【０３６５】
好ましくは、第1のネットワーク側デバイスへのアクセスを開始するか、または応答するためにデュアルカードUEによってランダムにページングするカードを独立して選択するための基準は、特定のカードがネットワークにアクセスするために優先的に使用されることがデュアルカードUE内のソフトウェアを使用することによって設定されること、またはデュアルカードUEの第1のカードのトラフィック、デュアルカードUEの第2のカードのトラフィック、または送信されるべき第1のデータのトラフィックが、プリセットされた範囲内にある場合に、デュアルカードUEが内部設定に従ってネットワークにアクセスするために特定のカードを使用することを含み得る。
【０３６６】
本発明のこの実施形態で提供される別の通信方法において、デュアルカードUEは、説明の一例としてのみ使用されていることに留意されたい。本発明のこの実施形態において提供される別の通信方法は、トリプルカードUE、クワッドカードUE、およびマルチカードUEにさらに適用されるものとしてよく、これは本発明において制限されない。
【０３６７】
本発明のこの実施形態で提供される別の通信方法が、マルチカードUEに適用される場合、それに対応して、マルチカードUEは、送信されるべき第1のデータをデータパケットの複数のグループに分割する必要があり、マルチカードUEの複数のカードを使用することによってデータパケットの複数のグループを第1のネットワーク側デバイスに同時に送信することは理解され得る。
【０３６８】
S1507。デュアルカードUEは、第1のベアラを使用することにより第2のデータをアンカーゲートウェイに送信し、第2のベアラを使用することによって第3のデータをアンカーゲートウェイに送信する。
【０３６９】
デュアルカードUEは、第1のベアラを使用することにより第2のデータをデュアルカードUEからアンカーゲートウェイに送信し、第2のベアラを使用することによって、第3のデータを、デュアルカードUEからデュアルカードUEの第2のカードが属しているアンカーゲートウェイに送信し、次いで、デュアルカードUEの第2のカードが属しているアンカーゲートウェイは、第2のベアラを使用することによって第3のデータをアンカーゲートウェイに送信する。
【０３７０】
S1508。アンカーゲートウェイは、第2のデータと第3のデータとを第1のデータに組み合わせる。
【０３７１】
アンカーゲートウェイが、デュアルカードUEによって送信された第2のデータと第3のデータとを受信した後、アンカーゲートウェイは、第2のデータと第3のデータとを第1のデータに組み合わせ、第1のデータを転送し、それにより第1のデータの送信を完了する。
【０３７２】
S1509。アンカーゲートウェイは、デュアルカードUEからデタッチ要求を受信し、デタッチ要求は、デュアルカードUEの第2のカードがデタッチされることを必要としたときにデュアルカードUEによって送信される。
【０３７３】
デュアルカードUEの第2のカードがデタッチされる必要があるときに、デュアルカードUEは、デタッチ要求をデュアルカードUEの第2のカードが属すアンカーゲートウェイに送信し、これにより、デュアルカードUEの第2のカードが属すアンカーゲートウェイは、デタッチ要求をアンカーゲートウェイに送信する。
【０３７４】
S1510。アンカーゲートウェイは、デタッチ要求に従って関連付け情報、または関連付け情報と第2のベアラとを削除する。
【０３７５】
アンカーゲートウェイがデタッチ要求を受信した後に、デタッチ要求に従って、アンカーゲートウェイは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０３７６】
デュアルカードUEの第2のカードがデタッチされる必要があるときに、アンカーゲートウェイは、S1509およびS1510を実行する必要があり、確かに、デュアルカードUEの第2のカードがデタッチされない場合、アンカーゲートウェイは、S1509およびS1510を実行する必要はない。
【０３７７】
デュアルカードUEの第1のカードおよびデュアルカードUEの第2のカードが異なるPLMNに属している場合に、アンカーゲートウェイによって確立された第1のベアラは、アンカーゲートウェイから、デュアルカードUEの第1のカードが登録されているコアネットワークエンティティを介して、デュアルカードUEの第1のカードまでのベアラであるものとしてよく、それに対応して、アンカーゲートウェイによって確立された第2のベアラは、アンカーゲートウェイから、デュアルカードUEの第2のカードが属しているアンカーゲートウェイとデュアルカードUEの第2のカードが登録されているコアネットワークエンティティとを介して、デュアルカードUEの第2のカードまでのベアラであるものとしてよいことは理解され得る。
【０３７８】
好ましくは、デュアルカードUEの第1のカードおよびデュアルカードUEの第2のカードが同じPLMNに属している場合に、デュアルカードUEの第1のカードが属しているアンカーゲートウェイおよびデュアルカードUEの第2のカードが属しているアンカーゲートウェイは、同じアンカーゲートウェイであってよく、またデュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０３７９】
本発明の一実施形態は、デュアルカードUEのための別の通信方法をさらに提供し、この方法は、図16に示されているように、デュアルカードデュアルスタンバイデュアルパスUEがアップリンクデータをネットワーク側デバイスに送信するシナリオに適用され得る。この方法に関わる第1のネットワーク側デバイスは、コアネットワークエンティティを備え得る(コアネットワークエンティティは、SGWまたはSGSNを備え得る)。この方法は、以下のステップを含み得る。
【０３８０】
S1601。デュアルカードUEは、アクセス要求をコアネットワークエンティティに送信し、コアネットワークエンティティは、デュアルカードUEの第1のカードに対するサービスを提供する。
【０３８１】
例示的に、デュアルカードUEは、2枚のカードが挿入される通信端末である。デュアルカードUEが、ネットワークにアクセスする必要があるときに、デュアルカードUEは、最初に、アクセス要求をコアネットワークエンティティに送信し、コアネットワークエンティティは、デュアルカードUEの第1のカードが登録されているコアネットワークエンティティであり、デュアルカードUEの第1のカードに対するサービスを提供する。
【０３８２】
S1602。コアネットワークエンティティがアクセス要求に従って第1のベアラを確立し、第1のベアラは、コアネットワークエンティティとデュアルカードUEの第1のカードとの間のデータ通信路である。
【０３８３】
コアネットワークエンティティが、デュアルカードUEからアクセス要求を受信した後、コアネットワークエンティティは、アクセス要求に従ってデュアルカードUEに対する第1のベアラを確立し、第1のベアラは、コアネットワークエンティティとデュアルカードUEの第1のカードとの間のデータ通信路である。
【０３８４】
S6403。コアネットワークエンティティは、デュアルカードUEの第1のカードとデュアルカードUEの第2のカードとの間の関連付け情報を取得し、関連付け情報は、デュアルカードUEの第2のカードの識別子、またはデュアルカードUEの第2のカードの識別子と、デュアルカードUEの第2のカードが登録されているコアネットワークエンティティのアドレスとを含む。
【０３８５】
コアネットワークエンティティが、デュアルカードUEからアクセス要求を受信した後、コアネットワークエンティティは、取得された関連付け情報に従ってデュアルカードUEに対する第2のベアラを確立し、第2のベアラは、コアネットワークエンティティとデュアルカードUEの第2のカードとの間のデータ通信路である。
【０３８６】
コアネットワークエンティティによる第2のベアラの確立は、デュアルカードUEの第1のカードからのアクセス要求を使用することによってトリガーされ得るか、またはデュアルカードUEの第2のカードからのアクセス要求を使用することによってトリガーされ得ることは理解され得るが、これは本発明において制限されない。
【０３８７】
本発明のこの実施形態では、関連付け情報は、例えば、デュアルカードUEの第1のカードについては、デュアルカードUEの第2のカードに関する、デュアルカードUEの第1のカードによって記録されている、情報であるものとしてよく、デュアルカードUEの第1のカードが登録されているコアネットワークエンティティによって取得された関連付け情報は、デュアルカードUEの第2のカードに関する情報であり、デュアルカードUEの第2のカードに関する情報は、デュアルカードUEの第2のカードの識別子、またはデュアルカードUEの第2のカードの識別子と、デュアルカードUEの第2のカードが登録されているコアネットワークエンティティのアドレスとを含むものとしてよく、それに対応して、デュアルカードUEの第2のカードについては、デュアルカードUEの第2のカードが登録されているコアネットワークエンティティによって取得された関連付け情報は、デュアルカードUEの第1のカードに関する情報であり、デュアルカードUEの第1のカードに関する情報は、デュアルカードUEの第1のカードの識別子、またはデュアルカードUEの第1のカードの識別子と、デュアルカードUEの第1のカードが登録されているコアネットワークエンティティのアドレスとを含むものとしてよい。
【０３８８】
本発明のこの実施形態において提供されるデュアルカードUEのための別の通信方法は、デュアルカードUEの第1のカードの観点から例示的に説明されており、デュアルカードUEの第1のカードのための通信方法に類似している、デュアルカードUEの第2のカードのための通信方法については、詳細はここで再び説明されていないことに留意されたい。
【０３８９】
特に、コアネットワークエンティティによって関連付け情報を取得するための特定の方法は、次のいずれかであるものとしてよい。
(1)コアネットワークエンティティは、HSSから、デュアルカードUEの第1のカードの加入情報を受信し、デュアルカードUEの第1のカードの加入情報内の関連付け情報を取得する。
(2)コアネットワークエンティティは、デュアルカードUEの第1のカードからアクセス要求を受信し、アクセス要求に従って関連付け情報を取得し、アクセス要求は関連付け情報を運ぶ。
【０３９０】
S1604。コアネットワークエンティティは、デュアルカードUEの第2のカードの識別子、またはデュアルカードUEの第2のカードの識別子と、デュアルカードUEの第2のカードが登録されているコアネットワークエンティティのアドレスとに従って第2のベアラを確立し、第2のベアラは、コアネットワークエンティティとデュアルカードUEの第2のカードとの間のデータ通信路である。
【０３９１】
関連付け情報が、デュアルカードUEの第2のカードの識別子を含む場合、コアネットワークエンティティは、デュアルカードUEの第2のカードの識別子に従って、デュアルカードUEの第2のカードが登録されているコアネットワークエンティティを見つけ、デュアルカードUEの第2のカードが登録されているコアネットワークエンティティを使用することによってデュアルカードUEに対する第2のベアラを確立し、第2のベアラは、コアネットワークエンティティとデュアルカードUEの第2のカードとの間のデータ通信路である。
【０３９２】
関連付け情報が、デュアルカードUEの第2のカードの識別子と、デュアルカードUEの第2のカードが登録されているコアネットワークエンティティのアドレスとを含む場合、コアネットワークエンティティは、デュアルカードUEの第2のカードが登録されているコアネットワークエンティティのアドレスに従って、デュアルカードUEの第2のカードが登録されているコアネットワークエンティティを見つけ、デュアルカードUEの第2のカードの識別子に従って、デュアルカードUEの第2のカードが登録されているコアネットワークエンティティを使用することによってデュアルカードUEの第2のカードに対する第2のベアラを確立し、第2のベアラは、コアネットワークエンティティとデュアルカードUEの第2のカードとの間のデータ通信路である。
【０３９３】
例示的に、デュアルカードUEは、デュアルカードUEの第2のカードからのアクセス要求をデュアルカードUEの第2のカードが登録されているコアネットワークエンティティに送信することができ、これにより、デュアルカードUEの第2のカードが登録されているコアネットワークエンティティは、デュアルカードUEの第2のカードに対するデュアルカードUEの第2のカードのベアラを確立し、デュアルカードUEの第2のカードのベアラは、デュアルカードUEの第2のカードが登録されている、コアネットワークエンティティから、デュアルカードUEの第2のカードまでのベアラであるものとしてよい。
【０３９４】
コアネットワークエンティティが第2のベアラを確立する前に、デュアルカードUEの第2のカードが登録されているコアネットワークエンティティが、デュアルカードUEの第2のカードに対するデュアルカードUEの第2のカードのベアラをすでに確立している場合、コアネットワークエンティティは、第2のベアラの一部のみ、すなわち、コアネットワークエンティティからデュアルカードUEの第2のカードが登録されているコアネットワークエンティティまでのベアラを確立する必要があり、デュアルカードUEの第2のカードが登録されているコアネットワークエンティティが、デュアルカードUEの第2のカードに対するデュアルカードUEの第2のカードのベアラをすでに確立していない場合、コアネットワークエンティティは、完全な第2のベアラ、すなわち、コアネットワークエンティティからデュアルカードUEの第2のカードまでのベアラ全体を確立する必要があることに留意されたい。
【０３９５】
S1605。デュアルカードUEは、送信されるべき第1のデータを第2のデータと第3のデータとに分割する。
【０３９６】
デュアルカードUEは、前述の分割基準に従って、コアネットワークエンティティに送信されるべき第1のデータをデータパケットの2つのグループ、すなわち第2のデータと第3のデータとに分割する。
【０３９７】
S1606。デュアルカードUEは、第1のベアラを使用することにより第2のデータをコアネットワークエンティティに送信し、第2のベアラを使用することによって、第3のデータをコアネットワークエンティティに送信する。
【０３９８】
デュアルカードUEは、第1のベアラを使用することによって第2のデータをデュアルカードUEからコアネットワークエンティティに送信し、第2のベアラを使用することによって、第3のデータを、デュアルカードUEからデュアルカードUEの第2のカードが登録されているコアネットワークエンティティに送信し、次いで、デュアルカードUEの第2のカードが登録されているコアネットワークエンティティが、第2のベアラを使用することによって第3のデータをコアネットワークエンティティに送信する。
【０３９９】
第1のネットワーク側デバイスが、コアネットワークエンティティであるときに、コアネットワークエンティティとアンカーゲートウェイとの間のベアラは、デュアルカードUEの第1のカードとデュアルカードUEの第2のカードとによって共有されるベアラであることに留意されたい。
【０４００】
S1607。コアネットワークエンティティは、第2のデータと第3のデータとを第1のデータに組み合わせる。
【０４０１】
コアネットワークエンティティが、デュアルカードUEによって送信された第2のデータと第3のデータとを受信した後、コアネットワークエンティティは、第2のデータと第3のデータとを第1のデータに組み合わせ、第1のデータを転送し、それにより第1のデータの送信を完了する。
【０４０２】
特に、デュアルカードUEによって第1のデータを分割し、コアネットワークエンティティによって、分割することで得られた第2のデータと第3のデータとを組み合わせる前述の方法において、デュアルカードUEの第1のカードが、ISR方式と同様に、デュアルカードUEの第2のカードに関連付けられた後、一旦、デュアルカードUEの一つのカードがそのベアラを更新すると、デュアルカードUEの他のカードも、更新情報を取得し、同じベアラ更新手順を実行し、これにより、デュアルカードUEの2枚のカードのベアラは同期される、すなわち、第1のベアラおよび外部のベアラが同期される。ISR方式は、UEの2つのRATのベアラが同期されるというものであり、本発明のこの実施形態において提供されるデュアルカードUEによって第1のデータを分割し、コアネットワークエンティティによって、分割することにより得られた第2のデータおよび第3のデータを組み合わせるための方法では、デュアルカードUEの2枚のカードのベアラが、同期される。第1のベアラおよび第2のベアラが同期されたときに、デュアルカードUEの第1のカードが第1のベアラを更新した場合、デュアルカードUEの第2のカードは第2のベアラを同時に更新する必要がある。
【０４０３】
好ましくは、デュアルカードUEによって第1のデータを分割し、コアネットワークエンティティによって、分割することで得られた第2のデータと第3のデータとを組み合わせる前述の方法において、第1のベアラおよび第2のベアラは、さらに、同期されなくてもよく、また配信されるべきデータがあるときに同期され得る。第1のベアラおよび第2のベアラが同期されないときに、デュアルカードUEの第1のカードが第1のベアラを更新した場合、デュアルカードUEの第2のカードは、第2のベアラを同時に更新する必要はなく、第2のベアラが使用される必要があるときに第2のベアラを更新することができる。
【０４０４】
S1608。デュアルカードUEは、デタッチ要求をコアネットワークエンティティに送信し、デタッチ要求は、デュアルカードUEの第2のカードがデタッチされることを必要としたときにデュアルカードUEによって送信される。
【０４０５】
デュアルカードUEの第2のカードがデタッチされる必要があるときに、デュアルカードUEは、デタッチ要求をデュアルカードUEの第2のカードが登録されているコアネットワークエンティティに送信し、これにより、デュアルカードUEの第2のカードが登録されているコアネットワークエンティティは、デタッチ要求をコアネットワークエンティティに送信する。
【０４０６】
S1609。コアネットワークエンティティは、デタッチ要求に従って関連付け情報、または関連付け情報と第2のベアラとを削除する。
【０４０７】
コアネットワークエンティティがデタッチ要求を受信した後に、デタッチ要求に従って、コアネットワークエンティティは、関連付け情報を削除するか、または関連付け情報と第2のベアラとを削除し、それにより、デュアルカードUEの第1のカードとデュアルカードUEの第2のカードとの間の関連付け関係を取り消し、これによって、デュアルカードUEの第1のカードの通信手順は、デュアルカードUEの第2のカードの通信手順に関して独立している。
【０４０８】
デュアルカードUEの第2のカードがデタッチされる必要があるときに、コアネットワークエンティティは、S1608およびS1609を実行する必要があり、確かに、デュアルカードUEの第2のカードがデタッチされない場合、コアネットワークエンティティは、S1608およびS1609を実行する必要はないことに留意されたい。
【０４０９】
デュアルカードUEの第1のカードおよびデュアルカードUEの第2のカードが異なるPLMNに属している場合に、コアネットワークエンティティによって確立された第1のベアラは、コアネットワークエンティティからデュアルカードUEの第1のカードまでのベアラであってよく、それに対応して、コアネットワークエンティティによって確立された第2のベアラは、コアネットワークエンティティから、デュアルカードUEの第2のカードが登録されているコアネットワークエンティティを介して、デュアルカードUEの第2のカードまでのベアラであるものとしてよいことは理解され得る。
【０４１０】
好ましくは、デュアルカードUEの第1のカードおよびデュアルカードUEの第2のカードが同じPLMNに属している場合に、デュアルカードUEの第1のカードが登録されているコアネットワークエンティティおよびデュアルカードUEの第2のカードが登録されているコアネットワークエンティティは、同じコアネットワークエンティティであるか、または異なるコアネットワークエンティティであってもよい。
【０４１１】
本発明のこの実施形態において用意されるデュアルカードUEのための別の通信方法において、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４１２】
実施形態4
図17に示されているように、本発明の一実施形態は、ネットワーク側デバイスがダウンリンクデータをデュアルカードデュアルスタンバイデュアルパスUEに送信するシナリオに適用され得る、ネットワーク側デバイス1を実現し、本発明の一実施形態において提供される通信方法に対応する。ネットワーク側デバイス1は、
デュアルカードUEからアクセス要求を受信するように構成された第1の受信ユニット10と、
デュアルカードUEの第1のカードとデュアルカードUEの第2のカードとの間の関連付け情報を取得するように構成された第1の取得ユニット11と、
アクセス要求に従って第1のベアラを確立し、関連付け情報に従って第2のベアラを確立するように構成された第1の確立ユニット12であって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供する、第1の確立ユニット12と、
送信されるべき第1のデータを第2のデータと第3のデータとに分割するように構成された第1の処理ユニット13と、
第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成された第1の送信ユニットと14を備える。
【０４１３】
適宜、第1の受信ユニット10は、HSSから、デュアルカードUEの第1のカードの加入情報を受信するように特に構成され、第1の取得ユニット11は、デュアルカードUEの第1のカードの加入情報内の関連付け情報を取得するように特に構成される。
【０４１４】
代替的に、
第1の受信ユニット10は、デュアルカードUEの第1のカードからアクセス要求を受信するように特に構成され、アクセス要求は関連付け情報を運び、第1の取得ユニット11は、アクセス要求に従って関連付け情報を取得するように特に構成される。
【０４１５】
適宜、第1の取得ユニット11は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得するように特に構成される。
【０４１６】
好ましくは、第1の処理ユニット13は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４１７】
適宜、ネットワーク側デバイス1は、アンカーゲートウェイを備え、アンカーゲートウェイは、PGWまたはGGSNを備える。
【０４１８】
第1の取得ユニット11は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するように特に構成され、第1の確立ユニット12は、デュアルカードUEの第2のカードのIPアドレスに従って第2のベアラを確立するように特に構成される。
【０４１９】
適宜、第1の処理ユニット13によって、分割することにより得られる第2のデータおよび第3のデータは、デュアルカードUEの第1のカードのIPアドレスを運ぶ。
【０４２０】
第1の処理ユニット13は、デュアルカードUEの第2のカードのIPアドレスを第3のデータに追加するように特に構成され、第1の送信ユニット14は、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【０４２１】
適宜、第1の処理ユニット13は、トンネリング技術に従ってデュアルカードUEの第2のカードのIPアドレスを第3のデータに追加するように特に構成され、トンネリング技術は、IP in IPカプセル化、GRE、およびIPSecを含む。
【０４２２】
適宜、ネットワーク側デバイス1は、コアネットワークエンティティを備え、コアネットワークエンティティは、SGWまたはSGSNを備える。
【０４２３】
第1の確立ユニット12は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４２４】
適宜、第1の受信ユニット10は、デュアルカードUEからデタッチ要求を受信するようにさらに構成され、デタッチ要求は、デュアルカードUEの第2のカードがデタッチされることを必要としたときにデュアルカードUEによって送信され、第1の処理ユニット13は、デタッチ要求に従って関連付け情報、または関連付け情報と第2のベアラとを削除するようにさらに構成される。
【０４２５】
本発明の一実施形態は、ネットワーク側デバイスを実現し、ネットワーク側デバイスは、デュアルカードUEからアクセス要求を受信し、アクセス要求に従って第1のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、ネットワーク側デバイスがデュアルカードUEの第1のカードとデュアルカードUEの第2のカードとの間の関連付け情報を取得した後、ネットワーク側デバイスが関連付け情報に従って第2のベアラを確立し、第2のベアラはネットワーク側デバイスとデュアルカードUEの第2のカードとの間のデータ通信路であり、ネットワーク側デバイスが送信されるべき第1のデータを第2のデータと第3のデータとに分割した後に、ネットワーク側デバイスは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４２６】
図18に示されているように、本発明の一実施形態は、ネットワーク側デバイスがダウンリンクデータをデュアルカードデュアルスタンバイデュアルパスUEに送信するシナリオに適用され得る、デュアルカードUE2を実現し、本発明の一実施形態において提供される通信方法に対応する。デュアルカードUE2は、
アクセス要求を第1のネットワーク側デバイスに送信するように構成された第2の送信ユニット20であって、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニット20と、
第1のネットワーク側デバイスから第2のデータと第3のデータとを受信するように構成された第2の受信ユニット21であって、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信される、第2の受信ユニット21と、
第2のデータと第3のデータとを第1のデータに組み合わせるように構成された第2の処理ユニット22とを備える。
【０４２７】
適宜、第2の送信ユニット20は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４２８】
本発明のこの実施形態は、デュアルカードUEを実現し、デュアルカードUEは、アクセス要求を第1のネットワーク側デバイスに送信し、これにより、第1のネットワーク側デバイスは、アクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEは、第1のネットワーク側デバイスから第2のデータと第3のデータとを受信し、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信され、デュアルカードUEは、第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４２９】
図19に示されているように、本発明の一実施形態は、デュアルカードデュアルスタンバイデュアルパスUEがダウンリンクデータをネットワーク側デバイスに送信するシナリオに適用され得る、デュアルカードUE2を実現し、本発明の一実施形態において提供される別の通信方法に対応する。デュアルカードUE2は、
アクセス要求を第1のネットワーク側デバイスに送信するように構成された第2の送信ユニット20であって、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路である、第2の送信ユニット20と、
送信されるべき第1のデータを第2のデータと第3のデータとに分割するように構成された第2の処理ユニット22とを備える。
【０４３０】
第2の送信ユニット20は、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される。
【０４３１】
適宜、第2の処理ユニット22は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４３２】
適宜、第1のネットワーク側デバイスは、アンカーゲートウェイを備え、アンカーゲートウェイは、PGWまたはGGSNを備え、第2の処理ユニット22によって、分割することにより得られる第2のデータおよび第3のデータは、アンカーゲートウェイのIPアドレスを運び、アンカーゲートウェイのIPアドレスは、アンカーゲートウェイからデュアルカードUEによって取得される。
【０４３３】
第2の処理ユニット22は、デュアルカードUEの第2のカードのIPアドレスを第3のデータに追加するように特に構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、第2の送信ユニット20は、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【０４３４】
適宜、第2の処理ユニット22は、トンネリング技術に従ってデュアルカードUEの第2のカードのIPアドレスを第3のデータに追加するように特に構成され、トンネリング技術は、IP in IPカプセル化、GRE、およびIPSecを含む。
【０４３５】
適宜、第2の送信ユニット20は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４３６】
本発明のこの実施形態は、デュアルカードUEを実現し、デュアルカードUEは、アクセス要求を第1のネットワーク側デバイスに送信し、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４３７】
図20に示されているように、本発明の一実施形態は、デュアルカードデュアルスタンバイデュアルパスUEがアップリンクデータをネットワーク側デバイスに送信するシナリオに適用される、ネットワーク側デバイス1を実現し、本発明の一実施形態において提供される別の通信方法に対応する。ネットワーク側デバイス1は、
デュアルカードUEからアクセス要求を受信するように構成された第1の受信ユニット10と、
デュアルカードUEの第1のカードとデュアルカードUEの第2のカードとの間の関連付け情報を取得するように構成された第1の取得ユニット11と、
アクセス要求に従って第1のベアラを確立し、関連付け情報に従って第2のベアラを確立するように構成された第1の確立ユニット12であって、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、
第1の受信ユニット10は、デュアルカードUEから第2のデータと第3のデータとを受信するようにさらに構成され、第2のデータは、デュアルカードUEが送信されるべき第1のデータを第2のデータと第3のデータとに分割した後第1のベアラを使用することによりデュアルカードUEによって送信され、第3のデータは、第2のベアラを使用することによりデュアルカードUEによって送信される、第1の確立ユニット12と、
第2のデータと第3のデータとを第1のデータに組み合わせるように構成された第1の処理ユニット13とを備える。
【０４３８】
適宜、第1の受信ユニット10は、HSSから、デュアルカードUEの第1のカードの加入情報を受信するように特に構成され、第1の取得ユニット11は、デュアルカードUEの第1のカードの加入情報内の関連付け情報を取得するように特に構成される。
【０４３９】
代替的に、
第1の受信ユニット10は、デュアルカードUEの第1のカードからアクセス要求を受信するように特に構成され、アクセス要求は関連付け情報を運び、第1の取得ユニット11は、アクセス要求に従って関連付け情報を取得するように特に構成される。
【０４４０】
適宜、第1の取得ユニット11は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得するように特に構成される。
【０４４１】
適宜、ネットワーク側デバイスは、アンカーゲートウェイを備え、アンカーゲートウェイは、PGWまたはGGSNを備える。
【０４４２】
第1の取得ユニット11は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得するように特に構成され、第1の確立ユニット12は、デュアルカードUEの第2のカードのIPアドレスに従って第2のベアラを確立するように特に構成される。
【０４４３】
適宜、ネットワーク側デバイスは、コアネットワークエンティティを備え、コアネットワークエンティティは、SGWまたはSGSNを備える。
【０４４４】
第1の確立ユニット12は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４４５】
適宜、第1の受信ユニット10は、デュアルカードUEからデタッチ要求を受信するようにさらに構成され、デタッチ要求は、デュアルカードUEの第2のカードがデタッチされることを必要としたときにデュアルカードUEによって送信され、第1の処理ユニット13は、デタッチ要求に従って関連付け情報、または関連付け情報と第2のベアラとを削除するようにさらに構成される。
【０４４６】
本発明の一実施形態は、ネットワーク側デバイスを実現し、ネットワーク側デバイスは、デュアルカードUEからアクセス要求を受信し、アクセス要求に従って第1のベアラを確立し、デュアルカードUEの第1のカードとデュアルカードUEの第2のカードとの間の関連付け情報を取得した後、ネットワーク側デバイスが関連付け情報に従って第2のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEから第2のデータと第3のデータとを受信し、第2のデータは、デュアルカードUEが送信されるべき第1のデータを第2のデータと第3のデータとに分割した後第1のベアラを使用することによりデュアルカードUEによって送信され、第3のデータは、第2のベアラを使用することによりデュアルカードUEによって送信され、ネットワーク側デバイスは、第2のデータと第3のデータとを第1のデータに組み合わせる。この解決方法によれば、デュアルカードUEの2枚のカードが互いに関連付けられているという条件において、デュアルカードUEは、送信されるべきデータ、すなわち、ネットワーク側デバイスに送信される必要のあるデータ、を分割した後に、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０４４７】
実施形態5
図21に示されているように、本発明の一実施形態は、ネットワーク側デバイスがダウンリンクデータをデュアルカードデュアルスタンバイデュアルパスUEに送信するシナリオに適用され得る、ネットワーク側デバイスを実現し、本発明のこの実施形態において用意されるデュアルカードUEのための通信方法に対応する。ネットワーク側デバイスは、第1の受信機15と、第1の送信機16と、第1のプロセッサ17と、第1のメモリ18とを備える。
【０４４８】
第1の受信機15は、ユーザ機器からアップリンク信号を受信するように構成されるものとしてよく、特に、ユーザ機器が、ネットワーク側デバイスと通信するときに、第1の受信機15は、ユーザ機器から通信データを受信し得る。
【０４４９】
第1の送信機16は、ダウンリンク信号をユーザ機器に送信するように構成されるものとしてよく、特に、ユーザ機器が、ネットワーク側デバイスと通信するときに、第1の送信機16は、通信データをユーザ機器に送信し得る。
【０４５０】
第1のプロセッサ17は、ネットワーク側デバイスの制御と処理の中心であり、第1のメモリ18に記憶されているソフトウェアプログラムを実行し、第1のメモリ18に記憶されているデータを呼び出して処理し、それにより、ネットワーク側デバイスが信号を送受信するのを制御し、ネットワーク側デバイスの別の機能を実装する。
【０４５１】
第1のメモリ18は、ソフトウェアプログラムおよびデータを記憶するように構成され、これにより、第1のプロセッサ17は、第1のメモリ18に記憶されているソフトウェアプログラムを実行し、ネットワーク側デバイスおよび別の機能の信号送受信を実装することができる。
【０４５２】
特に、第1の受信機15は、デュアルカードUEからアクセス要求を受信するように構成され、第1のプロセッサ17は、デュアルカードUEの第1のカードとデュアルカードUEの第2のカードとの間の関連付け情報を取得し、アクセス要求に従って第1のベアラを確立し、関連付け情報に従って第2のベアラを確立し、送信されるべき第1のデータを第2のデータと第3のデータとに分割するように構成されるものとしてよく、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、第1のメモリ18は、第1のデータ、または第2のデータと第3のデータとを記憶するように構成され、第1の送信機16は、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせるように構成され得る。
【０４５３】
好ましくは、第1の受信機15は、HSSから、デュアルカードUEの第1のカードの加入情報を受信するように特に構成され、第1のプロセッサ17は、デュアルカードUEの第1のカードの加入情報内の関連付け情報を取得するように特に構成される。
【０４５４】
代替的に、
第1の受信機15は、デュアルカードUEの第1のカードからアクセス要求を受信するように特に構成され、アクセス要求は関連付け情報を運び、第1のプロセッサ17は、アクセス要求に従って関連付け情報を取得するように特に構成される。
【０４５５】
適宜、第1のプロセッサ17は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得し、関連付け情報を第1のメモリ18に記憶するように特に構成される。
【０４５６】
適宜、第1のプロセッサ17は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４５７】
適宜、ネットワーク側デバイスは、アンカーゲートウェイを備え、アンカーゲートウェイは、PGWまたはGGSNを備える。
【０４５８】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、デュアルカードUEの第2のカードのIPアドレスに従って第2のベアラを確立するように特に構成される。
【０４５９】
適宜、第1のプロセッサ17によって、分割することにより得られる第2のデータおよび第3のデータは、デュアルカードUEの第1のカードのIPアドレスを運ぶ。
【０４６０】
第1のプロセッサ17は、デュアルカードUEの第2のカードのIPアドレスを第3のデータに追加するように特に構成され、第1の送信機16は、デュアルカードUEの第1のカードのIPアドレスに従って、第1のベアラを使用することによって第2のデータをデュアルカードUEに送信し、第2のベアラを使用することによって第3のデータをデュアルカードUEに送信するように特に構成される。
【０４６１】
適宜、第1のプロセッサ17は、トンネリング技術に従ってデュアルカードUEの第2のカードのIPアドレスを第3のデータに追加するように特に構成され、トンネリング技術は、IP in IPカプセル化、GRE、およびIPSecを含む。
【０４６２】
適宜、ネットワーク側デバイスは、コアネットワークエンティティを備え、コアネットワークエンティティは、SGWまたはSGSNを備える。
【０４６３】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４６４】
適宜、第1の受信機15は、デュアルカードUEからデタッチ要求を受信するようにさらに構成され、デタッチ要求は、デュアルカードUEの第2のカードがデタッチされることを必要としたときにデュアルカードUEによって送信され、第1のプロセッサ17は、デタッチ要求に従って関連付け情報、または関連付け情報と第2のベアラとを削除するようにさらに構成される。
【０４６５】
本発明の一実施形態は、ネットワーク側デバイスを実現し、ネットワーク側デバイスは、デュアルカードUEからアクセス要求を受信し、アクセス要求に従って第1のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、ネットワーク側デバイスがデュアルカードUEの第1のカードとデュアルカードUEの第2のカードとの間の関連付け情報を取得した後、ネットワーク側デバイスが関連付け情報に従って第2のベアラを確立し、第2のベアラはネットワーク側デバイスとデュアルカードUEの第2のカードとの間のデータ通信路であり、ネットワーク側デバイスが送信されるべき第1のデータを第2のデータと第3のデータとに分割した後、ネットワーク側デバイスは、第1のベアラを使用することによって第2のデータをデュアルカードUEに送信し、第2のベアラを使用することによって第3のデータをデュアルカードUEに送信し、これにより、デュアルカードUEが第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４６６】
図22に示されているように、本発明の一実施形態は、ネットワーク側デバイスがダウンリンクデータをデュアルカードデュアルスタンバイデュアルパスUEに送信するシナリオに適用され得る、デュアルカードUEを実現し、本発明のこの実施形態において用意されるデュアルカードUEのための通信方法に対応する。デュアルカードUEは、第2の受信機23と、第2の送信機24と、第2のプロセッサ25と、第2のメモリ26とを備える。
【０４６７】
第2の受信機23は、ネットワーク側デバイスからダウンリンク信号を受信するように構成されるものとしてよく、特に、ユーザ機器が、ネットワーク側デバイスと通信するときに、第2の受信機23は、ネットワーク側デバイスから通信データを受信し得る。
【０４６８】
第2の送信機24は、アップリンク信号をネットワーク側デバイスに送信するように構成されるものとしてよく、特に、ユーザ機器が、ネットワーク側デバイスと通信するときに、第2の送信機24は、通信データをネットワーク側デバイスに送信し得る。
【０４６９】
第2のプロセッサ25は、ユーザ機器の制御と処理の中心であり、第2のメモリ26に記憶されているソフトウェアプログラムを実行し、第2のメモリ26に記憶されているデータを呼び出して処理し、それにより、ユーザ機器が信号を送受信するのを制御し、ユーザ機器の別の機能を実装する。
【０４７０】
第2のメモリ26は、ソフトウェアプログラムおよびデータを記憶するように構成され、これにより、第2のプロセッサ25は、第2のメモリ26に記憶されているソフトウェアプログラムを実行し、ユーザ機器および別の機能の信号送受信を実装することができる。
【０４７１】
特に、第2の送信機24は、アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、第2の受信機23は、第1のネットワーク側デバイスから第2のデータと第3のデータとを受信するように構成され、第2のデータは、第1のネットワーク側デバイスが送信されるべき第1のデータを第2のデータと第3のデータとに分割した後第1のベアラを使用することにより第1のネットワーク側デバイスによって送信され、第3のデータは、第2のベアラを使用することによって第1のネットワーク側デバイスによって送信され、第2のプロセッサ25は、第2のデータと第3のデータとを第1のデータに組み合わせるように構成され、第2のメモリ26は、第1のデータ、または第2のデータと第3のデータとを記憶するように構成される。
【０４７２】
適宜、第2の送信機24は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４７３】
本発明のこの実施形態は、デュアルカードUEを実現し、デュアルカードUEは、アクセス要求を第1のネットワーク側デバイスに送信し、これにより、第1のネットワーク側デバイスは、アクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEは、第1のネットワーク側デバイスから第2のデータと第3のデータとを受信し、第2のデータは、第1のネットワーク側デバイスが送信されるべき第1のデータを第2のデータと第3のデータとに分割した後に第1のベアラを使用することにより第1のネットワーク側デバイスによって送信され、第3のデータは、第2のベアラを使用することによって第1のネットワーク側デバイスによって送信され、デュアルカードUEは、第2のデータと第3のデータとを第1のデータに組み合わせる。この解決方法によれば、デュアルカードUEの2枚のカードが互いに関連付けられているという条件において、送信されるべきデータ、すなわち、デュアルカードUEに送信される必要のあるデータ、を分割した後に、ネットワーク側デバイスは、デュアルカードUEの2枚のカードのベアラを別々に使用することによって、分割されたデータを同時に送信することができ、したがって、デュアルカードUEの通信手順が最適化され、これにより、サービス送信効率を改善し、通信効率を高め、ユーザエクスペリエンスを改善することができる。
【０４７４】
図22に示されているように、本発明の一実施形態は、デュアルカードデュアルスタンバイデュアルパスUEがアップリンクデータをネットワーク側デバイスに送信するシナリオに適用され得る、デュアルカードUEを実現し、本発明のこの実施形態において用意されるデュアルカードUEのための別の通信方法に対応する。デュアルカードUEは、第2の受信機23と、第2の送信機24と、第2のプロセッサ25と、第2のメモリ26とを備える。
【０４７５】
第2の受信機23は、ネットワーク側デバイスからダウンリンク信号を受信するように構成されるものとしてよく、特に、ユーザ機器が、ネットワーク側デバイスと通信するときに、第2の受信機23は、ネットワーク側デバイスから通信データを受信し得る。
【０４７６】
第2の送信機24は、アップリンク信号をネットワーク側デバイスに送信するように構成されるものとしてよく、特に、ユーザ機器が、ネットワーク側デバイスと通信するときに、第2の送信機24は、通信データをネットワーク側デバイスに送信し得る。
【０４７７】
第2のプロセッサ25は、ユーザ機器の制御と処理の中心であり、第2のメモリ26に記憶されているソフトウェアプログラムを実行し、第2のメモリ26に記憶されているデータを呼び出して処理し、それにより、ユーザ機器が信号を送受信するのを制御し、ユーザ機器の別の機能を実装する。
【０４７８】
第2のメモリ26は、ソフトウェアプログラムおよびデータを記憶するように構成され、これにより、第2のプロセッサ25は、第2のメモリ26に記憶されているソフトウェアプログラムを実行し、ユーザ機器および別の機能の信号送受信を実装することができる。
【０４７９】
特に、第2の送信機24は、アクセス要求を第1のネットワーク側デバイスに送信するように構成され、これにより、第1のネットワーク側デバイスがアクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、第2のプロセッサ25は、送信されるべき第1のデータを第2のデータと第3のデータとに分割するように構成され、第2のメモリ26は、第1のデータ、または第2のデータと第3のデータとを記憶するように構成され、第2の送信機24は、第1のベアラを使用することによって第2のデータを第1のネットワーク側デバイスに送信し、第2のベアラを使用することによって第3のデータを第1のネットワーク側デバイスに送信し、それにより、第1のネットワーク側デバイスが第2のデータと第3のデータとを第1のデータに組み合わせる、ようにさらに構成される。
【０４８０】
適宜、第2のプロセッサ25は、第1のデータを第2のデータと第3のデータとに分割することを、第1のベアラの負荷、第1のベアラのデータ伝送効率、第2のベアラの負荷、および第2のベアラのデータ伝送効率のうちの少なくとも1つに従って行うように特に構成される。
【０４８１】
適宜、第1のネットワーク側デバイスは、アンカーゲートウェイを備え、アンカーゲートウェイは、PGWまたはGGSNを備え、第2のプロセッサ25によって、分割することにより得られる第2のデータおよび第3のデータは、アンカーゲートウェイのIPアドレスを運び、アンカーゲートウェイのIPアドレスは、アンカーゲートウェイからデュアルカードUEによって取得される。
【０４８２】
第2のプロセッサ25は、第3のデータに、デュアルカードUEの第2のカードのものであり、第2の受信機23によって受信された、IPアドレスを追加するように特に構成され、デュアルカードUEの第2のカードのIPアドレスは、関連付け情報に従ってアンカーゲートウェイによって取得された後にデュアルカードUEに送信されるか、またはデュアルカードUEによって、プリセットされたポリシーに従いデュアルカードUEの第2のカードから取得され、第2の送信機24は、アンカーゲートウェイのIPアドレスに従って、第1のベアラを使用することによって第2のデータをアンカーゲートウェイに送信し、第2のベアラを使用することによって第3のデータをアンカーゲートウェイに送信するように特に構成される。
【０４８３】
適宜、第2のプロセッサ25は、トンネリング技術に従ってデュアルカードUEの第2のカードのIPアドレスを第3のデータに追加するように特に構成され、トンネリング技術は、IP in IPカプセル化、GRE、およびIPSecを含む。
【０４８４】
適宜、第2の送信機24は、デタッチ要求を第1のネットワーク側デバイスに送信するようにさらに構成され、これにより、第1のネットワーク側デバイスはデタッチ要求に従って関連付け情報、または関連付け情報と第2のベアラとを削除し、デタッチ要求は、デュアルカードUEの第2のカードがデタッチされることを必要としたときにデュアルカードUEによって送信される。
【０４８５】
本発明のこの実施形態は、デュアルカードUEを実現し、デュアルカードUEは、アクセス要求を第1のネットワーク側デバイスに送信し、これにより、第1のネットワーク側デバイスは、アクセス要求に従って第1のベアラを確立し、第1のネットワーク側デバイスがデュアルカードUEの第1のカードとデュアルカードUEの第2のカードとの間の関連付け情報を取得した後に、第1のネットワーク側デバイスが関連付け情報に従って第2のベアラを確立し、第1のネットワーク側デバイスは、デュアルカードUEの第1のカードに対するサービスを提供し、第1のベアラは第1のネットワーク側デバイスとデュアルカードUEの第1のカードとの間のデータ通信路であり、第2のベアラは第1のネットワーク側デバイスとデュアルカードUEの第2のカードとの間のデータ通信路であり、デュアルカードUEが送信されるべき第1のデータを第2のデータと第3のデータとに分割した後に、デュアルカードUEは、第1のベアラを使用することによって第2のデータを第1のネットワーク側デバイスに送信し、第2のベアラを使用することによって第3のデータを第1のネットワーク側デバイスに送信し、これにより、第1のネットワーク側デバイスが第2のデータと第3のデータとを第1のデータに組み合わせる。この解決方法によれば、デュアルカードUEの2枚のカードが互いに関連付けられているという条件において、送信されるべきデータ、すなわち、ネットワーク側デバイスに送信される必要のあるデータ、を分割した後に、デュアルカードUEは、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０４８６】
図21に示されているように、本発明の一実施形態は、デュアルカードデュアルスタンバイデュアルパスUEがアップリンクデータをネットワーク側デバイスに送信するシナリオに適用され得る、ネットワーク側デバイスを実現し、本発明のこの実施形態において用意されるデュアルカードUEのための別の通信方法に対応する。ネットワーク側デバイスは、第1の受信機15と、第1の送信機16と、第1のプロセッサ17と、第1のメモリ18とを備える。
【０４８７】
第1の受信機15は、ユーザ機器からアップリンク信号を受信するように構成されるものとしてよく、特に、ユーザ機器が、ネットワーク側デバイスと通信するときに、第1の受信機15は、ユーザ機器から通信データを受信し得る。
【０４８８】
第1の送信機16は、ダウンリンク信号をユーザ機器に送信するように構成されるものとしてよく、特に、ユーザ機器が、ネットワーク側デバイスと通信するときに、第1の送信機16は、通信データをユーザ機器に送信し得る。
【０４８９】
第1のプロセッサ17は、ネットワーク側デバイスの制御と処理の中心であり、第1のメモリ18に記憶されているソフトウェアプログラムを実行し、第1のメモリ18に記憶されているデータを呼び出して処理し、それにより、ネットワーク側デバイスが信号を送受信するのを制御し、ネットワーク側デバイスの別の機能を実装する。
【０４９０】
第1のメモリ18は、ソフトウェアプログラムおよびデータを記憶するように構成され、これにより、第1のプロセッサ17は、第1のメモリ18に記憶されているソフトウェアプログラムを実行し、ネットワーク側デバイスおよび別の機能の信号送受信を実装することができる。
【０４９１】
特に、第1の受信機15は、デュアルカードUEからアクセス要求を受信するように構成され、第1のプロセッサ17は、デュアルカードUEの第1のカードとデュアルカードUEの第2のカードとの間の関連付け情報を取得し、アクセス要求に従って第1のベアラを確立し、関連付け情報に従って第2のベアラを確立し、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEの第1のカードに対するサービスを提供し、第1の受信機15は、デュアルカードUEから第2のデータと第3のデータとを受信するようにさらに構成されるものとしてよく、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信され、第1のメモリ18は、第1のデータ、または第2のデータと第3のデータとを記憶するように構成され、第1のプロセッサ17は、第2のデータと第3のデータとを第1のデータに組み合わせるようにさらに構成される。
【０４９２】
適宜、第1の受信機15は、HSSから、デュアルカードUEの第1のカードの加入情報を受信するように特に構成され、第1のプロセッサ17は、デュアルカードUEの第1のカードの加入情報内の関連付け情報を取得するように特に構成される。
【０４９３】
代替的に、
第1の受信機15は、デュアルカードUEの第1のカードからアクセス要求を受信するように特に構成され、アクセス要求は関連付け情報を運び、第1のプロセッサ17は、アクセス要求に従って関連付け情報を取得するように特に構成される。
【０４９４】
適宜、第1のプロセッサ17は、デュアルカードUEの第2のカードの識別子、またはデュアルカードUEの第2のカードの識別子と、デュアルカードUEの第2のカードが登録されているコアネットワークエンティティのアドレスとを含む関連付け情報を取得し、関連付け情報を第1のメモリ18に記憶するように特に構成される。
【０４９５】
適宜、ネットワーク側デバイスは、アンカーゲートウェイを備え、アンカーゲートウェイは、PGWまたはGGSNを備える。
【０４９６】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従ってデュアルカードUEの第2のカードのIPアドレスを取得し、第1のプロセッサ16に、デュアルカードUEの第2のカードのIPアドレスをデュアルカードUEに送信することを命令し、デュアルカードUEの第2のカードのIPアドレスに従って第2のベアラを確立するように特に構成される。
【０４９７】
適宜、ネットワーク側デバイスは、コアネットワークエンティティを備え、コアネットワークエンティティは、SGWまたはSGSNを備える。
【０４９８】
第1のプロセッサ17は、デュアルカードUEの第2のカードの識別子、またはデュアルカードUEの第2のカードの識別子と、デュアルカードUEの第2のカードが登録されているコアネットワークエンティティのアドレスとに従って第2のベアラを確立するように特に構成される。
【０４９９】
適宜、第1の受信機15は、デュアルカードUEからデタッチ要求を受信するようにさらに構成され、デタッチ要求は、デュアルカードUEの第2のカードがデタッチされることを必要としたときにデュアルカードUEによって送信され、第1のプロセッサ17は、デタッチ要求に従って関連付け情報、または関連付け情報と第2のベアラとを削除するようにさらに構成される。
【０５００】
本発明の一実施形態は、ネットワーク側デバイスを実現し、ネットワーク側デバイスは、デュアルカードUEからアクセス要求を受信し、アクセス要求に従って第1のベアラを確立し、デュアルカードUEの第1のカードとデュアルカードUEの第2のカードとの間の関連付け情報を取得した後、ネットワーク側デバイスが関連付け情報に従って第2のベアラを確立し、ネットワーク側デバイスは、デュアルカードUEの第1のカードに対するサービスを提供し、第1のベアラはネットワーク側デバイスとデュアルカードUEの第1のカードとの間のデータ通信路であり、第2のベアラはネットワーク側デバイスとデュアルカードUEの第2のカードとの間のデータ通信路であり、ネットワーク側デバイスは、デュアルカードUEから第2のデータと第3のデータとを受信し、第2のデータは、デュアルカードUEが送信されるべき第1のデータを第2のデータと第3のデータとに分割した後に第1のベアラを使用することによりデュアルカードUEによって送信され、第3のデータは、第2のベアラを使用することによりデュアルカードUEによって送信され、ネットワーク側デバイスは、第2のデータと第3のデータとを第1のデータに組み合わせる。この解決方法によれば、デュアルカードUEの2枚のカードが互いに関連付けられているという条件において、デュアルカードUEは、送信されるべきデータ、すなわち、ネットワーク側デバイスに送信される必要のあるデータ、を分割した後に、デュアルカードUEの2枚のカードのベアラを別々に使用することによって同時に、分割されたデータを送信することができ、したがって、デュアルカードUEの通信手順が最適化され、これにより、サービス送信効率を改善し、通信効率を高め、ユーザエクスペリエンスを改善することができる。
【０５０１】
当業者であれば、わかりやすい簡潔な説明とすることを目的として、前述の機能モジュールを分けることが説明のための一例として使用されていることは明確に理解できる。実際のアプリケーションにおいて、前述の機能は、要求条件に従って異なる機能モジュールに割り振られ、実装され得る、すなわち、装置の内部構造は、上で説明されている機能の全部または一部を実装するように異なる機能モジュールに分けられる。前述のシステム、装置、およびユニットの詳細な作動プロセスについて、前述の方法実施形態における対応するプロセスが参照されるものとしてよく、詳細についてここで再び説明することはしない。
【０５０２】
本発明において実現されるいくつかの実施形態において、開示されているシステム、装置、および方法は、他の方式で実装することができることは理解されるであろう。例えば、説明されている装置の実施形態は、単なる例にすぎない。例えば、モジュールまたはユニットを分けることは、単に論理機能を分けることであり、実際の実装では他の分け方であってもよい。例えば、複数のユニットまたはコンポーネントが、別のシステム内に組み合わされ得るか、もしくは一体化され得るか、またはいくつかの特徴が無視され得るか、もしくは実施され得ない。それに加えて、表示されている、または説明されている相互結合または直接的結合または通信接続は、いくつかのインターフェースを通じて実装され得る。装置またはユニットの間の間接的結合または通信接続は、電子的な、機械的な、または他の形態で実装され得る。
【０５０３】
個別の部分として説明されているユニットは、物理的に分離していてもまたはしていなくてもよく、またユニットとして表示されている部分は、物理ユニットであってもまたはなくてもよく、または1つの位置に配置されていてもよいか、または複数のネットワークユニット上に分散されていてもよい。ユニットの一部または全部は、実施形態の解決策の目的を達成するために実際に必要になるものに従って選択され得る。
【０５０４】
それに加えて、本発明の実施形態における機能ユニットは、1つの処理ユニットに一体化され得るか、またはユニットのそれぞれが単独で物理的に存在し得るか、または2つ以上のユニットが1つのユニットに一体化される。一体化されたユニットは、ハードウェアの形態で実装され得るか、またはソフトウェア機能ユニットの形態で実装され得る。
【０５０５】
一体化されたモジュールがソフトウェア機能ユニットの形態で実装され、独立した製品として販売または使用される場合、一体化されたユニットは、コンピュータ可読記憶媒体に格納され得る。このような理解に基づき、本発明の技術的解決方法は本質的に、または従来技術に寄与する部分は、または技術的解決方法の全部もしくは一部は、ソフトウェア製品の形態で実装され得る。ソフトウェア製品は、記憶媒体に記憶され、本の実施形態において説明されている方法のステップの全部または一部を実行するようにコンピュータデバイス(パーソナルコンピュータ、サーバ、またはネットワークデバイスであり得る)またはプロセッサに指示するための複数の命令を含む。前述の記憶媒体は、USBフラッシュドライブ、取り外し可能なハードディスク、リードオンリーメモリ(ROM、Read-Only Memory)、ランダムアクセスメモリ(RAM、Random Access Memory)、磁気ディスク、または光ディスクなどの、プログラムコードを記憶することができる任意の媒体を含む。
【０５０６】
前述の説明は、本発明の単なる特定の実装方式の説明にすぎず、本発明の保護範囲を制限することを意図されていない。本発明において開示されている技術の範囲内で当業者が容易に考え付く変更形態または代替的形態は、本発明の保護範囲内にあるものとする。したがって、本発明の保護範囲は、請求項の保護範囲に従うものとする。
【符号の説明】
【０５０７】
1  ネットワーク側デバイス
2  デュアルカードUE
10  第1の受信ユニット
11  第1の取得ユニット
12  第1の確立ユニット
13  第1の処理ユニット
14  第1の送信ユニット
15  第1の受信機
16  第1の送信機
17  第1のプロセッサ
18  第1のメモリ
20  第2の送信ユニット
21  第2の受信ユニット
22  第2の処理ユニット
23  第2の受信機
24  第2の送信機
25  第2のプロセッサ
26  第2のメモリ
【手続補正２】
【補正対象書類名】特許請求の範囲
【補正対象項目名】全文
【補正方法】変更
【補正の内容】
【特許請求の範囲】
【請求項１】
デュアルカードユーザ機器UEのための通信方法であって、
第1のネットワーク側デバイスによって、前記デュアルカードUEからアクセス要求を受信し、前記アクセス要求に従って第1のベアラを確立するステップであって、前記第1のネットワーク側デバイスは、前記デュアルカードUEの第1のカードに対するサービスを提供し、前記第1のベアラは前記第1のネットワーク側デバイスと前記デュアルカードUEの前記第1のカードとの間のデータ通信路である、ステップと、
前記第1のネットワーク側デバイスによって、前記デュアルカードUEの前記第1のカードと前記デュアルカードUEの第2のカードとの間の関連付け情報を取得するステップであって、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む、ステップと、
前記第1のネットワーク側デバイスによって、前記関連付け情報に従って第2のベアラを確立するステップであって、前記第2のベアラは前記第1のネットワーク側デバイスと前記デュアルカードUEの前記第2のカードとの間のデータ通信路である、ステップと、
前記第1のネットワーク側デバイスによって、送信されるべき第1のデータを第2のデータと第3のデータとに分割するステップと、
前記第1のネットワーク側デバイスによって、前記第1のベアラを使用することにより前記第2のデータを前記デュアルカードUEに送信し、前記第2のベアラを使用することにより前記第3のデータを前記デュアルカードUEに送信し、それにより、前記デュアルカードUEが前記第2のデータと前記第3のデータとを前記第1のデータに組み合わせるステップとを含む、デュアルカードユーザ機器UEのための通信方法。
【請求項２】
前記第1のネットワーク側デバイスによって、前記デュアルカードUEの前記第1のカードと前記デュアルカードUEの第2のカードとの間の関連付け情報を取得する前記ステップは、
前記第1のネットワーク側デバイスによって、ホーム加入者サーバHSSから、前記デュアルカードUEの前記第1のカードの加入情報を受信するステップと、
前記第1のネットワーク側デバイスによって、前記デュアルカードUEの前記第1のカードの前記加入情報内の前記関連付け情報を取得するステップ、
または
前記第1のネットワーク側デバイスによって、前記デュアルカードUEの前記第1のカードからアクセス要求を受信するステップであって、前記アクセス要求は前記関連付け情報を運ぶ、ステップと、
前記第1のネットワーク側デバイスによって、前記アクセス要求に従って前記関連付け情報を取得するステップとを含む請求項1に記載のデュアルカードUEのための通信方法。
【請求項３】
前記第1のネットワーク側デバイスは、アンカーゲートウェイを備え、前記アンカーゲートウェイは、パケットデータネットワークゲートウェイPGWまたはゲートウェイ汎用パケット無線サービスサポートノードGGSNを備え、
前記第1のネットワーク側デバイスによって、前記関連付け情報に従って第2のベアラを確立する前記ステップは、特に、
前記アンカーゲートウェイによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのインターネットプロトコルIPアドレスを取得するステップと、
前記アンカーゲートウェイによって、前記デュアルカードUEの前記第2のカードの前記IPアドレスに従って前記第2のベアラを確立するステップとを含む請求項1に記載のデュアルカードUEのための通信方法。
【請求項４】
前記第1のネットワーク側デバイスは、コアネットワークエンティティを備え、前記コアネットワークエンティティは、サービングゲートウェイSGWまたはサービング汎用パケット無線サービスサポートノードSGSNを備え、
前記第1のネットワーク側デバイスによって、前記関連付け情報に従って第2のベアラを確立する前記ステップは、特に、
前記コアネットワークエンティティによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するステップを含む請求項1に記載のデュアルカードUEのための通信方法。
【請求項５】
第1のネットワーク側デバイスによって、前記デュアルカードUEからアクセス要求を受信する前記ステップの後に、前記方法は、
前記第1のネットワーク側デバイスによって、前記デュアルカードUEからデタッチ要求を受信するステップであって、前記デタッチ要求は、前記デュアルカードUEの前記第2のカードがデタッチされることを必要としたときに前記デュアルカードUEによって送信される、ステップと、
前記第1のネットワーク側デバイスによって、前記デタッチ要求に従って、前記関連付け情報、または前記関連付け情報と前記第2のベアラとを削除するステップとをさらに含む請求項1から4のいずれか一項に記載のデュアルカードUEのための通信方法。
【請求項６】
ネットワーク側デバイスであって、
デュアルカードUEからアクセス要求を受信するように構成された第1の受信ユニットと、
前記デュアルカードUEの第1のカードと前記デュアルカードUEの第2のカードとの間の関連付け情報を取得するように構成された第1の取得ユニットと、
前記アクセス要求に従って第1のベアラを確立し、前記関連付け情報に従って第2のベアラを確立するように構成された第1の確立ユニットであって、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含み、前記第1のベアラは前記ネットワーク側デバイスと前記デュアルカードUEの前記第1のカードとの間のデータ通信路であり、前記第2のベアラは前記ネットワーク側デバイスと前記デュアルカードUEの前記第2のカードとの間のデータ通信路であり、前記ネットワーク側デバイスは前記デュアルカードUEの前記第1のカードに対するサービスを提供する、第1の確立ユニットと、
送信されるべき第1のデータを第2のデータと第3のデータとに分割するように構成された第1の処理ユニットと、
前記第1のベアラを使用することによって前記第2のデータを前記デュアルカードUEに送信し、前記第2のベアラを使用することによって前記第3のデータを前記デュアルカードUEに送信し、これにより、前記デュアルカードUEが前記第2のデータと前記第3のデータとを前記第1のデータに組み合わせるように構成された第1の送信ユニットとを備えるネットワーク側デバイス。
【請求項７】
前記第1の受信ユニットは、HSSから、前記デュアルカードUEの前記第1のカードの加入情報を受信するようにさらに構成され、
前記第1の取得ユニットは、前記デュアルカードUEの前記第1のカードの前記加入情報内の前記関連付け情報を取得するように特に構成されるか、
または
前記第1の受信ユニットは、前記デュアルカードUEの前記第1のカードからアクセス要求を受信するようにさらに構成され、前記アクセス要求は前記関連付け情報を運び、
前記第1の取得ユニットは、前記アクセス要求に従って前記関連付け情報を取得するように特に構成される請求項6に記載のネットワーク側デバイス。
【請求項８】
前記ネットワーク側デバイスは、アンカーゲートウェイを備え、前記アンカーゲートウェイは、PGWまたはGGSNを備え、
前記第1の取得ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得するようにさらに構成され、
前記第1の確立ユニットは、前記デュアルカードUEの前記第2のカードの前記IPアドレスに従って前記第2のベアラを確立するように特に構成される請求項6に記載のネットワーク側デバイス。
【請求項９】
前記ネットワーク側デバイスは、コアネットワークエンティティを備え、前記コアネットワークエンティティは、SGWまたはSGSNを備え、
前記第1の確立ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するように特に構成される請求項6に記載のネットワーク側デバイス。
【請求項１０】
前記第1の受信ユニットは、前記デュアルカードUEからデタッチ要求を受信するようにさらに構成され、前記デタッチ要求は、前記デュアルカードUEの前記第2のカードがデタッチされることを必要としたときに前記デュアルカードUEによって送信され、
前記第1の処理ユニットは、前記デタッチ要求に従って前記関連付け情報、または前記関連付け情報と前記第2のベアラとを削除するようにさらに構成される請求項6から9のいずれか一項に記載のネットワーク側デバイス。
【請求項１１】
デュアルカードUEのための通信方法であって、
第1のネットワーク側デバイスによって、前記デュアルカードUEからアクセス要求を受信し、前記アクセス要求に従って第1のベアラを確立するステップであって、前記第1のネットワーク側デバイスは、前記デュアルカードUEの第1のカードに対するサービスを提供し、前記第1のベアラは前記第1のネットワーク側デバイスと前記デュアルカードUEの前記第1のカードとの間のデータ通信路である、ステップと、
前記第1のネットワーク側デバイスによって、前記デュアルカードUEの前記第1のカードと前記デュアルカードUEの第2のカードとの間の関連付け情報を取得するステップであって、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含む、ステップと、
前記第1のネットワーク側デバイスによって、前記関連付け情報に従って第2のベアラを確立するステップであって、前記第2のベアラは前記第1のネットワーク側デバイスと前記デュアルカードUEの前記第2のカードとの間のデータ通信路である、ステップと、
前記第1のネットワーク側デバイスによって、前記デュアルカードUEから第2のデータと第3のデータとを受信するステップであって、
前記第2のデータは、前記デュアルカードUEが送信されるべき第1のデータを前記第2のデータと前記第3のデータとに分割した後に前記第1のベアラを使用することにより前記デュアルカードUEによって送信され、前記第3のデータは、前記第2のベアラを使用することにより前記デュアルカードUEによって送信される、ステップと、
前記第1のネットワーク側デバイスによって、前記第2のデータと前記第3のデータとを前記第1のデータに組み合わせるステップとを含むデュアルカードUEのための通信方法。
【請求項１２】
前記第1のネットワーク側デバイスによって、前記デュアルカードUEの前記第1のカードと前記デュアルカードUEの第2のカードとの間の関連付け情報を取得する前記ステップは、
前記第1のネットワーク側デバイスによって、HSSから、前記デュアルカードUEの前記第1のカードの加入情報を受信するステップと、
前記第1のネットワーク側デバイスによって、前記デュアルカードUEの前記第1のカードの前記加入情報内の前記関連付け情報を取得するステップ、
または
前記第1のネットワーク側デバイスによって、前記デュアルカードUEの前記第1のカードからアクセス要求を受信するステップであって、前記アクセス要求は前記関連付け情報を運ぶ、ステップと、
前記第1のネットワーク側デバイスによって、前記アクセス要求に従って前記関連付け情報を取得するステップとを含む請求項11に記載のデュアルカードUEのための通信方法。
【請求項１３】
前記第1のネットワーク側デバイスは、アンカーゲートウェイを備え、前記アンカーゲートウェイは、PGWまたはGGSNを備え、
前記第1のネットワーク側デバイスによって、前記関連付け情報に従って第2のベアラを確立する前記ステップは、特に、
前記アンカーゲートウェイによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得するステップと、
前記アンカーゲートウェイによって、前記デュアルカードUEの前記第2のカードの前記IPアドレスに従って前記第2のベアラを確立するステップとを含む請求項11に記載のデュアルカードUEのための通信方法。
【請求項１４】
前記第1のネットワーク側デバイスは、コアネットワークエンティティを備え、前記コアネットワークエンティティは、SGWまたはSGSNを備え、
前記第1のネットワーク側デバイスによって、前記関連付け情報に従って第2のベアラを確立する前記ステップは、特に、
前記コアネットワークエンティティによって、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するステップを含む請求項11に記載のデュアルカードUEのための通信方法。
【請求項１５】
第1のネットワーク側デバイスによって、前記デュアルカードUEからアクセス要求を受信する前記ステップの後に、前記方法は、
前記第1のネットワーク側デバイスによって、前記デュアルカードUEからデタッチ要求を受信するステップであって、前記デタッチ要求は、前記デュアルカードUEの前記第2のカードがデタッチされることを必要としたときに前記デュアルカードUEによって送信される、ステップと、
前記第1のネットワーク側デバイスによって、前記デタッチ要求に従って、前記関連付け情報、または前記関連付け情報と前記第2のベアラとを削除するステップとをさらに含む請求項11から14のいずれか一項に記載のデュアルカードUEのための通信方法。
【請求項１６】
ネットワーク側デバイスであって、
デュアルカードUEからアクセス要求を受信するように構成された第1の受信ユニットと、
前記デュアルカードUEの第1のカードと前記デュアルカードUEの第2のカードとの間の関連付け情報を取得するように構成された第1の取得ユニットと、
前記アクセス要求に従って第1のベアラを確立し、前記関連付け情報に従って第2のベアラを確立するように構成された第1の確立ユニットであって、前記関連付け情報は、前記デュアルカードUEの前記第2のカードの識別子、または前記デュアルカードUEの前記第2のカードの識別子と、前記デュアルカードUEの前記第2のカードが登録されているコアネットワークエンティティのアドレスとを含み、前記第1のベアラは前記ネットワーク側デバイスと前記デュアルカードUEの前記第1のカードとの間のデータ通信路であり、前記第2のベアラは前記ネットワーク側デバイスと前記デュアルカードUEの前記第2のカードとの間のデータ通信路であり、ネットワーク側デバイスは、デュアルカードUEの第1のカードに対するサービスを提供し、
前記第1の受信ユニットは、前記デュアルカードUEから第2のデータと第3のデータとを受信するようにさらに構成され、
前記第2のデータは、前記デュアルカードUEが送信されるべき第1のデータを前記第2のデータと前記第3のデータとに分割した後に前記第1のベアラを使用することにより前記デュアルカードUEによって送信され、前記第3のデータは、前記第2のベアラを使用することにより前記デュアルカードUEによって送信される、第1の確立ユニットと、
前記第2のデータと前記第3のデータとを前記第1のデータに組み合わせるように構成された第1の処理ユニットとを備えるネットワーク側デバイス。
【請求項１７】
前記第1の受信ユニットは、HSSから、前記デュアルカードUEの前記第1のカードの加入情報を受信するようにさらに構成され、
前記第1の取得ユニットは、前記デュアルカードUEの前記第1のカードの前記加入情報内の前記関連付け情報を取得するように特に構成されるか、
または
前記第1の受信ユニットは、前記デュアルカードUEの前記第1のカードからアクセス要求を受信するようにさらに構成され、前記アクセス要求は前記関連付け情報を運び、
前記第1の取得ユニットは、前記アクセス要求に従って前記関連付け情報を取得するように特に構成される請求項16に記載のネットワーク側デバイス。
【請求項１８】
前記ネットワーク側デバイスは、アンカーゲートウェイを備え、前記アンカーゲートウェイは、PGWまたはGGSNを備え、
前記第1の取得ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記デュアルカードUEの前記第2のカードのIPアドレスを取得するようにさらに構成され、
前記第1の確立ユニットは、前記デュアルカードUEの前記第2のカードの前記IPアドレスに従って前記第2のベアラを確立するように特に構成される請求項16に記載のネットワーク側デバイス。
【請求項１９】
前記ネットワーク側デバイスは、コアネットワークエンティティを備え、前記コアネットワークエンティティは、SGWまたはSGSNを備え、
前記第1の確立ユニットは、前記デュアルカードUEの前記第2のカードの前記識別子、または前記デュアルカードUEの前記第2のカードの前記識別子と、前記デュアルカードUEの前記第2のカードが登録されている前記コアネットワークエンティティの前記アドレスとに従って前記第2のベアラを確立するように特に構成される請求項16に記載のネットワーク側デバイス。
【請求項２０】
前記第1の受信ユニットは、前記デュアルカードUEからデタッチ要求を受信するようにさらに構成され、前記デタッチ要求は、前記デュアルカードUEの前記第2のカードがデタッチされることを必要としたときに前記デュアルカードUEによって送信され、
前記第1の処理ユニットは、前記デタッチ要求に従って前記関連付け情報、または前記関連付け情報と前記第2のベアラとを削除するようにさらに構成される請求項16から19のいずれか一項に記載のネットワーク側デバイス。
【請求項２１】
デュアルカードUEのための通信方法であって、
前記デュアルカードUEによって、アクセス要求を第1のネットワーク側デバイスに送信するステップであって、前記アクセス要求は、前記デュアルカードUEの第1のカードに対するデータサービスを提供するように前記第1のネットワーク側デバイスに要求することを示している、ステップと、
前記デュアルカードUEによって、前記第1のネットワーク側デバイスに第1のデータを伝送するステップであって、前記第1のデータは第2のデータと第3のデータとを含み、前記第2のデータは第1のベアラ上に伝送され、前記第3のデータは第2のベアラ上に伝送され、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの第2のカードとの間のデータ通信路である、ステップとを含むデュアルカードUEのための通信方法。
【請求項２２】
前記デュアルカードUEによって、前記第1のネットワーク側デバイスに第1のデータを伝送するステップは、
前記第1のネットワーク側デバイスから前記第1のデータを受信するステップ、または、
前記第1のネットワーク側デバイスに前記第1のデータを送信するステップ
を含む請求項21に記載のデュアルカードUEのための通信方法。
【請求項２３】
デュアルカードUEであって、
アクセス要求を第1のネットワーク側デバイスに送信するように構成された送信機であって、前記アクセス要求は、前記デュアルカードUEの第1のカードに対するデータサービスを提供するように前記第1のネットワーク側デバイスに要求することを示している、送信機と、
前記第1のネットワーク側デバイスに第1のデータを伝送するように構成された、プロセッサであって、前記第1のデータは第2のデータと第3のデータとを含み、前記第2のデータは第1のベアラ上に伝送され、前記第3のデータは第2のベアラ上に伝送され、前記第1のベアラは前記第1のネットワーク側デバイスと前記デュアルカードUEの前記第1のカードとの間のデータ通信路であり、前記第2のベアラは前記第1のネットワーク側デバイスと前記デュアルカードUEの第2のカードとの間のデータ通信路である、プロセッサとを備えるデュアルカードUE。
【請求項２４】
前記プロセッサは、前記第1のデータを前記第2のデータと前記第3のデータとに分割し、前記第1のベアラ上に前記第2のデータを送信し、前記第2のベアラ上に前記第3のデータを送信するように構成される、または、
前記プロセッサは、前記第1のベアラ上に前記第2のデータを受信し、前記第2のベアラ上に前記第3のデータを受信し、前記第2のデータと前記第3のデータとを前記第1のデータに組み合わせるように構成される請求項23に記載のデュアルカードUE。
【国際調査報告】
2016525292.tif 000025
2016525292.tif 000026
2016525292.tif 000027
2016525292.tif 000028